(57)【要約】  本発明による液晶表示装置（１００）は、画素（Ｐ１）、（Ｐ２）を備える。画素（Ｐ１）（Ｐ２）は、サブ画素（Ｒ１）（Ｒ２）、サブ画素（Ｇ１）（Ｇ２）およびサブ画素（Ｂ１）（Ｂ２）を有している。入力信号がある有彩色を示す場合、サブ画素（Ｂ１）（Ｂ２）の一方が点灯し、サブ画素（Ｒ１）（Ｒ２）およびサブ画素（Ｇ１）（Ｇ２）のうちの少なくとも１つが点灯する。入力信号がある有彩色を示すときのサブ画素（Ｂ１）の輝度とサブ画素（Ｂ２）の輝度との平均が、入力信号がある無彩色を示すときのサブ画素（Ｂ１）の輝度とサブ画素（Ｂ２）の輝度との平均とほぼ等しい場合、入力信号がある有彩色を示すときのサブ画素（Ｂ１）（Ｂ２）の輝度は、入力信号がある無彩色を示すときのサブ画素（Ｂ１）（Ｂ２）の輝度とは異なる。
2010073693.tif 000002
【特許請求の範囲】
【請求項１】
互いに隣接する第１画素および第２画素を含む複数の画素を備える液晶表示装置であって、
前記複数の画素のそれぞれは、第１サブ画素、第２サブ画素および第３サブ画素を含む複数のサブ画素を有しており、
入力信号に示された前記第１画素および前記第２画素のそれぞれがある有彩色を示す場合、前記第１画素および前記第２画素のうちの少なくとも一方の前記第３サブ画素が点灯し、前記第１画素の前記第１サブ画素および前記第２サブ画素ならびに前記第２画素の前記第１サブ画素および前記第２サブ画素のうちの少なくとも１つのサブ画素が点灯し、
入力信号に示された前記第１画素および前記第２画素のそれぞれが前記ある有彩色を示すときの前記第１画素の前記第３サブ画素の輝度と前記第２画素の前記第３サブ画素の輝度との平均が、入力信号に示された前記第１画素および前記第２画素のそれぞれがある無彩色を示すときの前記第１画素の前記第３サブ画素の輝度と前記第２画素の前記第３サブ画素の輝度との平均とほぼ等しい場合、入力信号に示された前記第１画素および前記第２画素のそれぞれが前記ある有彩色を示すときの前記第１画素および前記第２画素のそれぞれの前記第３サブ画素の輝度は、入力信号に示された前記第１画素および前記第２画素のそれぞれが前記ある無彩色を示すときの前記第１画素および前記第２画素のそれぞれの前記第３サブ画素の輝度とは異なる、液晶表示装置。
【請求項２】
前記第１サブ画素は赤サブ画素であり、
前記第２サブ画素は緑サブ画素であり、
前記第３サブ画素は青サブ画素である、請求項１に記載の液晶表示装置。
【請求項３】
入力信号に示された前記第１画素および前記第２画素のそれぞれが別の有彩色を示すときの前記第１画素の前記第１サブ画素の輝度と前記第２画素の前記第１サブ画素の輝度との平均が、入力信号に示された前記第１画素および前記第２画素のそれぞれがある無彩色を示すときの前記第１画素の前記第１サブ画素の輝度と前記第２画素の前記第１サブ画素の輝度との平均と等しい場合、入力信号に示された前記第１画素および前記第２画素のそれぞれが前記別の有彩色を示すときの前記第１画素および前記第２画素のそれぞれの前記第１サブ画素の輝度は、入力信号に示された前記第１画素および前記第２画素のそれぞれが前記ある無彩色を示すときの前記第１画素および前記第２画素のそれぞれの前記第１サブ画素の輝度とは異なる、請求項１または２に記載の液晶表示装置。
【請求項４】
入力信号に示された前記第１画素および前記第２画素のそれぞれがさらに別の有彩色を示すときの前記第１画素の前記第２サブ画素の輝度と前記第２画素の前記第２サブ画素の輝度との平均が、入力信号に示された前記第１画素および前記第２画素のそれぞれがある無彩色を示すときの前記第１画素の前記第２サブ画素の輝度と前記第２画素の前記第２サブ画素の輝度との平均と等しい場合、入力信号に示された前記第１画素および前記第２画素のそれぞれが前記さらに別の有彩色を示すときの前記第１画素および前記第２画素のそれぞれの前記第２サブ画素の輝度は、入力信号に示された前記第１画素および前記第２画素のそれぞれが前記ある無彩色を示すときの前記第１画素および前記第２画素のそれぞれの前記第２サブ画素の輝度とは異なる、請求項１から３のいずれかに記載の液晶表示装置。
【請求項５】
前記第１サブ画素、前記第２サブ画素および前記第３サブ画素をそれぞれ規定する第１サブ画素電極、第２サブ画素電極および第３サブ画素電極と、
前記第１サブ画素電極、前記第２サブ画素電極および前記第３サブ画素電極のそれぞれに対応して設けられた複数のソース配線と
をさらに備える、請求項１から４のいずれかに記載の液晶表示装置。
【請求項６】
前記第１サブ画素、前記第２サブ画素および前記第３サブ画素のそれぞれは、それぞれが互いに異なる輝度を呈し得る複数の領域を有している、請求項１から４のいずれかに記載の液晶表示装置。
【請求項７】
前記第１サブ画素、前記第２サブ画素および前記第３サブ画素をそれぞれ規定し、それぞれが、前記複数の領域を規定する分離電極を有する、第１サブ画素電極、第２サブ画素電極および第３サブ画素電極と、
前記第１サブ画素電極、前記第２サブ画素電極および前記第３サブ画素電極のそれぞれに対応して設けられた複数のソース配線と、
前記第１サブ画素電極、前記第２サブ画素電極および前記第３サブ画素電極のそれぞれの前記分離電極に対応して設けられた複数の補助容量配線と
をさらに備える、請求項６に記載の液晶表示装置。
【請求項８】
前記入力信号または前記入力信号の変換によって得られた信号は、前記複数の画素のそれぞれに含まれる前記複数のサブ画素の階調レベルを示しており、
前記入力信号または前記変換によって得られた信号に示された前記第１画素および前記第２画素に含まれる前記第３サブ画素の階調レベルは、前記入力信号に示された前記第１画素および前記第２画素の色相に応じて補正される、請求項１から７のいずれかに記載の液晶表示装置。
【請求項９】
前記入力信号または前記入力信号の変換によって得られた信号は、前記複数の画素のそれぞれに含まれる前記複数のサブ画素の階調レベルを示しており、
前記入力信号または前記変換によって得られた信号に示された前記第１画素および前記第２画素に含まれる前記第３サブ画素の階調レベルは、前記入力信号に示された前記第１画素および前記第２画素の色相、および、前記入力信号に示された前記第１画素および前記第２画素に含まれる前記第３サブ画素の階調レベルの差に応じて補正される、請求項１から７のいずれかに記載の液晶表示装置。
【請求項１０】
入力信号において、前記第１画素および前記第２画素のうちの一方の画素の前記第３サブ画素の階調レベルが第１階調レベルであり、前記第１画素および前記第２画素のうちの他方の画素の前記第３サブ画素の階調レベルが前記第１階調レベルまたは前記第１階調レベルよりも高い第２階調レベルである場合、前記第１画素および前記第２画素に含まれる前記第３サブ画素のそれぞれの輝度は、前記入力信号または前記入力信号の変換によって得られた信号に示された階調レベルに対応する輝度とは異なり、
入力信号において、前記一方の画素の前記第３サブ画素の階調レベルが前記第１階調レベルであり、前記他方の画素の前記第３サブ画素の階調レベルが前記第２階調レベルよりも高い第３階調レベルである場合、前記第１画素および前記第２画素に含まれる前記第３サブ画素のそれぞれの輝度は、前記入力信号または前記入力信号の変換によって得られた信号に示された階調レベルに対応する輝度と略等しい、請求項１から９のいずれかに記載の液晶表示装置。
【請求項１１】
第１サブ画素、第２サブ画素および第３サブ画素を含む複数のサブ画素を有する画素を備える液晶表示装置であって、
前記第１サブ画素、前記第２サブ画素および前記第３サブ画素のそれぞれは、互いに異なる輝度を呈し得る第１領域および第２領域を含む複数の領域を有しており、
入力信号に示された前記画素がある有彩色を示す場合、前記第３サブ画素の前記第１領域および前記第２領域のうちの少なくとも一方が点灯し、前記第１サブ画素の第１領域および第２領域ならびに前記第２サブ画素の前記第１領域および前記第２領域のうちの少なくとも１つの領域が点灯し、
入力信号に示された前記画素が前記ある有彩色を示すときの前記第３サブ画素の前記第１領域の輝度と前記第３サブ画素の前記第２領域の輝度の平均が、入力信号に示された前記画素がある無彩色を示すときの前記第３サブ画素の前記第１領域の輝度と前記第３サブ画素の前記第２領域の輝度との平均と等しい場合、入力信号に示された前記画素が前記ある有彩色を示すときの前記第３サブ画素の前記第１領域および前記第２領域のそれぞれの輝度は、入力信号に示された前記画素が前記ある無彩色を示すときの前記第３サブ画素の前記第１領域および前記第２領域の輝度とは異なる、液晶表示装置。
【請求項１２】
前記第１サブ画素は赤サブ画素であり、
前記第２サブ画素は緑サブ画素であり、
前記第３サブ画素は青サブ画素である、請求項１１に記載の液晶表示装置。
【請求項１３】
前記第１サブ画素、前記第２サブ画素および前記第３サブ画素をそれぞれ規定し、前記第１領域および前記第２領域に対応する第１分離電極および第２分離電極を有する、第１サブ画素電極、第２サブ画素電極および第３サブ画素電極と、
前記第１サブ画素電極、前記第２サブ画素電極および前記第３サブ画素電極のそれぞれの前記第１分離電極および前記第２分離電極のそれぞれに対応して設けられた複数のソース配線と
をさらに備える、請求項１１または１２に記載の液晶表示装置。
【請求項１４】
前記第１サブ画素、前記第２サブ画素および前記第３サブ画素をそれぞれ規定し、それぞれが、前記第１領域および前記第２領域に対応する第１分離電極および第２分離電極を有する第１サブ画素電極、第２サブ画素電極および第３サブ画素電極と、
前記第１サブ画素電極、前記第２サブ画素電極および前記第３サブ画素電極のそれぞれに対応して設けられた複数のソース配線と、
前記第１サブ画素電極、前記第２サブ画素電極および前記第３サブ画素電極のそれぞれの前記第１分離電極と、前記第１サブ画素電極、前記第２サブ画素電極および前記第３サブ画素電極のそれぞれの前記第２分離電極とに対応して設けられた複数のゲート配線と
をさらに備える、請求項１１または１２に記載の液晶表示装置。
【請求項１５】
複数の行および複数の列のマトリクス状に配列された複数の画素を備える液晶表示装置であって、
前記複数の画素は、行方向または列方向に順番に配列された第１画素、第２画素、第３画素および第４画素を含んでおり、
前記複数の画素のそれぞれは、第１サブ画素、第２サブ画素および第３サブ画素を含む複数のサブ画素を有しており、
入力信号に示された前記第１画素および前記第３画素のそれぞれがある有彩色を示す場合、前記第１画素および前記第３画素のうちの少なくとも一方の前記第３サブ画素が点灯し、前記第１画素の前記第１サブ画素および前記第２サブ画素ならびに前記第３画素の前記第１サブ画素および前記第２サブ画素のうちの少なくとも１つのサブ画素が点灯し、
入力信号に示された前記第１画素および前記第３画素のそれぞれが前記ある有彩色を示すときの前記第１画素の前記第３サブ画素の輝度と前記第３画素の前記第３サブ画素の輝度との平均が、入力信号に示された前記第１画素および前記第３画素のそれぞれがある無彩色を示すときの前記第１画素の前記第３サブ画素の輝度と前記第３画素の前記第３サブ画素の輝度との平均とほぼ等しい場合、入力信号に示された前記第１画素および前記第３画素のそれぞれが前記ある有彩色を示すときの前記第１画素および前記第３画素のそれぞれの前記第３サブ画素の輝度は、入力信号に示された前記第１画素および前記第３画素のそれぞれが前記ある無彩色を示すときの前記第１画素および前記第３画素のそれぞれの前記第３サブ画素の輝度とは異なる、液晶表示装置。
【請求項１６】
前記第２画素および前記第４画素のそれぞれの前記第３サブ画素の輝度は、前記入力信号または前記入力信号の変換によって得られた信号に示された階調レベルに対応する輝度と略等しい、請求項１５に記載の液晶表示装置。
【発明の詳細な説明】
【技術分野】
【０００１】
本発明は液晶表示装置に関する。
【背景技術】
【０００２】
液晶表示装置は、大型テレビジョンだけでなく携帯電話の表示部等の小型の表示装置としても利用されている。現在、広く利用されているカラー液晶表示装置では、１つの画素は、赤（Ｒ）、緑（Ｇ）、青（Ｂ）の光の三原色に対応するサブ画素から構成されており、典型的には、赤、緑および青サブ画素の色の違いは、カラーフィルタによって実現されている。【０００３】
従来、ＴＮ（Ｔｗｉｓｔｅｄ  Ｎｅｍａｔｉｃ）モードの液晶表示装置が用いられていたが、ＴＮモードの液晶表示装置の視野角は比較的狭いため、近年、ＩＰＳ（Ｉｎ−Ｐｌａｎｅ―Ｓｗｉｔｃｈｉｎｇ）モードおよびＶＡ（Ｖｅｒｔｉｃａｌ  Ａｌｉｇｎｍｅｎｔ）モードといった広視野角の液晶表示装置が作製されている。そのような広視野角のモードの中でも、ＶＡモードは高コントラスト比を実現できるため、多くの液晶表示装置に採用されている。【０００４】
しかしながら、ＶＡモードの液晶表示装置では、斜め方向から見た場合に階調反転が発生することがある。このような階調反転を抑制するために、１つのサブ画素領域に複数の液晶ドメインを形成するＭＶＡ（Ｍｕｌｔｉ−ｄｏｍａｉｎ  Ｖｅｒｔｉｃａｌ  Ａｌｉｇｎｍｅｎｔ）モードが採用されている。ＭＶＡモードの液晶表示装置には、垂直配向型液晶層を挟んで対向する一対の基板のうちの少なくとも一方の液晶層側に配向規制構造が設けられている。配向規制構造は、例えば、電極に設けられた線状のスリット（開口部）またはリブ（突起構造）である。配向規制構造により、液晶層の片側または両側から配向規制力が付与され、配向方向の異なる複数の液晶ドメイン（典型的には４つの液晶ドメイン）が形成され、階調反転が抑制されている。【０００５】
また、ＶＡモードの別の一種として、ＣＰＡ（Ｃｏｎｔｉｎｕｏｕｓ  Ｐｉｎｗｈｅｅｌ  Ａｌｉｇｎｍｅｎｔ）モードも知られている。一般的なＣＰＡモードの液晶表示装置では対称性の高い形状を有するサブ画素電極が設けられるとともに液晶ドメインの中心に対応して対向基板の液晶層側に開口部や突起物が設けられている。この突起物はリベットとも呼ばれる。電圧を印加すると、対向電極と対称性の高いサブ画素電極とによって形成される斜め電界にしたがって液晶分子は放射形状に傾斜配向する。また、リベットが設けられている場合、リベットの傾斜側面の配向規制力によって液晶分子の傾斜配向が安定化される。このように、１サブ画素内の液晶分子が放射形状に配向することにより、階調反転が抑制されている。【０００６】
しかしながら、ＶＡモードの液晶表示装置では、斜め方向から見た場合の画像が正面から見た場合の画像と比べて明るく見えることがある（特許文献１参照）。このような現象は白浮きとも呼ばれている。特許文献１の液晶表示装置では、赤、緑および青のうちの対応する色を表示するサブ画素が輝度の異なる領域を有していることにより、斜め方向からの白浮きを抑制して視野角特性を改善している。具体的には、特許文献１の液晶表示装置では、サブ画素の各領域に対応する電極は、異なるＴＦＴを介して異なるデータ配線（ソース配線）に接続されている。特許文献１の液晶表示装置では、サブ画素の各領域に対応する電極の電位を異ならせることにより、サブ画素の各領域の輝度を異ならせて、視野角特性の改善が図られている。【０００７】
また、中間階調の無彩色を表示する際に斜め方向からの色度が正面方向の色度とは異なるように変化することがある（例えば、特許文献２参照）。特許文献２に開示される液晶表示装置では、赤、緑および青サブ画素のそれぞれの輝度の低い領域において、低階調レベルの変化に対して透過率が同じように変化するようにしており、これにより、無彩色を表示する際の色度の変化が抑制されている。【０００８】
サブ画素内の領域の輝度を異ならせるためには、サブ画素の各領域に対応する微細な電極を形成する必要があり、コストが増大し、歩留まりが低下することがある。また、ＴＮモードの液晶表示装置はＶＡモードと比べて低コストで作製可能である。このため、ＴＮモードの液晶表示装置において、サブ画素内に複数の電極を形成することなく視野角特性の改善を行うことも検討されている（例えば、特許文献３参照）。特許文献３の液晶表示装置では、入力信号において隣接する２つのサブ画素の階調レベルが中間階調レベルである場合、一方のサブ画素を高階調レベルにし、他方のサブ画素を低階調レベルにすることにより、視野角特性の改善を図っている。具体的には、入力信号において２つのサブ画素の階調レベルＡ、Ｂが中間階調である場合、その輝度Ｌ（Ａ）、Ｌ（Ｂ）の平均（Ｌ（Ａ）＋Ｌ（Ｂ））／２をＬ（Ｘ）とすると、輝度Ｌ（Ｘ）に対応する階調レベルＸを取得した上で、階調レベルＸの輝度Ｌ（Ｘ）を実現する高階調レベルＡ’および低階調レベルＢ’を得ている。このように、特許文献３の液晶表示装置では、入力信号に示された階調レベルＡ、Ｂを階調レベルＡ’、Ｂ’に補正することで、サブ画素電極内に微細な電極構造を形成することなく視野角特性の改善を図っている。
【先行技術文献】
【特許文献】
【０００９】
【特許文献１】特開２００６−２０９１３５号公報
【特許文献２】特開２００７−２２６２４２号公報
【特許文献３】特表２００４−５２５４０２号公報
【発明の概要】
【発明が解決しようとする課題】
【００１０】
特許文献１から３の液晶表示装置では視野角特性の改善が図られているが、一般に、無彩色を表示する場合の斜め方向からの色度と正面からの色度との差が小さくなるように設定される一方で、有彩色を表示する場合の斜め方向からの色と正面からの色との差が比較的大きいことがある。このように、斜め方向からの色度と正面からの色度との差はカラーシフトとも呼ばれており、カラーシフトが大きいと、表示品位が低下してしまう。【００１１】
本発明は、上記課題を鑑みてなされたものであり、その目的は、斜め方向からの視野角特性を改善するとともにカラーシフトを抑制する液晶表示装置を提供することにある。
【課題を解決するための手段】
【００１２】
本発明による液晶表示装置は、互いに隣接する第１画素および第２画素を含む複数の画素を備える液晶表示装置であって、前記複数の画素のそれぞれは、第１サブ画素、第２サブ画素および第３サブ画素を含む複数のサブ画素を有しており、入力信号に示された前記第１画素および前記第２画素のそれぞれがある有彩色を示す場合、前記第１画素および前記第２画素のうちの少なくとも一方の前記第３サブ画素が点灯し、前記第１画素の前記第１サブ画素および前記第２サブ画素ならびに前記第２画素の前記第１サブ画素および前記第２サブ画素のうちの少なくとも１つのサブ画素が点灯し、入力信号に示された前記第１画素および前記第２画素のそれぞれが前記ある有彩色を示すときの前記第１画素の前記第３サブ画素の輝度と前記第２画素の前記第３サブ画素の輝度との平均が、入力信号に示された前記第１画素および前記第２画素のそれぞれがある無彩色を示すときの前記第１画素の前記第３サブ画素の輝度と前記第２画素の前記第３サブ画素の輝度との平均とほぼ等しい場合、入力信号に示された前記第１画素および前記第２画素のそれぞれが前記ある有彩色を示すときの前記第１画素および前記第２画素のそれぞれの前記第３サブ画素の輝度は、入力信号に示された前記第１画素および前記第２画素のそれぞれが前記ある無彩色を示すときの前記第１画素および前記第２画素のそれぞれの前記第３サブ画素の輝度とは異なる。【００１３】
ある実施形態において、前記第１サブ画素は赤サブ画素であり、前記第２サブ画素は緑サブ画素であり、前記第３サブ画素は青サブ画素である。【００１４】
ある実施形態において、入力信号に示された前記第１画素および前記第２画素のそれぞれが別の有彩色を示すときの前記第１画素の前記第１サブ画素の輝度と前記第２画素の前記第１サブ画素の輝度との平均が、入力信号に示された前記第１画素および前記第２画素のそれぞれがある無彩色を示すときの前記第１画素の前記第１サブ画素の輝度と前記第２画素の前記第１サブ画素の輝度との平均と等しい場合、入力信号に示された前記第１画素および前記第２画素のそれぞれが前記別の有彩色を示すときの前記第１画素および前記第２画素のそれぞれの前記第１サブ画素の輝度は、入力信号に示された前記第１画素および前記第２画素のそれぞれが前記ある無彩色を示すときの前記第１画素および前記第２画素のそれぞれの前記第１サブ画素の輝度とは異なる。【００１５】
ある実施形態において、入力信号に示された前記第１画素および前記第２画素のそれぞれがさらに別の有彩色を示すときの前記第１画素の前記第２サブ画素の輝度と前記第２画素の前記第２サブ画素の輝度との平均が、入力信号に示された前記第１画素および前記第２画素のそれぞれがある無彩色を示すときの前記第１画素の前記第２サブ画素の輝度と前記第２画素の前記第２サブ画素の輝度との平均と等しい場合、入力信号に示された前記第１画素および前記第２画素のそれぞれが前記さらに別の有彩色を示すときの前記第１画素および前記第２画素のそれぞれの前記第２サブ画素の輝度は、入力信号に示された前記第１画素および前記第２画素のそれぞれが前記ある無彩色を示すときの前記第１画素および前記第２画素のそれぞれの前記第２サブ画素の輝度とは異なる。【００１６】
ある実施形態において、前記液晶表示装置は、前記第１サブ画素、前記第２サブ画素および前記第３サブ画素をそれぞれ規定する第１サブ画素電極、第２サブ画素電極および第３サブ画素電極と、前記第１サブ画素電極、前記第２サブ画素電極および前記第３サブ画素電極のそれぞれに対応して設けられた複数のソース配線とをさらに備える。【００１７】
ある実施形態において、前記第１サブ画素、前記第２サブ画素および前記第３サブ画素のそれぞれは、それぞれが互いに異なる輝度を呈し得る複数の領域を有している。【００１８】
ある実施形態において、前記液晶表示装置は、前記第１サブ画素、前記第２サブ画素および前記第３サブ画素をそれぞれ規定し、それぞれが、前記複数の領域を規定する分離電極を有する、第１サブ画素電極、第２サブ画素電極および第３サブ画素電極と、前記第１サブ画素電極、前記第２サブ画素電極および前記第３サブ画素電極のそれぞれに対応して設けられた複数のソース配線と、前記第１サブ画素電極、前記第２サブ画素電極および前記第３サブ画素電極のそれぞれの前記分離電極に対応して設けられた複数の補助容量配線とをさらに備える。【００１９】
ある実施形態において、前記入力信号または前記入力信号の変換によって得られた信号は、前記複数の画素のそれぞれに含まれる前記複数のサブ画素の階調レベルを示しており、前記入力信号または前記変換によって得られた信号に示された前記第１画素および前記第２画素に含まれる前記第３サブ画素の階調レベルは、前記入力信号に示された前記第１画素および前記第２画素の色相に応じて補正される。【００２０】
ある実施形態において、前記入力信号または前記入力信号の変換によって得られた信号は、前記複数の画素のそれぞれに含まれる前記複数のサブ画素の階調レベルを示しており、前記入力信号または前記変換によって得られた信号に示された前記第１画素および前記第２画素に含まれる前記第３サブ画素の階調レベルは、前記入力信号に示された前記第１画素および前記第２画素の色相、および、前記入力信号に示された前記第１画素および前記第２画素に含まれる前記第３サブ画素の階調レベルの差に応じて補正される。【００２１】
ある実施形態において、入力信号において、前記第１画素および前記第２画素のうちの一方の画素の前記第３サブ画素の階調レベルが第１階調レベルであり、前記第１画素および前記第２画素のうちの他方の画素の前記第３サブ画素の階調レベルが前記第１階調レベルまたは前記第１階調レベルよりも高い第２階調レベルである場合、前記第１画素および前記第２画素に含まれる前記第３サブ画素のそれぞれの輝度は、前記入力信号または前記入力信号の変換によって得られた信号に示された階調レベルに対応する輝度とは異なり、入力信号において、前記一方の画素の前記第３サブ画素の階調レベルが前記第１階調レベルであり、前記他方の画素の前記第３サブ画素の階調レベルが前記第２階調レベルよりも高い第３階調レベルである場合、前記第１画素および前記第２画素に含まれる前記第３サブ画素のそれぞれの輝度は、前記入力信号または前記入力信号の変換によって得られた信号に示された階調レベルに対応する輝度と略等しい。【００２２】
本発明による液晶表示装置は、第１サブ画素、第２サブ画素および第３サブ画素を含む複数のサブ画素を有する画素を備える液晶表示装置であって、前記第１サブ画素、前記第２サブ画素および前記第３サブ画素のそれぞれは、互いに異なる輝度を呈し得る第１領域および第２領域を含む複数の領域を有しており、入力信号に示された前記画素がある有彩色を示す場合、前記第３サブ画素の前記第１領域および前記第２領域のうちの少なくとも一方が点灯し、前記第１サブ画素の第１領域および第２領域ならびに前記第２サブ画素の前記第１領域および前記第２領域のうちの少なくとも１つの領域が点灯し、入力信号に示された前記画素が前記ある有彩色を示すときの前記第３サブ画素の前記第１領域の輝度と前記第３サブ画素の前記第２領域の輝度の平均が、入力信号に示された前記画素がある無彩色を示すときの前記第３サブ画素の前記第１領域の輝度と前記第３サブ画素の前記第２領域の輝度との平均と等しい場合、入力信号に示された前記画素が前記ある有彩色を示すときの前記第３サブ画素の前記第１領域および前記第２領域のそれぞれの輝度は、入力信号に示された前記画素が前記ある無彩色を示すときの前記第３サブ画素の前記第１領域および前記第２領域の輝度とは異なる。【００２３】
ある実施形態において、前記第１サブ画素は赤サブ画素であり、前記第２サブ画素は緑サブ画素であり、前記第３サブ画素は青サブ画素である。【００２４】
ある実施形態において、前記液晶表示装置は、前記第１サブ画素、前記第２サブ画素および前記第３サブ画素をそれぞれ規定し、前記第１領域および前記第２領域に対応する第１分離電極および第２分離電極を有する、第１サブ画素電極、第２サブ画素電極および第３サブ画素電極と、前記第１サブ画素電極、前記第２サブ画素電極および前記第３サブ画素電極のそれぞれの前記第１分離電極および前記第２分離電極のそれぞれに対応して設けられた複数のソース配線とをさらに備える。【００２５】
ある実施形態において、前記液晶表示装置は、前記第１サブ画素、前記第２サブ画素および前記第３サブ画素をそれぞれ規定し、それぞれが、前記第１領域および前記第２領域に対応する第１分離電極および第２分離電極を有する第１サブ画素電極、第２サブ画素電極および第３サブ画素電極と、前記第１サブ画素電極、前記第２サブ画素電極および前記第３サブ画素電極のそれぞれに対応して設けられた複数のソース配線と、前記第１サブ画素電極、前記第２サブ画素電極および前記第３サブ画素電極のそれぞれの前記第１分離電極と、前記第１サブ画素電極、前記第２サブ画素電極および前記第３サブ画素電極のそれぞれの前記第２分離電極とに対応して設けられた複数のゲート配線とをさらに備える。【００２６】
本発明による液晶表示装置は、複数の行および複数の列のマトリクス状に配列された複数の画素を備える液晶表示装置であって、前記複数の画素は、行方向または列方向に順番に配列された第１画素、第２画素、第３画素および第４画素を含んでおり、前記複数の画素のそれぞれは、第１サブ画素、第２サブ画素および第３サブ画素を含む複数のサブ画素を有しており、入力信号に示された前記第１画素および前記第３画素のそれぞれがある有彩色を示す場合、前記第１画素および前記第３画素のうちの少なくとも一方の前記第３サブ画素が点灯し、前記第１画素の前記第１サブ画素および前記第２サブ画素ならびに前記第３画素の前記第１サブ画素および前記第２サブ画素のうちの少なくとも１つのサブ画素が点灯し、入力信号に示された前記第１画素および前記第３画素のそれぞれが前記ある有彩色を示すときの前記第１画素の前記第３サブ画素の輝度と前記第３画素の前記第３サブ画素の輝度との平均が、入力信号に示された前記第１画素および前記第３画素のそれぞれがある無彩色を示すときの前記第１画素の前記第３サブ画素の輝度と前記第３画素の前記第３サブ画素の輝度との平均とほぼ等しい場合、入力信号に示された前記第１画素および前記第３画素のそれぞれが前記ある有彩色を示すときの前記第１画素および前記第３画素のそれぞれの前記第３サブ画素の輝度は、入力信号に示された前記第１画素および前記第３画素のそれぞれが前記ある無彩色を示すときの前記第１画素および前記第３画素のそれぞれの前記第３サブ画素の輝度とは異なる。【００２７】
ある実施形態において、前記第２画素および前記第４画素のそれぞれの前記第３サブ画素の輝度は、前記入力信号または前記入力信号の変換によって得られた信号に示された階調レベルに対応する輝度と略等しい。
【発明の効果】
【００２８】
本発明によれば、斜め方向からの視野角特性を改善するとともにカラーシフトを抑制する液晶表示装置を提供できる。
【図面の簡単な説明】
【００２９】
【図１】（ａ）は本発明による液晶表示装置の第１実施形態を示す模式図であり、（ｂ）は（ａ）に示した液晶表示装置における液晶表示パネルを示す模式図である。
【図２】（ａ）は図１に示した液晶表示装置において各画素の構成を示す模式図であり、（ｂ）は液晶表示パネルのアクティブマトリクス基板を示す回路図である。
【図３】図１に示した液晶表示装置における液晶表示パネルの色度図である。
【図４】（ａ）〜（ｃ）は図１に示した液晶表示装置を概略的に説明するための模式図である。
【図５】（ａ）および（ｂ）は比較例１の液晶表示装置における液晶表示パネルを示す模式図であり、（ｃ）は比較例１の液晶表示装置において基準階調レベルに対する斜め階調の変化を示すグラフである。
【図６】（ａ）および（ｂ）は比較例２の液晶表示装置における液晶表示パネルを示す模式図であり、（ｃ）は比較例２の液晶表示装置において基準階調レベルに対する斜め階調の変化を示すグラフである。
【図７】（ａ）および（ｂ）は図１に示した液晶表示装置における液晶表示パネルを示す模式図であり、（ｃ）は図１に示した液晶表示装置において基準階調レベルに対する斜め階調の変化を示すグラフである。
【図８】図１に示した液晶表示装置における青補正部の構成を示す模式図である。
【図９】（ａ）は階調差レベルを示すグラフであり、（ｂ）は液晶表示パネルに入力される階調レベルを示すグラフである。
【図１０】（ａ）は図１に示した液晶表示装置における液晶表示パネルの色相を示す模式図であり、（ｂ）はある場合の青サブ画素の階調レベルの変化を示すグラフであり、（ｃ）は別の場合の青サブ画素の階調レベルの変化を示すグラフである。
【図１１】（ａ）は色相係数Ｈｂ＝１の場合の補正された階調レベルを示すグラフであり、（ｂ）は（ａ）に示した場合の斜め階調の変化を示すグラフであり、（ｃ）は色相係数Ｈｂ＝０．５の場合の補正された階調レベルを示すグラフであり、（ｄ）は（ｃ）に示した場合の斜め階調の変化を示すグラフである。
【図１２】図１に示した液晶表示装置において基準階調レベルに対する斜め階調の変化を示すグラフである。
【図１３】（ａ）は図１に示した液晶表示装置において青サブ画素の階調レベルの補正を行う場合の液晶表示パネルの色相を示す模式図であり、（ｂ）は色相係数Ｈｂ＝０の場合の青サブ画素の階調レベルの変化を示すグラフであり、（ｃ）は色相係数Ｈｂ＝１の場合の青サブ画素の階調レベルの変化を示すグラフである。
【図１４】（ａ）は図１に示した液晶表示装置において赤サブ画素の階調レベルの補正を行う場合の液晶表示パネルの色相を示す模式図であり、（ｂ）は色相係数Ｈｒ＝０の場合の赤サブ画素の階調レベルの変化を示すグラフであり、（ｃ）は色相係数Ｈｒ＝１の場合の赤サブ画素の階調レベルの変化を示すグラフである。
【図１５】（ａ）は図１に示した液晶表示装置において赤および青サブ画素の階調レベルの補正を行う場合の液晶表示パネルの色相を示す模式図であり、（ｂ）は色相係数Ｈｒ＝０、Ｈｂ＝０の場合の赤および青サブ画素の階調レベルの変化を示すグラフであり、（ｃ）は色相係数Ｈｒ＝０、Ｈｂ＝１の場合の赤および青サブ画素の階調レベルの変化を示すグラフであり、（ｄ）は色相係数Ｈｒ＝１、Ｈｂ＝０の場合の赤および青サブ画素の階調レベルの変化を示すグラフであり、（ｅ）は色相係数Ｈｒ＝１、Ｈｂ＝１の場合の赤および青サブ画素の階調レベルの変化を示すグラフである。
【図１６】図１に示した液晶表示装置において、隣接する画素に属する青サブ画素の階調レベルが異なる場合の輝度レベルの変化を示す模式図である。
【図１７】（ａ）は比較例１の液晶表示装置の模式図であり、（ｂ）および（ｃ）は本実施形態の液晶表示装置の模式図である。
【図１８】第１実施形態の変形例の液晶表示装置における青補正部の構成を示す模式図である。
【図１９】第１実施形態の変形例の液晶表示装置を示す模式図であり、（ａ）は赤補正部を有する補正部を備える液晶表示装置の模式図であり、（ｂ）は緑補正部を有する補正部を備える液晶表示装置の模式図であり、（ｃ）は青補正部を有する補正部を備える液晶表示装置の模式図である。
【図２０】（ａ）〜（ｃ）は、図１に示した液晶表示装置の液晶表示パネルの模式図である。
【図２１】図１に示した液晶表示装置の液晶表示パネルの断面構造を模式的に示す部分断面図である。
【図２２】図１に示した液晶表示装置の液晶表示パネルの１つのサブ画素に対応する領域を模式的に示す平面図である。
【図２３】（ａ）および（ｂ）は、図１に示した液晶表示装置の液晶表示パネルの１つのサブ画素に対応する領域を模式的に示す平面図である。
【図２４】図１に示した液晶表示装置の液晶表示パネルの１つのサブ画素に対応する領域を模式的に示す平面図である。
【図２５】図１に示した液晶表示装置の液晶表示パネルにおける各サブ画素の主波長を説明するためのＸＹＺ表色系色度図である。
【図２６】（ａ）は第１実施形態の変形例の液晶表示装置における青補正部の構成を示す模式図であり、（ｂ）は階調調整部の構成を示す模式図である。
【図２７】第１実施形態の変形例の液晶表示装置を示す模式図であり、（ａ）は独立ガンマ補正処理部を補正部の後段に設けた構成を示す模式図であり、（ｂ）は独立ガンマ補正処理部を補正部の前段に設けた構成を示す模式図である。
【図２８】本発明による液晶表示装置の第２実施形態を説明するための模式図である。
【図２９】（ａ）は図２８に示した液晶表示装置において各画素の構成を示す模式図であり、（ｂ）は液晶表示パネルのアクティブマトリクス基板を示す回路図である。
【図３０】（ａ）は、無彩色を表示する場合の図２８に示した液晶表示装置における液晶表示パネルを示す模式図であり、（ｂ）はある有彩色を表示する場合の図２８に示した液晶表示装置における液晶表示パネルを示す模式図である。
【図３１】本発明による液晶表示装置の第３実施形態を説明するための模式図である。
【図３２】（ａ）は図３１に示した液晶表示装置において各画素の構成を示す模式図であり、（ｂ）は液晶表示パネルのアクティブマトリクス基板を示す回路図である。
【図３３】（ａ）は、無彩色を表示する場合の図３１に示した液晶表示装置における液晶表示パネルを示す模式図であり、（ｂ）はある有彩色を表示する場合の図３１に示した液晶表示装置における液晶表示パネルを示す模式図である。
【図３４】図３１に示した液晶表示装置における青補正部の構成を示す模式図である。
【図３５】本発明による液晶表示装置の第３実施形態の変形例を説明するための模式図である。
【図３６】（ａ）は本発明による液晶表示装置の第４実施形態を示す模式図であり、（ｂ）は液晶表示パネルの等価回路図である。
【図３７】図３６に示した液晶表示装置の極性および明暗を示す模式図である。
【図３８】（ａ）は比較例３の液晶表示装置を示す模式図であり、（ｂ）は比較例３の液晶表示装置における青サブ画素のみを示す模式図である。
【図３９】（ａ）は色相係数Ｈｂがゼロの場合の図３６に示した液晶表示装置の青サブ画素を示す模式図であり、（ｂ）は青補正部による輝度の変化および極性を示す模式図であり、（ｃ）は色相係数Ｈｂが１の場合に輝度の補正の行われた青サブ画素を示す模式図である。
【図４０】（ａ）は色相係数Ｈｂがゼロの場合の図３６に示した液晶表示装置の青サブ画素を示す模式図であり、（ｂ）は青補正部による輝度の変化および極性を示す模式図であり、（ｃ）は色相係数Ｈｂが１の場合に輝度の補正の行われた青サブ画素を示す模式図である。
【図４１】（ａ）は色相係数Ｈｂがゼロの場合の図３６に示した液晶表示装置の青サブ画素を示す模式図であり、（ｂ）は青補正部による輝度の変化および極性を示す模式図であり、（ｃ）は色相係数Ｈｂが１の場合に輝度の補正の行われた青サブ画素を示す模式図である。
【図４２】（ａ）は図４１に示した補正を行うのに適した液晶表示装置における液晶表示パネルを示す模式図であり、（ｂ）は青補正部の構成を示す模式図である。
【図４３】本発明による第４実施形態の変形例の液晶表示装置における青補正部の構成を示す模式図である。
【図４４】（ａ）は本発明による液晶表示装置の第５実施形態を示す模式図であり、（ｂ）は液晶表示パネルを示す模式図である。
【図４５】（ａ）は図４４に示した青補正部を示す模式図であり、（ｂ）は階調調整部を示す模式図である。
【図４６】本発明による第５実施形態の変形例の液晶表示装置における青補正部の構成を示す模式図である。
【図４７】本発明による液晶表示装置の第６実施形態の模式図である。
【図４８】（ａ）は図４７に示した液晶表示装置における多原色表示パネルのサブ画素配列を示す模式図であり、（ｂ）は輝度の調整を行う青サブ画素および明青サブ画素の位置関係を示す模式図である。
【図４９】図４７に示した液晶表示装置における青補正部の構成を示す模式図である。
【図５０】（ａ）は第６実施形態の変形例の液晶表示装置における多原色表示パネルのサブ画素配列を示す模式図であり、（ｂ）は輝度の調整を行う青サブ画素および明青サブ画素の位置関係を示す模式図である。
【図５１】（ａ）は第６実施形態の変形例の液晶表示装置における多原色表示パネルのサブ画素配列を示す模式図であり、（ｂ）は輝度の調整を行う青サブ画素および明青サブ画素の位置関係を示す模式図である。
【図５２】（ａ）は第６実施形態の変形例の液晶表示装置における多原色表示パネルのサブ画素配列を示す模式図であり、（ｂ）は輝度の調整を行う青サブ画素および明青サブ画素の位置関係を示す模式図である。
【発明を実施するための形態】
【００３０】
以下、図面を参照して、本発明による液晶表示装置の実施形態を説明する。ただし、本発明は、以下の実施形態に限定されるものではない。
【００３１】
（実施形態１）
以下、本発明による液晶表示装置の第１実施形態を説明する。図１（ａ）に、本実施形態の液晶表示装置１００Ａの模式図を示す。液晶表示装置１００Ａは、液晶表示パネル２００Ａと、補正部３００Ａとを備えている。液晶表示パネル２００Ａは複数の行および複数の列のマトリクス状に配列された複数の画素を含んでいる。ここでは、液晶表示パネル２００Ａにおいて画素は赤、緑および青サブ画素を有している。本明細書の以下の説明において、液晶表示装置を単に「表示装置」と呼ぶことがある。
【００３２】
補正部３００Ａは必要に応じて入力信号に示された赤、緑および青サブ画素のうちの少なくとも１つの階調レベルまたは対応する輝度レベルの補正を行う。ここでは、補正部３００Ａは、赤補正部３００ｒ、緑補正部３００ｇおよび青補正部３００ｂを有している。
【００３３】
例えば、赤補正部３００ｒは、入力信号に示された赤、緑および青サブ画素の階調レベルｒ、ｇ、ｂに基づいて入力信号に示された赤サブ画素の階調レベルｒを階調レベルｒ’に補正する。また、緑補正部３００ｇは、入力信号に示された赤、緑および青サブ画素の階調レベルｒ、ｇ、ｂに基づいて入力信号に示された緑サブ画素の階調レベルｇを階調レベルｇ’に補正する。同様に、青補正部３００ｂは、入力信号に示された赤、緑および青サブ画素の階調レベルｒ、ｇ、ｂに基づいて入力信号に示された青サブ画素の階調レベルｂを階調レベルｂ’に補正する。なお、補正部３００Ａから出力される階調レベルｒ’、ｇ’およびｂ’のうちの少なくとも１つが、補正部３００Ａに入力された入力信号に示された階調レベルｒ、ｇ、ｂと等しいこともある。
【００３４】
入力信号は、例えば、ガンマ値２．２のブラウン管（Ｃａｔｈｏｄｅ  Ｒａｙ  Ｔｕｂｅ：ＣＲＴ）に対応可能な信号であり、ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）規格に準拠している。一般に、入力信号に示された階調レベルｒ、ｇ、ｂは８ビットで表記される。あるいは、この入力信号は、赤、緑および青サブ画素の階調レベルｒ、ｇおよびｂに変換可能な値を有しており、この値は３次元で表される。図１（ａ）では、入力信号の階調レベルｒ、ｇ、ｂをまとめてｒｇｂと示している。なお、入力信号がＢＴ．７０９規格に準拠している場合、入力信号に示された階調レベルｒ、ｇおよびｂは、それぞれ最低階調レベル（例えば、階調レベル０）から最高階調レベル（例えば、階調レベル２５５）までの範囲内にあり、赤、緑および青サブ画素の輝度は「０」から「１」の範囲内にある。入力信号は例えば、ＹＣｒＣｂ信号である。入力信号に示された階調レベルｒｇｂは補正部３００Ａを介して入力された液晶表示パネル２００Ａにおいて輝度レベルに変換され、輝度レベルに応じた電圧が液晶表示パネル２００Ａの液晶層２６０（図１（ｂ））に印加される。
【００３５】
３原色の液晶表示装置において赤、緑および青サブ画素の階調レベルまたは輝度レベルがゼロの場合に画素は黒を表示し、赤、緑および青サブ画素の階調レベルまたは輝度レベルが１の場合に画素は白を表示する。また、後述するように、液晶表示装置では、独立ガンマ補正処理が行われてもよいが、独立ガンマ補正処理が行われない液晶表示装置では、ＴＶセットで所望の色温度に調整した後の赤、緑および青サブ画素の最高輝度を「１」とした時、無彩色を表示する場合、赤、緑および青サブ画素の階調レベルまたは輝度レベルの最高輝度の比は互いに等しい。このため、画素によって表示される色が黒から無彩色を維持したまま白に変化する場合、赤、緑および青サブ画素の階調レベルまたは輝度レベルの最高輝度の比は互いに等しいまま増加する。なお、以下の説明では、液晶表示パネルにおける各サブ画素の輝度が最低階調レベルに対応する最低輝度である場合、各サブ画素は非点灯であるともいい、各サブ画素の輝度が最低輝度よりも高い輝度である場合、各サブ画素は点灯しているともいう。
【００３６】
図１（ｂ）に、液晶表示パネル２００Ａの模式図を示す。液晶表示パネル２００Ａは、絶縁基板２２２上に設けられた画素電極２２４および配向膜２２６を有するアクティブマトリクス基板２２０と、絶縁基板２４２上に設けられた対向電極２４４および配向膜２４６を有する対向基板２４０と、アクティブマトリクス基板２２０と対向基板２４０との間に設けられた液晶層２６０とを備えている。アクティブマトリクス基板２２０および対向基板２４０には図示しない偏光板が設けられており、偏光板の透過軸はクロスニコルの関係を有している。また、アクティブマトリクス基板２２０には図示しない配線および絶縁層等が設けられており、対向基板２４０には図示しないカラーフィルタ層等が設けられている。液晶層２６０の厚さはほぼ一定である。液晶表示パネル２００Ａには、複数の画素が複数の行および複数の列のマトリクス状に配列されている。画素は画素電極２２４によって規定されており、赤、緑および青サブ画素は画素電極２２４の分割されたサブ画素電極によって規定される。
【００３７】
液晶表示パネル２００Ａは、例えばＶＡモードで動作する。配向膜２２６、２４６は垂直配向膜である。液晶層２６０は垂直配向型の液晶層である。ここで、「垂直配向型液晶層」とは、垂直配向膜２２６、２４６の表面に対して、液晶分子軸（「軸方位」ともいう。）が約８５°以上の角度で配向した液晶層をいう。液晶層２６０は負の誘電異方性を有するネマチック液晶材料を含んでおり、クロスニコル配置された偏光板と組み合わせて、ノーマリーブラックモードで表示が行われる。液晶層２６０に電圧が印加されない場合、液晶層２６０の液晶分子２６２は配向膜２２６、２４６の主面の法線方向とほぼ平行に配向する。液晶層２６０に所定の電圧よりも高い電圧が印加される場合、液晶層２６０の液晶分子２６２は配向膜２２６、２４６の主面とほぼ平行に配向する。また、液晶層２６０に高い電圧が印加される場合、液晶分子２６２はサブ画素内またはサブ画素の特定の領域内で対称的に配向し、これにより、視野角特性の改善が図られる。なお、ここでは、アクティブマトリクス基板２２０および対向基板２４０は配向膜２２６、２４６をそれぞれ有していたが、アクティブマトリクス基板２２０および対向基板２４０の少なくとも一方が対応する配向膜２２６、２４６を有していてもよい。ただし、配向の安定性の観点から、アクティブマトリクス基板２２０および対向基板２４０の両方が配向膜２２６、２４６をそれぞれ有していることが好ましい。
【００３８】
図２（ａ）に、液晶表示パネル２００Ａに設けられた画素および画素に含まれるサブ画素の配列を示す。図２（ａ）には、例示として、３行３列の画素を示している。各画素には、３つのサブ画素、すなわち、赤サブ画素Ｒ、緑サブ画素Ｇ、青サブ画素Ｂが行方向に沿って配列されている。各サブ画素の輝度は独立に制御可能である。なお、液晶表示パネル２００Ａのカラーフィルタの配列は図２（ａ）に示した構成に対応している。
【００３９】
以下の説明において、便宜上、最低階調レベル（例えば、階調レベル０）に対応するサブ画素の輝度レベルを「０」と表し、最高階調レベル（例えば、階調レベル２５５）に対応するサブ画素の輝度レベルを「１」と表す。輝度レベルが等しくても、赤、緑および青サブ画素の実際の輝度は異なり、輝度レベルは、各サブ画素の最高輝度に対する比を示している。例えば、入力信号において画素が黒を示す場合、入力信号に示された階調レベルｒ、ｇ、ｂのすべてが最低階調レベル（例えば、階調レベル０）であり、また、入力信号において画素が白を示す場合、階調レベルｒ、ｇ、ｂのすべてが最高階調レベル（例えば、階調レベル２５５）である。また、以下の説明において、階調レベルを最高階調レベルで規格化し、階調レベルを「０」から「１」の範囲で示すこともある。
【００４０】
図２（ｂ）に、液晶表示装置１００Ａにおける１つの画素の等価回路図を示す。青サブ画素Ｂに対応するサブ画素電極２２４ｂにはＴＦＴ２３０が接続されている。ＴＦＴ２３０のゲ−ト電極はゲート配線Ｇａｔｅに接続され、ソース電極はソース配線Ｓｂに接続されている。同様に、赤サブ画素Ｒおよび緑サブ画素Ｇも同様の構成を有している。
【００４１】
図３に、液晶表示パネル２００Ａの色度図を示す。例えば、赤サブ画素の階調レベルが最高階調レベルであり、緑および青サブ画素の階調レベルが最低階調レベルである場合、液晶表示パネル２００Ａは図３におけるＲの色度を示す。また、緑サブ画素の階調レベルが最高階調レベルであり、赤および青サブ画素の階調レベルが最低階調レベルである場合、液晶表示パネル２００Ａは図３におけるＧの色度を示す。同様に、青サブ画素の階調レベルが最高階調レベルであり、赤および緑サブ画素の階調レベルが最低階調レベルである場合、液晶表示パネル２００Ａは図３におけるＢの色度を示す。液晶表示装置１００Ａの色再現範囲は図３におけるＲ、ＧおよびＢを頂点とする三角形で示される。
【００４２】
以下、図１および図４を参照して、本実施形態の液晶表示装置１００Ａを概略的に説明する。なお、ここでは、説明を簡略化する目的で、入力信号において全ての画素が同じ色を示すものとする。また、入力信号における各サブ画素の階調レベルをｒ、ｇ、ｂと示し、それぞれを基準階調レベルと呼ぶことがある。
【００４３】
図４（ａ）、図４（ｂ）および図４（ｃ）に、液晶表示装置１００Ａにおける液晶表示パネル２００Ａを示す。図４（ａ）では、入力信号において全ての画素は同じ無彩色を示し、図４（ｂ）および図４（ｃ）では、入力信号において全ての画素は同じ有彩色を示す。
【００４４】
なお、図４（ａ）、図４（ｂ）および図４（ｃ）のそれぞれにおいて、行方向に隣接する２つの画素に着目し、その一方の画素をＰ１と示し、画素Ｐ１に属する赤、緑および青サブ画素をそれぞれＲ１、Ｇ１およびＢ１と示す。また、他方の画素をＰ２と示し、画素Ｐ２に属する赤、緑および青サブ画素をそれぞれＲ２、Ｇ２およびＢ２と示す。
【００４５】
まず、図４（ａ）を参照して、入力信号に示された色が無彩色である場合の液晶表示パネル２００Ａを説明する。なお、入力信号に示された色が無彩色である場合、赤、緑および青サブ画素の階調レベルは互いに等しい。
【００４６】
図１（ａ）に示した赤補正部３００ｒ、緑補正部３００ｇ、および、青補正部３００ｂが補正を行うことにより、液晶表示パネル２００Ａにおいて、隣接する２つの画素のうち一方の画素Ｐ１に属する赤、緑および青サブ画素Ｒ１、Ｇ１、Ｂ１の輝度は、他方の画素Ｐ２に属する赤、緑および青サブ画素Ｒ２、Ｇ２、Ｂ２の輝度とは異なる。なお、図４（ａ）では、行方向に沿って隣接するサブ画素に着目すると、明暗は反転しており、さらに列方向に沿って隣接するサブ画素に着目すると、明暗は反転している。また、行方向に沿って隣接する画素に属するサブ画素（例えば、赤サブ画素）に着目すると、明暗は反転しており、さらに列方向に沿って隣接する画素に属するサブ画素（例えば、赤サブ画素）の明暗も反転している。
【００４７】
赤補正部３００ｒは、隣接する２つの画素に属する赤サブ画素を１単位として赤サブ画素の輝度の調整を行う。このため、入力信号において隣接する２つの画素に属する赤サブ画素の階調レベルが等しい場合であっても、液晶表示パネル２００Ａにおいて当該２つの赤サブ画素の輝度が異なるように階調レベルの補正が行われる。この補正により、隣接する２つの画素に属する赤サブ画素のうちの一方の赤サブ画素の輝度はシフト量ΔＳαだけ増加し、他方の赤サブ画素の輝度はシフト量ΔＳβだけ減少する。したがって、隣接する画素に属する赤サブ画素の輝度は互いに異なる。同様に、緑補正部３００ｇは、隣接する２つの画素に属する緑サブ画素を１単位として緑サブ画素の輝度の調整を行い、また、青補正部３００ｂは、隣接する２つの画素に属する青サブ画素を１単位として青サブ画素の輝度の調整を行う。
【００４８】
なお、隣接する２つの画素に属するサブ画素のうち、高輝度のサブ画素を明サブ画素と呼び、低輝度のサブ画素を暗サブ画素と呼ぶ。明サブ画素の輝度は基準階調レベルに対応する輝度よりも高く、暗サブ画素の輝度は基準階調レベルに対応する輝度よりも低い。また、隣接する２つの画素に属する赤、緑および青サブ画素のうち、高輝度のサブ画素を明赤サブ画素、明緑サブ画素および明青サブ画素とそれぞれ呼び、低輝度のサブ画素を暗赤サブ画素、暗緑サブ画素および暗青サブ画素と呼ぶ。例えば、画素Ｐ１に属する赤サブ画素Ｒ１および青サブ画素Ｂ１は明サブ画素であり、画素Ｐ１に属する緑サブ画素Ｇ１は暗サブ画素である。また、画素Ｐ２に属する赤サブ画素Ｒ２および青サブ画素Ｂ２は暗サブ画素であり、画素Ｐ２に属する緑サブ画素Ｇ２は明サブ画素である。
【００４９】
また、例えば、正面方向から見た場合、赤、緑および青サブ画素のそれぞれについて、明サブ画素の輝度と基準階調レベルに対応する輝度との差は、基準階調レベルに対応する輝度と暗サブ画素の輝度との差と略等しく、理想的には、シフト量ΔＳαはシフト量ΔＳβと等しい。このため、液晶表示パネル２００Ａにおける隣接する２つの画素に属するサブ画素の輝度の正面方向の平均は、入力信号に示された隣接する２つのサブ画素の階調レベルに対応する輝度の平均と略等しい。ここでは、赤補正部３００ｒ、緑補正部３００ｇおよび青補正部３００ｂは、行方向に隣接する２つの画素に属するサブ画素の階調レベルに対して補正を行っている。
【００５０】
このように赤補正部３００ｒ、緑補正部３００ｇおよび青補正部３００ｂが補正を行う場合、隣接する２つの画素のサブ画素は異なる階調−輝度特性（すなわち、ガンマ特性）を有することになり、斜め方向からの視野角特性が改善される。この場合、厳密にみると、隣接する２つの画素によって表示される色は異なるが、液晶表示パネル２００Ａの解像度が十分に高ければ、人間の眼には、隣接する２つの画素によって表示される色の平均の色が認識される。
【００５１】
例えば、入力信号に示される赤、緑および青サブ画素の階調レベル（ｒ，ｇ，ｂ）が（１００，１００，１００）である場合、液晶表示装置１００Ａでは、各サブ画素の階調レベルの補正が行われ、各サブ画素の階調レベルは階調レベル１３７（＝（２×（１００／２５５）2.2）1/2.2×２５５）または０となる。このため、液晶表示パネル２００Ａにおいて、画素Ｐ１に属する赤、緑および青サブ画素Ｒ１、Ｇ１、Ｂ１は、階調レベル（１３７，０，１３７）に相当する輝度を呈し、画素Ｐ２に属する赤、緑および青サブ画素Ｒ２、Ｇ２、Ｂ２は、階調レベル（０，１３７，０）に相当する輝度を呈する。
【００５２】
次に、図４（ｂ）を参照して、入力信号が有彩色を示す場合の液晶表示パネル２００Ａを説明する。ここでは、入力信号に示される青サブ画素の階調レベルは入力信号に示される赤および緑サブ画素の階調レベルよりも高い。
【００５３】
例えば、入力信号に示される赤、緑および青サブ画素の階調レベルが（５０，５０，１００）である場合、液晶表示装置１００Ａでは、赤および緑サブ画素の階調レベルの補正が行われ、赤および緑サブ画素の階調レベルは階調レベル６９（＝（２×（５０／２５５）2.2）1/2.2×２５５）または０となる。このため、明赤サブ画素および明緑サブ画素は点灯するものの、暗赤サブ画素および暗緑サブ画素は非点灯である。一方、青サブ画素の階調レベルの補正は赤および緑サブ画素とは異なるように行われる。具体的には、入力信号に示された青サブ画素の階調レベル１００は、階調レベル１２１または７４に補正される。なお、２×（１００／２５５）2.2＝（１２１／２５５）2.2＋（７４／２５５）2.2である。このため、明青サブ画素および暗青サブ画素はいずれも点灯する。以上から、液晶表示パネル２００Ａにおける画素Ｐ１に属する赤、緑および青サブ画素Ｒ１、Ｇ１、Ｂ１は、階調レベル（６９，０，１２１）に相当する輝度を呈し、画素Ｐ２に属する赤、緑および青サブ画素Ｒ２、Ｇ２、Ｂ２は、階調レベル（０，６９，７４）に相当する輝度を呈する。
【００５４】
液晶表示装置１００Ａでは、入力信号がある有彩色を示す場合の青サブ画素の階調レベルの補正は入力信号が無彩色を示す場合の青サブ画素の階調レベルの補正とは異なる。仮に、入力信号に示される赤、緑および青サブ画素の階調レベルが（５０，５０，１００）である場合に青サブ画素の階調レベルの補正が無彩色の場合と同様に行われたとすると、斜め方向からの色度と正面からの色度との差（色度差）はΔｕ’ｖ’＝０．０４７となる。このように、色度差Δｕ’ｖ’が比較的大きいと、斜め方向からの色は正面からの色とは異なるように見えることになる。これに対して、液晶表示装置１００Ａでは、有彩色の場合の青サブ画素の階調レベルの補正は無彩色の場合とは異なるように行われており、斜め方向からの色度と正面からの色度との差はΔｕ’ｖ’＝０．０２６となる。このように、液晶表示装置１００Ａでは、色度差Δｕ’ｖ’を抑制することができ、カラーシフトを抑制することができる。なお、図４（ｂ）を参照した説明では、入力信号が有彩色を示す場合に青サブ画素の輝度が異なるように補正が行われたが、青サブ画素の輝度は等しくてもよい。
【００５５】
次に、図４（ｃ）を参照して、入力信号に示された色が別の有彩色である場合の液晶表示パネル２００Ａを説明する。例えば、入力信号に示される赤、緑および青サブ画素の階調レベルが（０，０，１００）である場合、液晶表示装置１００Ａでは、赤および緑サブ画素の階調レベルは変化せず、赤および緑サブ画素は、階調レベル０に相当する輝度を呈する。また、液晶表示装置１００Ａでは、青サブ画素の階調レベルの変化は無彩色の場合とは異なるように行われる。具体的には、青サブ画素の階調レベルは変化せず、青サブ画素の階調レベルは入力信号に示された階調レベル１００に相当する輝度を呈する。このため、液晶表示パネル２００Ａにおける画素Ｐ１に属する赤、緑および青サブ画素Ｒ１、Ｇ１、Ｂ１は、階調レベル（０，０，１００）に相当する輝度を呈し、画素Ｐ２に属する赤、緑および青サブ画素Ｒ２、Ｇ２、Ｂ２も、階調レベル（０，０，１００）に相当する輝度を呈する。
【００５６】
以下、比較例１、２の液晶表示装置と比較して本実施形態の液晶表示装置１００Ａの利点を説明する。なお、ここでは、説明が過度に複雑になることを避ける目的で、入力信号において全ての画素が同じ色を示すものとする。
【００５７】
まず、図５を参照して、比較例１の液晶表示装置を説明する。比較例１の液晶表示装置では、入力信号に示された各サブ画素の階調レベルにかかわらず階調レベルは変化しない。
【００５８】
図５（ａ）に、入力信号において各画素が無彩色を示す場合の比較例１の液晶表示装置における液晶表示パネルの模式図を示す。例えば、最高階調レベルを２５５として表記すると、入力信号に示される赤、緑および青サブ画素の階調レベルは（１００，１００，１００）である。
【００５９】
入力信号に示される赤、緑および青サブ画素の階調レベルが（１００，１００，１００）である場合、比較例１の液晶表示装置では、階調レベルは変化しないため、各サブ画素の輝度は階調レベル（１００，１００，１００）に対応する。
【００６０】
また、図５（ｂ）に、入力信号において各画素が同じ有彩色を示す場合の比較例１の液晶表示装置における液晶表示パネルの模式図を示す。例えば、最高階調レベルを２５５として表記すると、入力信号に示される赤、緑および青サブ画素の階調レベルは（５０，５０，１００）である。
【００６１】
また、入力信号における赤、緑および青サブ画素の階調レベルが（５０，５０，１００）である場合、階調レベルは変化しないため、各サブ画素の輝度は階調レベル（５０，５０，１００）に対応する。
【００６２】
図５（ｃ）に、比較例１の液晶表示装置において基準階調レベルに対する正面階調および斜め階調の変化を示す。正面階調および斜め階調は、それぞれの相対輝度を階調表記した相対階調レベルを示している。ここでは、斜め階調は画面の法線方向に対して６０°の角度からみた場合の相対階調レベルである。
【００６３】
正面階調は基準階調レベルに比例して変化するが、斜め階調は基準階調レベルの増加に対して単調増加するものの、低階調において基準階調レベルが増加するほど斜め階調は正面階調よりも比較的高くなり、白浮きが著しい。その後、基準階調レベルが増加するほど、斜め階調と正面階調との差は小さくなり、白浮きの程度が減少する。
【００６４】
図５（ｃ）において、比較例１の液晶表示装置における赤、緑および青サブ画素の階調レベルが１００である場合の斜め階調と正面階調との差をΔＲ１100、ΔＧ１100、ΔＢ１100と示しており、赤および緑サブ画素の基準階調レベルが５０である場合の斜め階調と正面階調との差をΔＲ１50、ΔＧ１50と示している。なお、一般に、無彩色を表示する場合の斜め方向からの色と正面からの色との差が小さくなるように設定されており、このΔＲ１100、ΔＧ１100、ΔＢ１100は互いに略等しい。また、比較例１の液晶表示装置では、ΔＲ１100、ΔＧ１100、ΔＢ１100、ΔＲ１50、ΔＧ１50は比較的大きく、白浮きの程度が大きい。
【００６５】
次に、比較例２の液晶表示装置を説明する。比較例２の液晶表示装置では、入力信号に示された赤、緑および青サブ画素の階調レベルのうち対応するサブ画素の階調レベルに基づいて補正を行うことにより、視野角特性の改善が行われている。
【００６６】
図６（ａ）に、入力信号において各画素が無彩色を示す場合の比較例２の液晶表示装置における液晶表示パネルの模式図を示す。例えば、最高階調レベルを２５５として表記すると、入力信号に示される赤、緑および青サブ画素の階調レベルは（１００，１００，１００）である。
【００６７】
入力信号に示される赤、緑および青サブ画素の階調レベルが（１００，１００，１００）である場合、比較例２の液晶表示装置では、赤、緑および青サブ画素の階調レベルの補正が行われ、各サブ画素は階調レベル１３７（＝（２×（１００／２５５）2.2）1/2.2×２５５）または０に対応する輝度を示す。この場合、比較例２の液晶表示装置における画素Ｐ１に属する赤、緑および青サブ画素Ｒ１、Ｇ１、Ｂ１は、階調レベル（１３７，０，１３７）に相当する輝度を呈し、画素Ｐ２に属する赤、緑および青サブ画素Ｒ２、Ｇ２、Ｂ２は、階調レベル（０，１３７，０）に相当する輝度を呈する。なお、比較例２の液晶表示装置では、行方向および列方向に隣接するサブ画素の明暗は反転しており、斜め方向に隣接する各サブ画素は等しい輝度を示す。また、異なる画素に属する同じ色を呈するサブ画素（例えば、赤サブ画素）に着目すると、行方向および列方向に隣接するサブ画素の明暗は反転しており、斜め方向に隣接するサブ画素は等しい輝度を示す。
【００６８】
また、図６（ｂ）に、入力信号において各画素が同じ有彩色を示す場合の比較例２の液晶表示装置における液晶表示パネルの模式図を示す。例えば、最高階調レベルを２５５として表記すると、入力信号に示される赤、緑および青サブ画素の階調レベルは（５０，５０，１００）である。
【００６９】
入力信号における赤、緑および青サブ画素の階調レベルが（５０，５０，１００）である場合、補正により、赤および緑サブ画素は階調レベル６９（＝（２×（５０／２５５）2.2）1/2.2×２５５）または０に対応する輝度を示し、青サブ画素は階調レベル１３７（＝（２×（１００／２５５）2.2）1/2.2×２５５）または０に対応する輝度を示す。したがって、比較例２の液晶表示装置における画素Ｐ１に属する赤、緑および青サブ画素Ｒ１、Ｇ１、Ｂ１は、階調レベル（６９，０，１３７）に相当する輝度を呈し、画素Ｐ２に属する赤、緑および青サブ画素Ｒ２、Ｇ２、Ｂ２は、階調レベル（０，６９，０）に相当する輝度を呈する。この場合も斜めからみたときの白浮きは抑制されている。
【００７０】
図６（ｃ）に、比較例２の液晶表示装置において基準階調レベルに対する正面階調および斜め階調の変化を示す。また、図６（ｃ）には、参考のために、図５（ｃ）に示した比較例１の液晶表示装置における斜め階調を破線で示している。比較例２の液晶表示装置における斜め階調は比較例１の液晶表示装置における斜め階調と比べて特に低階調から中間階調にわたって低い。このため、比較例２の液晶表示装置における白浮きは比較例１の液晶表示装置と比べて概ね抑制されている。
【００７１】
また、図６（ｃ）には、比較例２の液晶表示装置における赤、緑および青サブ画素の階調レベルが１００である場合、すなわち、赤サブ画素Ｒ１およびＲ２の輝度平均、緑サブ画素Ｇ１およびＧ２の輝度平均、ならびに、青サブ画素Ｂ１およびＢ２の輝度平均のそれぞれが階調レベル１００に相当する場合の斜め階調と正面階調との差をΔＲ２100、ΔＧ２100、ΔＢ２100と示しており、赤および緑サブ画素の基準階調レベルが５０の場合の斜め階調と正面階調との差をΔＲ２50、ΔＧ２50と示している。なお、一般に、無彩色を表示する場合の斜め方向からの色と正面からの色との差が小さくなるように設定されており、ΔＲ２100、ΔＧ２100、ΔＢ２100は互いに略等しい。また、図６（ｃ）には、参考のために、上述したΔＢ１100を示している。図６（ｃ）に示すように、ΔＢ２100はΔＢ１100よりも小さく、白浮きが抑制されていることが理解される。
【００７２】
しかしながら、ΔＢ２100はΔＲ２50、ΔＧ２50よりも小さいため、比較例２の液晶表示装置において、入力信号に示される赤、緑および青サブ画素の階調レベルが（５０，５０，１００）である場合、斜めからの色は正面からの色と比べて若干黄みを帯びてみえる。このように、比較例２の液晶表示装置では、有彩色を表示する際にカラーシフトが大きくなってしまう。
【００７３】
次に、図７を参照して、本実施形態の液晶表示装置１００Ａを説明する。本実施形態の液晶表示装置１００Ａでは、青サブ画素の階調レベルの補正を、青サブ画素の階調レベルだけでなく赤および緑サブ画素の階調レベルに基づいて行う点で比較例２の液晶表示装置とは異なる。
【００７４】
図７（ａ）に、入力信号において各画素が無彩色を示す場合の液晶表示装置１００Ａにおける液晶表示パネル２００Ａの模式図を示す。例えば、最高階調レベルを２５５として表記すると、入力信号に示される赤、緑および青サブ画素の階調レベルは（１００，１００，１００）である。
【００７５】
入力信号に示される赤、緑および青サブ画素の階調レベルが（１００，１００，１００）である場合、液晶表示装置１００Ａでは、補正により、赤、緑および青サブ画素は階調レベル１３７（＝（２×（１００／２５５）2.2）1/2.2×２５５）または０に対応する輝度を示す。したがって、液晶表示装置１００Ａにおける画素Ｐ１に属する赤、緑および青サブ画素Ｒ１、Ｇ１、Ｂ１は、階調レベル（１３７，０，１３７）に相当する輝度を呈し、画素Ｐ２に属する赤、緑および青サブ画素Ｒ２、Ｇ２、Ｂ２は、階調レベル（０，１３７，０）に相当する輝度を呈する。この場合、斜めからみたときの白浮きは抑制されている。
【００７６】
また、図７（ｂ）に、入力信号において各画素が同じ有彩色を示す場合の液晶表示装置１００Ａにおける液晶表示パネル２００Ａの模式図を示す。例えば、入力信号に示される赤、緑および青サブ画素の階調レベルは（５０，５０，１００）である。
【００７７】
入力信号における赤、緑および青サブ画素の階調レベルが（５０，５０，１００）である場合、液晶表示装置１００Ａでは、赤および緑サブ画素の階調レベルの補正が行われ、サブ画素の階調レベルは階調レベル６９（＝（２×（５０／２５５）2.2）1/2.2×２５５）または０となる。一方、青サブ画素の階調レベルの補正は赤および緑サブ画素とは異なるように行われる。具体的には、青サブ画素の階調レベル１００は、階調レベル１２１または７４に補正される。なお、２×（１００／２５５）2.2＝（（１２１／２５５）2.2＋（７４／２５５）2.2）である。したがって、液晶表示装置１００Ａにおける画素Ｐ１に属する赤、緑および青サブ画素Ｒ１、Ｇ１、Ｂ１は、階調レベル（６９，０，１２１）に相当する輝度を呈し、画素Ｐ２に属する赤、緑および青サブ画素Ｒ２、Ｇ２、Ｂ２は、階調レベル（０，６９，７４）に相当する輝度を呈する。
【００７８】
図７（ｃ）に、液晶表示装置１００Ａにおいて基準階調レベルに対する斜め階調の変化を示す。また、図７（ｃ）には、参考のために、図５（ｃ）に示した比較例１の液晶表示装置における斜め階調を破線で示し、図６（ｃ）に示した比較例２の液晶表示装置における斜め階調を実線で示す。
【００７９】
本実施形態の液晶表示装置１００Ａでは、図７（ｂ）を参照して上述したように、入力信号における赤、緑および青サブ画素の階調レベルが（５０，５０，１００）である場合、青サブ画素の階調レベルの補正は赤および緑サブ画素とは異なるように行われ、青サブ画素の斜め階調の変化は赤および緑サブ画素とは異なる。図７（ｃ）において、実線で示した赤および緑サブ画素における斜め階調と正面階調との差をそれぞれΔＲＡ50、ΔＧＡ50と示し、点線で示した青サブ画素における斜め階調と正面階調との差をΔＢＡ100と示す。また、図７（ｃ）には、青サブ画素の基準階調レベルが１００の場合の比較例１の液晶表示装置における斜め階調と正面階調との差をΔＢ１100と示し、比較例２の液晶表示装置における斜め階調と正面階調との差をΔＢ２100と示している。
【００８０】
上述したように、比較例２の液晶表示装置では、例えば、入力信号における赤、緑および青サブ画素の階調レベルが（５０，５０，１００）である場合、ΔＢ２100がΔＲ２50、ΔＧ２50よりも小さいため、斜めからの色は正面からの色と比べて黄みを帯びて見える。これに対して、本実施形態の液晶表示装置１００Ａにおける青サブ画素の階調レベル１２１、７４に対応する階調レベル差ΔＢＡ100は、比較例１の液晶表示装置における青サブ画素の階調レベル１００、１００に対応する階調レベル差ΔＢ１100よりも小さく、比較例２の液晶表示装置における青サブ画素の階調レベル１３７、０に対応する階調レベル差ΔＢ２100よりも大きいものであり、階調レベル差ΔＢＡ100は階調レベル差ΔＢ１100やΔＢ２100よりも階調レベル差ΔＲＡ50、ΔＧＡ50に近い。このため、液晶表示装置１００Ａでは、カラーシフトが抑制される。
【００８１】
また、例えば、入力信号における赤、緑および青サブ画素の階調レベルが（１５０，０，５０）である場合、比較例１の液晶表示装置における正面方向および斜め６０°方向のｘ、ｙ、Ｙ値および正面方向との色度差Δｕ’ｖ’を表１に示す。
【００８２】
【表１】
2010073693.tif 000003
【００８３】
例えば、入力信号における赤、緑および青サブ画素の階調レベルが（１５０，０，５０）である場合、本実施形態の液晶表示装置１００Ａでは、階調レベルｂ１’、ｂ２’は階調レベル６９および階調レベル０となる。この場合の正面方向および斜め６０°方向のｘ、ｙ、Ｙ値および正面方向との色度差Δｕ’ｖ’を表２に示す。
【００８４】
【表２】
2010073693.tif 000004
【００８５】
表１との比較から理解されるように、液晶表示装置１００Ａでは、斜め方向のカラーシフトが抑制される。なお、比較例２の液晶表示装置では、階調レベルｂ１’、ｂ２’が階調レベル６９および階調レベル０と補正されるのに加えて、青サブ画素と同様に赤サブ画素の階調レベルの補正が行われ、赤サブ画素の階調レベルｒ１’、ｒ２’は階調レベル２０５（＝（２×（１５０／２５５）2.2）1/2.2×２５５）および階調レベル０となる。この場合の正面方向および斜め６０°方向のｘ、ｙ、Ｙ値および正面方向との色度差Δｕ’ｖ’を表３に示す。
【００８６】
【表３】
2010073693.tif 000005
【００８７】
表１と表２との比較から理解されるように、比較例２の液晶表示装置では、各サブ画素の補正がその階調レベルのみに基づいて行われることにより、本実施形態の液晶表示装置１００Ａと比べて斜め方向のカラーシフトが増大してしまう。以上から、各サブ画素の補正を色相などに基づいて行うことにより、カラーシフトを抑制することができる。
【００８８】
以下、図８および図９を参照して、青補正部３００ｂを説明する。図８に、青補正部３００ｂの模式図を示す。図８において、入力信号に示された階調レベルｒ１、ｇ１、ｂ１は図７（ａ）および図７（ｂ）に示した画素Ｐ１に属する各サブ画素Ｒ１、Ｇ１、Ｂ１に相当するものであり、入力信号に示された階調レベルｒ２、ｇ２、ｂ２は画素Ｐ２に属する各サブ画素Ｒ２、Ｇ２、Ｂ２に相当するものである。なお、階調レベルｒ１、ｒ２の補正を行う赤補正部３００ｒおよび階調レベルｇ１、ｇ２の補正を行う緑補正部３００ｇは階調レベルｂ１およびｂ２の補正を行う青補正部３００ｂと同様の構成を有しており、ここではその詳細を省略する。
【００８９】
まず、加算部３１０ｂを用いて階調レベルｂ１と階調レベルｂ２の平均が求められる。以下の説明において、階調レベルｂ１およびｂ２の平均を平均階調レベルｂaveと示す。次に、階調差レベル部３２０は、１つの平均階調レベルｂaveに対して２つの階調差レベルΔｂα、Δｂβを与える。階調差レベルΔｂαは明青サブ画素に対応しており、階調差レベルΔｂβは暗青サブ画素に対応している。
【００９０】
このように、階調差レベル部３２０では平均階調レベルｂaveに対応して２つの階調差レベルΔｂα、Δｂβが与えられる。平均階調レベルｂaveおよび階調差レベルΔｂα、Δｂβは、例えば、図９（ａ）に示す所定の関係を有している。平均階調レベルｂaveが低階調から所定の中間階調になるにつれて、階調差レベルΔｂαおよび階調差レベルΔｂβは大きくなり、平均階調レベルｂaveが所定の中間階調から高階調になるにつれて、階調差レベルΔｂαおよび階調差レベルΔｂβは小さくなる。階調差レベル部３２０は、平均階調レベルｂaveに対して、ルックアップテーブルを参照して階調差レベルΔｂα、Δｂβを決定してもよい。あるいは、階調差レベル部３２０は、所定の演算により、平均階調レベルｂaveに基づいて階調差レベルΔｂα、Δｂβを決定してもよい。
【００９１】
次に、階調輝度変換部３３０は、階調差レベルΔｂαを輝度差レベルΔＹbαに変換し、階調差レベルΔｂβを輝度差レベルΔＹbβに変換する。輝度差レベルΔＹbα、ΔＹbβが大きくなるほどシフト量ΔＳα、ΔＳβは大きくなる。なお、理想的には、シフト量ΔＳαはΔＳβと等しい。このため、階調差レベル部３２０において階調差レベルΔｂαおよびΔｂβの一方のみが与えられ、それに応じてシフト量ΔＳαおよびΔＳβの一方のみが与えられてもよい。
【００９２】
加算部３１０ｒを用いて階調レベルｒ１と階調レベルｒ２との平均が求められる。また、加算部３１０ｇを用いて階調レベルｇ１と階調レベルｇ２との平均が求められる。以下の説明において、階調レベルｒ１およびｒ２の平均を平均階調レベルｒaveと示し、階調レベルｇ１およびｇ２の平均を平均階調レベルｇaveと示す。
【００９３】
色相判定部３４０は入力信号に示された色の色相を判定する。色相判定部３４０は平均階調レベルｒave、ｇave、ｂaveを利用して色相の判定を行う。例えば、ｒave＞ｂave、ｇave＞ｂaveおよびｂave＝０のいずれかを満たす場合、色相判定部３４０は色相が青ではないと判定する。また、例えばｂave＞０かつｒave＝ｇave＝０を満たす場合、色相判定部３４０は色相が青であると判定する。
【００９４】
例えば、色相判定部３４０は平均階調レベルｒave、ｇave、ｂaveを利用して色相係数Ｈｂを求める。色相係数Ｈｂは色相に応じて変化する関数であり、具体的には、表示される色の青成分が増加するほど減少する関数である。例えば、関数Ｍａｘを複数の変数のうちの最も高いものを示す関数とし、関数Ｓｅｃｏｎｄを複数の変数のうちの二番目に高いものを示す関数とすると、Ｍ＝ＭＡＸ（ｒave，ｇave，ｂave）とし、Ｓ＝Ｓｅｃｏｎｄ（ｒave，ｇave，ｂave）である場合、色相係数Ｈｂは、Ｈｂ＝Ｓ／Ｍ（ｂave≧ｒave、ｂave≧ｒaveかつｂave＞０）と表される。具体的には、ｂave≧ｇave≧ｒaveかつｂave＞０の場合、Ｈｂ＝ｇave／ｂaveである。また、ｂave≧ｒave≧ｇaveかつｂave＞０の場合、Ｈｂ＝ｒave／ｂaveである。なお、ｂave＜ｒave、ｂave＜ｇaveおよびｂave＝０の少なくとも１つを満たす場合、Ｈｂ＝１である。
【００９５】
次に、シフト量ΔＳα、ΔＳβを求める。シフト量ΔＳαはΔＹbαと色相係数Ｈｂとの積によって表され、シフト量ΔＳβはΔＹbβと色相係数Ｈｂとの積によって表される。乗算部３５０は輝度差レベルΔＹbα、ΔＹbβと色相係数Ｈｂとの乗算を行い、これにより、シフト量ΔＳα、ΔＳβが得られる。
【００９６】
また、階調輝度変換部３６０ａが階調レベルｂ１に対して階調輝度変換を行い、輝度レベルＹb1を得る。輝度レベルＹb1は例えば以下の式にしたがって得られる。
Ｙb1＝ｂ１2.2（ここで、０≦ｂ１≦１）
【００９７】
同様に、階調輝度変換部３６０ｂは階調レベルｂ２に対して階調輝度変換を行い、輝度レベルＹb2を得る。
【００９８】
次に、加減算部３７０ａにおいて輝度レベルＹb1とシフト量ΔＳαとを加算し、さらに、輝度階調変換部３８０ａにおいて輝度階調変換を行うことにより、階調レベルｂ１’が得られる。また、加減算部３７０ｂにおいて輝度レベルＹb2からシフト量ΔＳβを減算し、さらに、輝度階調変換部３８０ｂにおいて輝度階調変換を行うことにより、階調レベルｂ２’が得られる。なお、入力信号において画素が中間階調の無彩色を示す場合、一般に、入力信号に示された階調レベルｒ、ｇ、ｂは互いに等しいため、液晶表示パネル２００Ａにおける輝度レベルＹb1’は輝度レベルＹrおよびＹgよりも高く、輝度レベルＹb2’は輝度レベルＹrおよびＹgよりも低い。また、輝度レベルＹb1’と輝度レベルＹb2’との平均は輝度レベルＹrおよびＹgとほぼ等しい。
【００９９】
図９（ｂ）に、入力信号に示された青サブ画素の階調レベルと、液晶表示パネル２００Ａに入力される青サブ画素の階調レベルとの関係を示している。入力信号に示される色は例えば無彩色であり、色相係数Ｈｂは１である。階調差レベル部３２０において階調差レベルΔｂα、Δｂβが与えられることに伴い、階調レベルｂ１’はｂ１＋Δｂ１となり、階調レベルｂ２’はｂ２−Δｂ２となる。以上のように階調レベルｂ１’、ｂ２’により、青サブ画素Ｂ１は輝度レベルＹb1とシフト量ΔＳαとの和に相当する輝度を示し、青サブ画素Ｂ２は輝度レベルＹb2とシフト量ΔＳβとの差に相当する輝度を示す。
【０１００】
このように、色相判定部３４０の判定に基づいて青サブ画素の階調レベルｂ１、ｂ２の変換が行われる。色相判定部３４０において色相が青ではないと判定された場合、青サブ画素の階調レベルｂ１、ｂ２は異なる階調レベルに変換される。この変換は、斜め方向からの相対輝度が正面方向からの相対輝度に近くなるように行われる。これに対して、色相係数Ｈｂが０の場合、階調レベルｂ１’、ｂ２’として入力信号に示された青サブ画素の階調レベルｂ１、ｂ２が出力される。
【０１０１】
このように、色相判定部３４０において色相が青であると判定された場合、青サブ画素の階調レベルｂ１、ｂ２は変換されることなく階調レベルｂ１、ｂ２のまま出力される。この場合、階調レベルｂ１は階調レベルｂ２と等しい。なお、液晶表示パネル２００Ａにおいて階調レベルｂ１’、ｂ２’に対応する正面方向の輝度の平均は階調レベルｂ１、ｂ２に対応する正面方向の輝度の平均とほぼ等しい。
【０１０２】
上述したように、シフト量ΔＳα、ΔＳβは色相係数Ｈｂをパラメータとして含む関数で表され、シフト量ΔＳα、ΔＳβは色相係数Ｈｂの変化に応じて変化する。
【０１０３】
以下、図１０を参照して青補正部３００ｂによる色相係数の変化を説明する。図１０（ａ）は模式的な色相図であり、液晶表示パネル２００Ａの色再現範囲が正三角形で表されている。例えば、入力信号における階調レベルがｒave＝ｇave＝ｂaveの場合、色相係数Ｈｂは１となり、同様に、０＝ｒave＜ｇave＝ｂaveの場合、色相係数Ｈｂは１となる。また、０＝ｒave＝ｇave＜ｂaveの場合、色相係数Ｈｂは０となる。
【０１０４】
図１０（ｂ）に、色相係数Ｈｂ＝１の場合の入力信号における階調レベルｂと補正後の青サブ画素の階調レベルｂ’との関係を示す。ここで、階調レベルｂ１’は２つの隣接する画素のうちの一方の画素の明青サブ画素（例えば、図７（ａ）および図７（ｂ）における画素Ｐ１の青サブ画素Ｂ１）の階調レベルを示し、階調レベルｂ２’は他方の画素の暗青サブ画素（例えば、図７（ａ）および図７（ｂ）における画素Ｐ２の青サブ画素Ｂ２）の階調レベルを示す。
【０１０５】
階調レベルｂが低い場合、階調レベルｂの増加に伴い階調レベルｂ１’が増加するが、階調レベルｂ２’はゼロのままである。階調レベルｂの増加に伴い階調レベルｂ１’が最高階調レベルに達すると、階調レベルｂ２’の増加が開始する。このように、階調レベルｂが最低階調レベルおよび最高階調レベル以外である場合、階調レベルｂ１’は階調レベルｂ２’とは異なる。補正部３００Ａがこのように補正を行うことにより、斜め方向からの視野角特性が改善される。
【０１０６】
図１０（ｃ）に、色相係数Ｈｂ＝０の場合の入力信号における階調レベルｂと補正後の青サブ画素の階調レベルｂ’との関係を示す。入力信号に示される色の色相が図１０（ａ）に示したＷとＢの直線上にある場合、仮に、図１（ａ）に示した青補正部３００ｂが補正を行ったとすると、一方の画素に属する明青サブ画素の輝度が他方の画素に属する暗青サブ画素の輝度と異なることが観察者に認識されることがある。このため、青補正部３００ｂは補正を行わない。この場合、２つの隣接する画素のうちの一方の画素（例えば、図７（ａ）および図７（ｂ）における画素Ｐ１）および他方の画素（例えば、図７（ａ）および図７（ｂ）における画素Ｐ２）の青サブ画素の階調レベルｂ１’、ｂ２’はそれぞれ入力信号に示された階調レベルｂに等しい。
【０１０７】
例えば、赤、緑および青サブ画素の階調レベル（ｒave，ｇave，ｂave）が、最高階調レベルを２５５として表記して（１２８，１２８，１２８）である場合、色相係数Ｈｂが１であるため、シフト量ΔＳα、ΔＳβはΔＹbα、ΔＹbβとなるのに対して、（ｒave，ｇave，ｂave）が（０，０，１２８）である場合、色相係数Ｈｂが０となり、シフト量ΔＳα、ΔＳβは０となる。また、（ｒave，ｇave，ｂave）がこれらの中間の（６４，６４，１２８）である場合、Ｈｂ＝０．５となり、シフト量ΔＳα、ΔＳβは０．５×ΔＹbα、０．５×ΔＹbβであり、Ｈｂが１．０の場合の半分の値になる。このようにシフト量ΔＳα、ΔＳβは入力信号の色相に応じて連続的に変化し、表示特性の突発的な変化が抑制される。このように、青補正部３００ｂは、入力信号に示される色に応じてシフト量を変化させており、結果として、視野角特性の改善とともに解像度の低下が抑制される。なお、図８に示した青補正部３００ｂでは、階調レベル部３２０において平均階調レベルｂaveに対する階調差レベルを求めており、これを利用することにより、色相に応じたシフト量の変更が容易に行われている。なお、図９（ｂ）は色相係数Ｈｂが１の場合の結果を示すグラフであるが、色相係数Ｈｂが０の場合、入力信号に示された階調レベルｂ１（＝ｂ２）と出力される階調レベルｂ１’、ｂ２’がそれぞれ同じ値になる。
【０１０８】
このように、本実施形態の液晶表示装置１００Ａでは、色相係数Ｈｂが変化することにより、カラーシフトが抑制される。なお、色相係数と比較例１、２の液晶表示装置との関係に着目すると、色相係数Ｈｂ＝０は比較例１の液晶表示装置に対応しており、色相係数Ｈｂ＝１は比較例２の液晶表示装置に対応している。
【０１０９】
ここで、図１１を参照して、色相係数Ｈｂに応じた斜め階調の変化を説明する。図１１（ａ）に、色相係数Ｈｂが１である場合の入力信号に示された青サブ画素の階調レベル（基準階調レベル）ｂと補正後の階調レベルｂ１’、ｂ２’との関係を示す。例えば、階調レベルｂが最大輝度の半分に相当する階調レベル１８６（＝０．５1/2.2×２５５）である場合、補正後の階調レベルｂ１’、ｂ２’はそれぞれ階調レベル２５５および階調レベル０である。また、階調レベルｂが１８６を超える場合、階調レベルｂ１’は２５５となり、階調レベルｂ２’は青サブ画素Ｂ１およびＢ２の輝度平均が階調レベルｂに相当するように増加する。図１１（ｂ）に、基準階調レベルに対する斜め階調の変化を示す。図１１（ｂ）において、色相係数Ｈｂ＝１で階調レベルの補正を行った場合の斜め階調を実線で示し、また、参考のために、補正無しの場合（すなわち、色相係数Ｈｂ＝０の場合）の斜め階調を破線で示している。図１１（ｂ）から、色相係数Ｈｂ＝１で階調レベルの補正を行うことにより、白浮きが大きく改善されていることが理解される。なお、図１１（ｂ）は図６（ｃ）に対応している。
【０１１０】
また、図１１（ｃ）に、色相係数Ｈｂが０．５である場合の入力信号に示された青サブ画素の階調レベル（基準階調レベル）ｂと補正後の階調レベルｂ１’、ｂ２’との関係を示す。階調レベルｂの増加とともに階調レベルｂ１’だけでなく階調レベルｂ２’も増加する。ただし、階調レベルｂ１’は階調レベルｂ２’よりも大きい。なお、ここでは、階調レベルｂ１’、ｂ２’は階調レベルｂに対して比例関係を有している。
【０１１１】
色相係数Ｈｂが０．５である場合、階調レベルｂ１’が最大階調レベル２５５に達するときの階調レベルｂは１８６よりも大きい。階調レベルｂ１’が最大階調レベル２５５に達すると、階調レベルｂ２’は、青サブ画素Ｂ１およびＢ２の輝度平均が階調レベルｂと相当するようにさらに大きい割合で増加する。図１１（ｄ）に、基準階調レベルに対する斜め階調の変化を示す。図１１（ｄ）において、色相係数Ｈｂ＝０．５で階調レベルの補正を行った場合の斜め階調を点線で示し、参考のために、補正無しの場合（すなわち、色相係数Ｈｂ＝０の場合）の斜め階調を破線で示している。図１１（ｄ）から、色相係数Ｈｂ＝０．５で階調レベルの補正を行うことにより、白浮きがある程度改善されていることが理解される。なお、図１１（ｄ）は、図７（ｃ）に対応している。ここで、図７（ｃ）、図１１（ｂ）および図１１（ｄ）から理解されるように、色相係数Ｈｂが０から１の範囲で変化することにより、液晶表示装置１００Ａの斜め階調は比較例１の液晶表示装置および比較例２の液晶表示装置の斜め階調の間の任意の値を取り得るといえる。
【０１１２】
なお、上述した説明では、青補正部３００ｂの構成を説明したが、赤補正部３００ｒおよび緑補正部３００ｇも同様の構成を有している。例えば、赤補正部３００ｒにおいて、色相判定部３４０は入力信号に示された色の色相を判定する。色相判定部３４０は平均階調レベルｒave、ｇave、ｂaveを利用して色相係数Ｈｒを求める。色相係数Ｈｒは色相に応じて変化する関数である。色相係数Ｈｒは、Ｈｒ＝Ｓ／Ｍ（ｒave≧ｇave、ｒave≧ｂaveかつｒave＞０）と表される。具体的には、ｒave≧ｇave≧ｂaveかつｒave＞０の場合、Ｈｒ＝ｇave／ｒaveである。また、ｒave≧ｂave≧ｇaveかつｒave＞０の場合、Ｈｒ＝ｂave／ｒaveである。なお、ｒave＜ｇave、ｒave＜ｂaveおよびｒave＝０の少なくとも１つを満たす場合、Ｈｒ＝１である。
【０１１３】
また、緑補正部３００ｇにおいて、色相判定部３４０は入力信号に示された色の色相を判定する。色相判定部３４０は平均階調レベルｒave、ｇave、ｂaveを利用して色相係数Ｈｇを求める。色相係数Ｈｇは色相に応じて変化する関数である。色相係数Ｈｇは、Ｈｇ＝Ｓ／Ｍ（ｇave≧ｒave、ｇave≧ｂaveかつｇave＞０）と表される。具体的には、ｇave≧ｒave≧ｂaveかつｇave＞０の場合、Ｈｇ＝ｒave／ｇaveである。また、ｇave≧ｂave≧ｒaveかつｇave＞０の場合、Ｈｇ＝ｂave／ｇaveである。なお、ｇave＜ｒave、ｇave＜ｂaveおよびｇave＝０の少なくとも１つを満たす場合、Ｈｇ＝１である。
【０１１４】
このように、補正部３００Ａにおいて、赤補正部３００ｒ、緑補正部３００ｇおよび青補正部３００ｂのそれぞれが上述した色相係数Ｈｒ、Ｈｇ、Ｈｂに基づいて補正を行う。入力信号に示された赤、緑および青サブ画素の階調レベルがｒave＝ｇave＝ｂave≠０である場合、赤、緑および青サブ画素のすべての階調レベルに対して補正が行われる。ただし、入力信号に示された赤、緑および青サブ画素の階調レベルがｒave＝ｇave＝ｂave＝０である場合、赤、緑および青サブ画素のすべての階調レベルに対して補正は行われない。また、例えば、入力信号における赤、緑および青サブ画素の階調レベルがｒave＝ｇave＞ｂave≠０である場合、赤、緑および青サブ画素のすべての階調レベルに対して補正が行われ、また、赤、緑および青サブ画素の階調レベルがｒave＝ｇave＞ｂave＝０である場合、赤および緑サブ画素の階調レベルに対して補正が行われる。さらに、例えば、入力信号における赤、緑および青サブ画素の階調レベルが０≠ｒave＝ｇave＜ｂaveである場合も、赤、緑および青サブ画素のすべての階調レベルに対して補正が行われる。一方、入力信号における赤、緑および青サブ画素の階調レベルが０＝ｒave＝ｇave＜ｂaveである場合は、赤、緑および青サブ画素のいずれの階調レベルに対しても補正は行われない。このように、入力信号に示される赤、緑および青サブ画素の階調レベルのうちの少なくとも２つのサブ画素の階調レベルが０でなければ、赤補正部３００ｒ、緑補正部３００ｇおよび青補正部３００ｂの少なくともいずれかは補正を行う。
【０１１５】
例えば、ｒave＞ｇave＝ｂave＞０である場合、色相係数Ｈｒ＝Ｓ／Ｍであり、色相係数Ｈｇ、Ｈｂはそれぞれ１である。具体的には、（ｒave，ｇave，ｂave）＝（１００，５０，５０）である場合、図１２に示すように、色相係数Ｈｒ、Ｈｇ、Ｈｂがそれぞれ、０．５、１、１となることにより、各サブ画素の階調レベル差をほぼ等しくして色度差を抑制することができる。
【０１１６】
表４に、赤サブ画素の平均階調レベル（明および暗赤サブ画素の階調レベル）、色相係数Ｈｒ、緑サブ画素の平均階調レベル（明および暗緑サブ画素の階調レベル）、色相係数Ｈｇ、青サブ画素の平均階調レベル（明および暗青サブ画素の階調レベル）、色相係数Ｈｂ、視野角方向、色度ｘ、ｙ、輝度Ｙおよび色度差Δｕ’ｖ’を示す。
【０１１７】
【表４】
2010073693.tif 000006
【０１１８】
同様に、ｇave＞ｒave＝ｂave＞０である場合、例えば、（ｒave，ｇave，ｂave）＝（５０，１００，５０）である場合、色相係数Ｈｒ、Ｈｇ、Ｈｂをそれぞれ１、０．５、１とすることにより、色度差を抑制することができる。また、ｂave＞ｒave＝ｇave＞０である場合、例えば、（ｒave，ｇave，ｂave）＝（５０，５０，１００）である場合、色相係数Ｈｒ、Ｈｇ、Ｈｂをそれぞれ１、１、０．５とすることにより、色度差を抑制することができる。このように、関数Ｍａｘ、Ｓｅｃｏｎｄを用いることにより、カラーシフトの抑制を簡便に行うことができる。また、以上のように、本実施形態の液晶表示装置１００Ａは、赤補正部３００ｒ、緑補正部３００ｇおよび青補正部３００ｂを備えており、赤、緑および青サブ画素の階調レベルに基づいて各サブ画素の輝度の調整を行うことにより、視野角特性の改善とともにカラーシフトを抑制できる。
【０１１９】
なお、上述した説明では、赤補正部３００ｒにおける色相係数Ｈｒ、緑補正部３００ｇにおける色相係数Ｈｇおよび青補正部３００ｂにおける色相係数Ｈｂは０〜１の範囲で連続的に可変であり、例えば、ＭＡＸ（ｒave，ｇave，ｂave）＝ｂaveである場合、色相係数Ｈｂは、Ｈｂ＝ＳＥＣＯＮＤ（ｒave，ｇave，ｂave）／ＭＡＸ（ｒave，ｇave，ｂave）と表されたが、本発明はこれに限定されない。色相係数Ｈｒ、Ｈｇ、Ｈｂの少なくとも１つが２値化されてもよい。例えば、色相係数Ｈｂは０または１に２値化されており、赤補正部３００ｒにおける色相係数Ｈｒおよび緑補正部３００ｇにおける色相係数Ｈｇのうちの少なくとも一方が０〜１の範囲で可変であってもよい。
【０１２０】
あるいは、色相係数Ｈｒ、Ｈｇ、Ｈｂの少なくとも１つが１に固定されていてもよい。例えば、色相係数Ｈｂは１に固定されており、赤補正部３００ｒにおける色相係数Ｈｒおよび緑補正部３００ｇにおける色相係数Ｈｇのうちの少なくとも一方が０〜１の範囲で可変であってもよい。
【０１２１】
あるいは、色相係数Ｈｂは色相に応じて０または１に２値化された値を示し、色相係数ＨｒおよびＨｇは０に固定されていてもよい。
【０１２２】
以下、図１３および表５を参照して画素に表示される色の色相と色相係数Ｈｂとの関係を説明する。なお、ここでは、青補正部３００ｂにおいて色相係数Ｈｂは色相に応じて０または１に変化するが、赤、緑補正部３００ｒ、３００ｇにおいて色相係数Ｈｒ、Ｈｇは０に固定されている。
【０１２３】
図１３（ａ）に、液晶表示パネル２００Ａの色相を模式的に示す。図１３（ａ）に示すように、色相係数Ｈｂは色相に応じて変化する。
【０１２４】
入力信号において画素が青を示す場合、色相係数Ｈｂが０のときの色度差は色相係数Ｈｂが１のときの色度差よりも小さい。また、入力信号において画素がマゼンタまたはシアンを示す場合、色相係数Ｈｂが０のときの色度差は色相係数Ｈｂが１のときの色度差よりも小さい。このため、入力信号において画素が青、マゼンタまたはシアンを示す場合、色相係数Ｈｂは０となる。例えば、赤、緑および青サブ画素の平均階調レベル（ｒave，ｇave，ｂave）が（６４，６４，１２８）、（１２８，６４，１２８）または（６４，１２８，１２８）である場合、色相係数Ｈｂは０となる。図１３（ｂ）に、色相係数Ｈｂが０の場合の階調レベルｂ１’、ｂ２’の変化を示す。色相係数Ｈｂが０の場合、階調レベルｂ１’は階調レベルｂ２’と等しい。このように、画素が青、マゼンタまたはシアンを表示する場合、色相係数Ｈｂを０とすることにより、色度差Δｕ’ｖ’を抑制することができる。
【０１２５】
一方、入力信号において画素が赤を示す場合、色相係数Ｈｂが１のときの色度差は色相係数Ｈｂが０のときの色度差よりも小さい。また、入力信号において画素が黄または緑を示す場合、色相係数Ｈｂが１のときの色度差は色相係数Ｈｂが０のときの色度差よりも小さい。このため、入力信号において画素が赤、黄または緑を示す場合、色相係数Ｈｂは１となる。例えば、赤、緑および青サブ画素の平均階調レベル（ｒave，ｇave，ｂave）が（２５５，１２８，１２８）、（２５５，２５５，１２８）または（１２８，２５５，１２８）である場合、色相係数Ｈｂは１となる。図１３（ｃ）に、色相係数Ｈｂが１の場合の階調レベルｂ１’、ｂ２’の変化を示す。色相係数Ｈｂが１の場合、階調レベルｂ１’は階調レベルｂ２’とは異なる。このように、画素が赤、黄または緑を表示する場合、色相係数Ｈｂを１とすることにより、色度差Δｕ’ｖ’を抑制することができる。
【０１２６】
なお、例えば、平均階調レベルｂaveがＭＡＸ（ｒave，ｇave，ｂave）と等しい場合、および、ＭＡＸ（ｒave，ｇave，ｂave）とｂaveとの差が所定の値よりも小さい場合、色相係数Ｈｂを０としてもよい。一方、平均階調レベルｂaveがＭＡＸ（ｒave，ｇave，ｂave）よりも小さく、かつ、ＭＡＸ（ｒave，ｇave，ｂave）とｂaveとの差が所定の値よりも大きい場合、色相係数Ｈｂを１としてもよい。
【０１２７】
表５に、画素の色、赤および緑サブ画素の平均階調レベル、青サブ画素の平均階調レベル（明および暗青サブ画素の階調レベル）、色相係数Ｈｂ、視野角方向、色度ｘ、ｙ、輝度Ｙおよび色度差Δｕ’ｖ’を示す。なお、ここでは、入力信号における平均階調レベルｂaveは１２８であり、色相係数Ｈｂが０の場合、明、暗青サブ画素の階調レベルはいずれも１２８となり、色相係数Ｈｂが１の場合、明、暗青サブ画素の階調レベルはそれぞれ１７５（＝（２×（１２８／２５５）2.2）1/2.2×２５５）、０となる。
【０１２８】
【表５】
2010073693.tif 000007
【０１２９】
このように、画素に表示される色の色相に応じて色相係数Ｈｂを変化させることにより、カラーシフトを抑制することができる。
【０１３０】
なお、上述した説明では、赤、緑補正部３００ｒ、３００ｇにおいて色相係数Ｈｒ、Ｈｇは０に固定されており、青補正部３００ｂにおいて色相係数Ｈｂは色相に応じて０または１に変化したが、本発明はこれに限定されない。緑、青補正部３００ｇ、３００ｂにおいて色相係数Ｈｇ、Ｈｂは０に固定されており、赤補正部３００ｒにおいて色相係数Ｈｒは色相に応じて０または１に変化してもよい。
【０１３１】
以下、図１４および表６を参照して画素に表示される色の色相と色相係数Ｈｒとの関係とを説明する。
【０１３２】
図１４（ａ）に、液晶表示パネル２００Ａの色相を模式的に示す。図１４（ａ）に示すように、色相係数Ｈｒは色相に応じて変化する。
【０１３３】
入力信号において画素が赤を示す場合、色相係数Ｈｒが０のときの色度差は色相係数Ｈｒが１のときの色度差よりも小さい。また、入力信号において画素がマゼンタまたは黄を示す場合、色相係数Ｈｒが０のときの色度差は色相係数Ｈｒが１のときの色度差よりも小さい。このため、入力信号において画素が赤、マゼンタまたは黄を示す場合、色相係数Ｈｒは０となる。例えば、赤、緑および青サブ画素の平均階調レベル（ｒave，ｇave，ｂave）が（１２８，６４，６４）、（１２８，６４，１２８）または（１２８，１２８，６４）である場合、色相係数Ｈｒが０となる。図１４（ｂ）に、色相係数Ｈｒが０の場合の階調レベルｒ１’、ｒ２’の変化を示す。色相係数Ｈｒが０の場合、階調レベルｒ１’は階調レベルｒ２’と等しい。このように、画素が赤、マゼンタまたは黄を表示する場合、色相係数Ｈｒを０とすることにより、色度差Δｕ’ｖ’を抑制することができる。
【０１３４】
一方、入力信号において画素が青を示す場合、色相係数Ｈｒが１のときの色度差は色相係数Ｈｒが０のときの色度差よりも小さい。また、入力信号において画素が緑またはシアンを示す場合、色相係数Ｈｒが１のときの色度差は色相係数Ｈｒが０のときの色度差よりも小さい。このため、入力信号において画素が青、緑またはシアンを示す場合、色相係数Ｈｒは１となる。例えば、赤、緑および青サブ画素の平均階調レベル（ｒave，ｇave，ｂave）が（１２８，１２８，２５５）、（１２８，２５５，１２８）または（１２８，２５５，２５５）である場合、色相係数Ｈｒは１となる。図１４（ｃ）に、色相係数Ｈｒが１の場合の階調レベルｒ１’、ｒ２’の変化を示す。色相係数Ｈｒが１の場合、階調レベルｒ１’は階調レベルｒ２’とは異なる。このように、画素が青、緑またはシアンを表示する場合、色相係数Ｈｒを１とすることにより、色度差Δｕ’ｖ’を抑制することができる。
【０１３５】
なお、例えば、平均階調レベルｒaveがＭＡＸ（ｒave，ｇave，ｂave）と等しい場合、および、ＭＡＸ（ｒave，ｇave，ｂave）とｒaveとの差が所定の値よりも小さい場合、色相係数Ｈｒを０としてもよい。一方、平均階調レベルｒaveがＭＡＸ（ｒave，ｇave，ｂave）よりも小さく、かつ、ＭＡＸ（ｒave，ｇave，ｂave）とｒaveとの差が所定の値よりも大きい場合、色相係数Ｈｒを１としてもよい。
【０１３６】
表６に、画素の色、赤サブ画素の平均階調レベル（明および暗赤サブ画素の階調レベル）、色相係数Ｈｒ、緑および青サブ画素の平均階調レベル、視野角方向、色度ｘ、ｙ、輝度Ｙおよび色度差Δｕ’ｖ’を示す。なお、ここでは、入力信号における平均階調レベルｒaveは１２８であり、色相係数Ｈｒが０の場合、明、暗赤サブ画素の階調レベルはいずれも１２８となり、色相係数Ｈｒが１の場合、明、暗赤サブ画素の階調レベルはそれぞれ１７５、０となる。
【０１３７】
【表６】
2010073693.tif 000008
【０１３８】
このように、画素に表示される色の色相に応じて色相係数Ｈｒを変化させることにより、カラーシフトを抑制することができる。
【０１３９】
なお、冗長を避けるためにここでは詳細な説明を省略するが、赤、青補正部３００ｒ、３００ｂにおいて色相係数Ｈｒ、Ｈｂは０に固定されており、緑補正部３００ｇにおける色相係数Ｈｇは色相に応じて０または１に変化してもよい。この場合、画素が緑、黄またはシアンを表示する場合、色相係数Ｈｇを０とすることにより、カラーシフトを抑制できる。一方、画素が青、マゼンタまたは赤を表示する場合、色相係数Ｈｇを１とすることにより、カラーシフトを抑制できる。
【０１４０】
なお、上述した説明では、赤、緑および青補正部３００ｒ、３００ｇ、３００ｂのうちの１つの補正部において色相係数が変化したが、本発明はこれに限定されない。赤、緑および青補正部３００ｒ、３００ｇ、３００ｂのうちの２つの補正部において色相係数が変化してもよい。
【０１４１】
以下、図１５および表７を参照して画素に表示される色の色相と色相係数Ｈｒ、Ｈｂとの関係を説明する。また、ここでは、赤補正部３００ｒ、青補正部３００ｂにおいて色相係数Ｈｒ、Ｈｂは色相に応じて０または１に変化するが、緑補正部３００ｇにおいて色相係数Ｈｇは０に固定されている。
【０１４２】
図１５（ａ）に、液晶表示パネル２００Ａの色相を模式的に示す。図１５（ａ）に示すように、色相係数Ｈｒ、Ｈｂは色相に応じて変化する。
【０１４３】
具体的には、入力信号において画素がマゼンタを示す場合、色相係数Ｈｒ、Ｈｂがいずれも０のときの色度差は色相係数Ｈｒ、Ｈｂが他の組み合わせのときの色度差よりも小さい。このため、色相係数Ｈｒ、Ｈｂはいずれも０となり、階調レベルｒ１’は階調レベルｒ２’と等しく、階調レベルｂ１’は階調レベルｂ２’と等しい。図１５（ｂ）に、色相係数Ｈｒ、Ｈｂが０の場合の階調レベルｒ１’、ｒ２’、ｂ１’、ｂ２’の変化を示す。例えば、赤、緑および青サブ画素の平均階調レベル（ｒave，ｇave，ｂave）が（１２８，６４，１２８）である場合、色相係数Ｈｒ、Ｈｂをいずれも０とすることにより、色度差が抑制される。
【０１４４】
また、入力信号において画素が赤または黄を示す場合、色相係数Ｈｒ、Ｈｂがそれぞれ０、１のときの色度差は色相係数Ｈｒ、Ｈｂが他の組み合わせのときの色度差よりも小さい。このため、色相係数Ｈｒ、Ｈｂはそれぞれ０、１となり、階調レベルｒ１’は階調レベルｒ２’と等しく、階調レベルｂ１’は階調レベルｂ２’とは異なる。図１５（ｃ）に、色相係数Ｈｒ、Ｈｂがそれぞれ０、１の場合の階調レベルｒ１’、ｒ２’、ｂ１’、ｂ２’の変化を示す。例えば、赤、緑および青サブ画素の平均階調レベル（ｒave，ｇave，ｂave）が（１２８，６４，６４）または（１２８，１２８，６４）である場合、色相係数Ｈｒ、Ｈｂをそれぞれ０、１とすることにより、色度差が抑制される。
【０１４５】
また、入力信号において画素が青またはシアンを示す場合、色相係数Ｈｒ、Ｈｂがそれぞれ１、０のときの色度差は色相係数Ｈｒ、Ｈｂが他の組み合わせのときの色度差よりも小さい。このため、色相係数Ｈｒ、Ｈｂはそれぞれ１、０となり、階調レベルｒ１’は階調レベルｒ２’とは異なり、階調レベルｂ１’は階調レベルｂ２’と等しい。図１５（ｄ）に、色相係数Ｈｒ、Ｈｂがそれぞれ１、０の場合の階調レベルｒ１’、ｒ２’、ｂ１’、ｂ２’の変化を示す。例えば、赤、緑および青サブ画素の平均階調レベル（ｒave，ｇave，ｂave）が（６４，６４，１２８）または（６４，１２８，１２８）である場合、色相係数Ｈｒ、Ｈｂをそれぞれ１、０とすることにより、色度差が抑制される。
【０１４６】
また、入力信号において画素が緑を示す場合、色相係数Ｈｒ、Ｈｂがいずれも１のときの色度差は色相係数Ｈｒ、Ｈｂが他の組み合わせのときの色度差よりも小さい。このため、色相係数Ｈｒ、Ｈｂはいずれも１となり、階調レベルｒ１’は階調レベルｒ２’とは異なり、階調レベルｂ１’は階調レベルｂ２’とは異なる。図１５（ｅ）に、色相係数Ｈｒ、Ｈｂがいずれも１の場合の階調レベルｒ１’、ｒ２’、ｂ１’、ｂ２’の変化を示す。例えば、赤、緑および青サブ画素の平均階調レベル（ｒave，ｇave，ｂave）が（６４，１２８，６４）である場合、色相係数Ｈｒ、Ｈｂをいずれも１とすることにより、色度差が抑制される。
【０１４７】
なお、例えば、平均階調レベルｒaveがＭＡＸ（ｒave，ｇave，ｂave）と等しい場合、および、ＭＡＸ（ｒave，ｇave，ｂave）とｒaveとの差が所定の値よりも小さい場合、色相係数Ｈｒを０としてもよい。一方、平均階調レベルｒaveがＭＡＸ（ｒave，ｇave，ｂave）よりも小さく、かつ、ＭＡＸ（ｒave，ｇave，ｂave）とｒaveとの差が所定の値よりも大きい場合、色相係数Ｈｒを１としてもよい。また、平均階調レベルｂaveがＭＡＸ（ｒave，ｇave，ｂave）と等しい場合、および、ＭＡＸ（ｒave，ｇave，ｂave）とｂaveとの差が所定の値よりも小さい場合、色相係数Ｈｂを０としてもよい。一方、平均階調レベルｂaveがＭＡＸ（ｒave，ｇave，ｂave）よりも小さく、かつ、ＭＡＸ（ｒave，ｇave，ｂave）とｂaveとの差が所定の値よりも大きい場合、色相係数Ｈｂを１としてもよい。
【０１４８】
表７に、画素の色、赤サブ画素の階調レベル（明および暗赤サブ画素の階調レベル）、色相係数Ｈｒ、緑サブ画素の平均階調レベル、青サブ画素の平均階調レベル（明および暗青サブ画素の階調レベル）、色相係数Ｈｂ、視野角方向、色度ｘ、ｙ、輝度Ｙおよび色度差Δｕ’ｖ’を示す。なお、ここでは、入力信号における平均階調レベルｒave、ｂaveは６４または１２８である。例えば、色相係数Ｈｒ、Ｈｂが０の場合、明、暗サブ画素の階調レベルはいずれも６４または１２８となる。一方、色相係数Ｈｒ、Ｈｂが１の場合、平均階調レベルが６４であるとき明、暗サブ画素の階調レベルは８８（＝（２×（６４／２５５）2.2）1/2.2×２５５）、０となり、平均階調レベルが１２８であるとき明、暗サブ画素の階調レベルは１７５（＝（２×（１２８／２５５）2.2）1/2.2×２５５）、０となる。
【０１４９】
【表７】
2010073693.tif 000009
【０１５０】
このように、画素がマゼンタを表示する場合、色相係数Ｈｒ、Ｈｂをいずれも０とすることにより、色度差Δｕ’ｖ’を抑制することができる。また、画素が赤または黄を表示する場合、色相係数Ｈｒを０とするとともに色相係数Ｈｂを１とすることにより、色度差Δｕ’ｖ’を抑制することができる。
【０１５１】
また、画素が青またはシアンを表示する場合、色相係数Ｈｒを１とするとともに色相係数Ｈｂを０とすることにより、色度差Δｕ’ｖ’を抑制することができる。また、画素が緑を表示する場合、色相係数Ｈｒ、Ｈｂをいずれも１とすることにより、色度差Δｕ’ｖ’を抑制することができる。このように、画素に表示される色の色相に応じて色相係数Ｈｒ、Ｈｂを変化させることにより、カラーシフトを抑制することができる。以上のように、色相係数Ｈｒ、Ｈｇ、Ｈｂのうち少なくとも１つが２値化されてもよい。
【０１５２】
なお、点灯するサブ画素以外のサブ画素が非点灯である場合、点灯するサブ画素の輝度の差が大きいと、解像度の低下が認識されやすい。しかしながら、液晶表示装置１００Ａでは、例えば、入力信号に示された赤、緑および青サブ画素の階調レベルが（０，０，１２８）である場合、色相係数Ｈｂは０であり、入力信号に示された青サブ画素の階調レベルは変化せず、青サブ画素Ｂ１、Ｂ２の輝度が互いに等しくなる。このように、補正部３００Ａは解像度の低下が認識されやすい場合に階調レベルを変化させないことにより、解像度の実質的な低下が抑制される。
【０１５３】
なお、上述した説明では、入力信号に示された階調レベルｂ１は階調レベルｂ２と等しかったが、本発明はこれに限定されない。入力信号に示された階調レベルｂ１は階調レベルｂ２と異なってもよい。ただし、階調レベルｂ１が階調レベルｂ２と異なる場合、図８に示した階調輝度変換部３６０ａにおいて階調輝度変換の行われた輝度レベルＹb1は階調輝度変換部３６０ｂにおいて階調輝度変換の行われた輝度レベルＹb2とは異なる。特にテキスト表示時など隣接画素の階調レベルの差が大きい場合、輝度レベルＹb1と輝度レベルＹb2との差は顕著に大きくなる。
【０１５４】
具体的には、階調レベルｂ１が階調レベルｂ２よりも高い場合、輝度階調変換部３８０ａにおいて輝度レベルＹb1とシフト量ΔＳαとの和に基づいて輝度階調変換が行われ、輝度階調変換部３８０ｂにおいて輝度レベルＹb2とシフト量ΔＳβとの差に基づいて輝度階調変換が行われる。この場合、図１６に示すように、階調レベルｂ１’に対応する輝度レベルＹb1’は階調レベルｂ１に対応する輝度レベルＹb1よりもシフト量ΔＳαだけさらに高くなり、階調レベルｂ２’に対応する輝度レベルＹb2’は階調レベルｂ２に対応する輝度レベルＹb2よりもシフト量ΔＳβだけさらに低くなり、階調レベルｂ１’に対応する輝度と階調レベルｂ２’に対応する輝度との差が階調レベルｂ１に対応する輝度と階調レベルｂ２に対応する輝度との差よりも大きくなってしまう。
【０１５５】
ここで、４つの画素に着目する。画素はそれぞれ左上、右上、左下、右下に配列されており、それぞれを画素Ｐ１〜Ｐ４とする。また、画素Ｐ１〜Ｐ４に対応する入力信号における青サブ画素の階調レベルをｂ１〜ｂ４とする。図７を参照して上述したように、入力信号における各サブ画素が同じ色を示す場合、すなわち、階調レベルｂ１〜ｂ４が互いに等しい場合、階調レベルｂ１’は階調レベルｂ２’よりも高く、また、階調レベルｂ４’は階調レベルｂ３’よりも高い。
【０１５６】
また、入力信号において画素Ｐ１、Ｐ３が高階調を示し、画素Ｐ２、Ｐ４が低階調を示し、画素Ｐ１、Ｐ３と画素Ｐ２、Ｐ４との間に表示の境界が形成されるとする。階調レベルｂ１、ｂ２はｂ１＞ｂ２であり、階調レベルｂ３、ｂ４はｂ３＞ｂ４である。この場合、階調レベルｂ１’に対応する輝度と階調レベルｂ２’に対応する輝度との差が階調レベルｂ１に対応する輝度と階調レベルｂ２に対応する輝度との差よりも大きくなる。これに対して、階調レベルｂ３’に対応する輝度と階調レベルｂ４’に対応する輝度との差は階調レベルｂ３に対応する輝度と階調レベルｂ４に対応する輝度との差よりも小さくなる。
【０１５７】
なお、上述したように、入力信号に示された色が単色（例えば、青）の場合、色相係数Ｈｂが０または０に近いため、シフト量が減少し、入力信号がそのまま出力されるため解像度が維持できる。しかしながら、無彩色の場合、色相係数Ｈｂが１または１に近いため、補正前と比べて画素列ごとに輝度差が大きくなったり小さくなったりして、エッジなどが「がたがた」するように見えてしまい解像度が損なわれることがある。なお、階調レベルｂ１とｂ２が等しいかまたは近い場合は、人間の視覚特性上あまり気にならないが、階調レベルｂ１と階調レベルｂ２との差が大きいほど、この傾向は顕著になる。
【０１５８】
以下、図１７を参照して具体的に説明する。ここでは、入力信号において輝度の比較的低い無彩色（暗いグレー）の背景に１画素分の幅で輝度の比較的高い無彩色（明るいグレー）の直線を表示するとする。この場合、理想的には、観察者には、比較的明るいグレーの直線が認識される。
【０１５９】
図１７（ａ）に、比較例１の液晶表示装置における青サブ画素の輝度を示す。なお、ここでは、青サブ画素のみを示している。また、入力信号に示された４つの画素Ｐ１〜Ｐ４の青サブ画素の階調レベルｂ１〜ｂ４において、階調レベルｂ１、ｂ２はｂ１＞ｂ２の関係を有しており、階調レベルｂ３、ｂ４はｂ３＞ｂ４の関係を有している。この場合、比較例１の液晶表示装置では、４つの画素Ｐ１〜Ｐ４の青サブ画素は、入力信号に示された階調レベルｂ１〜ｂ４に対応する輝度を呈する。
【０１６０】
図１７（ｂ）に、液晶表示装置１００Ａにおける青サブ画素の輝度を示す。液晶表示装置１００Ａでは、例えば、画素Ｐ１の青サブ画素の階調レベルｂ１’は階調レベルｂ１よりも高くなるとともに画素Ｐ２の青サブ画素の階調レベルｂ２’は階調レベルｂ２よりも低くなる。一方、画素Ｐ３の青サブ画素の階調レベルｂ３’は階調レベルｂ３よりも低くなるとともに画素Ｐ４の青サブ画素の階調レベルｂ４’は階調レベルｂ４よりも高くなる。このように、入力信号に対応する階調レベルに対する階調レベル（輝度）の増減は行方向および列方向に隣接する画素に対して交互に行われる。このため、図１７（ａ）と図１７（ｂ）との比較から理解されるように、液晶表示装置１００Ａでは、階調レベルｂ１’と階調レベルｂ２’との差は入力信号に示された階調レベルｂ１と階調レベルｂ２との差よりも大きくなる。また、階調レベルｂ３’と階調レベルｂ４’との差は入力信号に示された階調レベルｂ３と階調レベルｂ４との差よりも小さくなる。この結果、液晶表示装置１００Ａでは、入力信号において比較的高い階調レベルｂ１、ｂ３に対応する画素Ｐ１およびＰ３を含む列に加え、入力信号において比較的低い階調レベルｂ４に対応する画素Ｐ４の青サブ画素も比較的高い輝度を呈することになる。この場合、入力信号において比較的明るいグレーの直線を表示するための画像が示されていても、液晶表示装置１００Ａでは、図１７（ｃ）に示すように、比較的明るいグレーの直線とともに直線に隣接して青の点線が表示されることになり、グレーの直線の輪郭における表示品質が著しく低下する。
【０１６１】
上述した説明では、シフト量ΔＳα、ΔＳβは輝度差レベルΔＹbα、ΔＹbβと色相係数Ｈｂとの積で求められたが、このような現象を回避するため、シフト量ΔＳα、ΔＳβの決定を行う際に別のパラメータを用いてもよい。一般に、画像においてテキスト等に見られるような列方向への直線表示部分の画素と隣接する背景表示に対応する画素とのエッジに相当する部分では階調レベルｂ１と階調レベルｂ２との差が大きいため、色相係数Ｈｂが１に近いと、補正により、階調レベルｂ１’と階調レベルｂ２’との差が更に大きくなり、画質が低下することがある。このため、シフト量ΔＳα、ΔＳβのパラメータとして、入力信号に示される隣接画素の色の連続性を示す連続係数を加えてもよい。階調レベルｂ１と階調レベルｂ２との差が比較的大きい場合には、シフト量ΔＳα、ΔＳβが連続係数に応じて変化することにより、シフト量ΔＳα、ΔＳβがゼロまたは小さくなり、画質の低下を抑制できる。例えば、階調レベルｂ１と階調レベルｂ２との差が比較的小さい場合には、連続係数が大きくなり、隣接する画素に属する青サブ画素の輝度の調整が行われるが、画像の境界領域において階調レベルｂ１と階調レベルｂ２との差が比較的大きい場合には連続係数が小さくなり、青サブ画素の輝度の調整が行われなくてもよい。
【０１６２】
以下、図１８を参照して、上述したように青サブ画素の輝度の調整を行う青補正部３００ｂ’を説明する。なお、ここでは、連続係数に代えてエッジ係数を用いている。青補正部３００ｂ’は、エッジ判定部３９０および係数算出部３９５を備える点を除いて、図８を参照して上述した青補正部３００ｂと同様の構成を有しており、冗長を避けるため、重複する説明は省略する。なお、ここでは、図示しないが、赤補正部３００ｒ’、緑補正部３００ｇ’も同様の構成を有している。
【０１６３】
エッジ判定部３９０は、入力信号に示された階調レベルｂ１、ｂ２に基づいてエッジ係数ＨＥを得る。エッジ係数ＨＥは隣接する画素に含まれる青サブ画素の階調レベルの差が大きいほど増加する関数である。階調レベルｂ１と階調レベルｂ２との差が比較的大きい場合、すなわち、階調レベルｂ１と階調レベルｂ２の連続性が低い場合、エッジ係数ＨＥは高い。反対に、階調レベルｂ１と階調レベルｂ２との差が比較的小さい場合、すなわち、階調レベルｂ１と階調レベルｂ２の連続性が高い場合、エッジ係数ＨＥは低い。このように、隣接する画素に含まれる青サブ画素の階調レベルの連続性（または上述した連続係数）が低いほど、エッジ係数ＨＥは高く、階調レベルの連続性（または上述した連続係数）が高いほど、エッジ係数ＨＥは低い。
【０１６４】
また、エッジ係数ＨＥは、隣接する画素に含まれる青サブ画素の階調レベルの差に応じて連続的に変化する。例えば、入力信号において、隣接する画素中の青サブ画素の階調レベルの差の絶対値を｜ｂ１−ｂ２｜とし、ＭＡＸ＝ＭＡＸ（ｂ１，ｂ２）とすると、エッジ係数ＨＥはＨＥ＝｜ｂ１−ｂ２｜／ＭＡＸと表される。ただし、ＭＡＸ＝０の場合はＨＥ＝０である。
【０１６５】
次に、係数算出部３９５は、色相判定部３４０において得られた色相係数Ｈｂ、および、エッジ判定部３９０において得られたエッジ係数ＨＥに基づいて補正係数ＨＣを得る。補正係数ＨＣは、例えば、ＨＣ＝Ｈｂ−ＨＥと表される。また、係数算出部３９５において補正係数ＨＣが０〜１の範囲に収まるようにクリッピングが行われてもよい。次に、乗算部３５０は補正係数ＨＣと輝度差レベルΔＹBα、ΔＹBβとの乗算によってシフト量ΔＳα、ΔＳβを得る。
【０１６６】
このように青補正部３００ｂ’では、色相係数Ｈｂおよびエッジ係数ＨＥに基づいて得られた補正係数ＨＣと輝度差レベルΔＹBα、ΔＹBβとの乗算によってシフト量ΔＳα、ΔＳβを得ている。上述したように、エッジ係数ＨＥは、入力信号に示された隣接する画素に含まれる青サブ画素の階調レベルの差が大きいほど増加する関数であるため、エッジ係数ＨＥの増加に伴い輝度分配を支配する補正係数ＨＣが減少し、エッジのがたがたを抑制できる。また、色相係数Ｈｂは既に述べたように連続的に変化する関数であり、エッジ係数ＨＥも隣接する画素に含まれる青サブ画素の階調レベルの差に応じて連続的に変化する関数であるため、補正係数ＨＣも連続的に変化し、表示上の突発的な変化を抑制できる。
【０１６７】
なお、上述した説明では、色相判定およびレベル差の決定は平均階調レベルに基づいて行われたが、本発明はこれに限定されない。色相判定およびレベル差の決定は平均輝度レベルに基づいて行われてもよい。ただし、輝度レベルは階調レベルの２．２乗したものであり、階調レベルの２．２乗の精度を必要とする。このため、輝度差レベルを格納するルックアップテーブルは大きな回路規模を必要とするのに対して、階調差レベルを格納するルックアップテーブルは小さな回路規模で実現できる。
【０１６８】
上述したように、赤補正部３００ｒ、緑補正部３００ｇおよび青補正部３００ｂのそれぞれにおいて色相係数Ｈｒ、ＨｇおよびＨｂが適切に制御されることによってカラーシフトを抑制できる。
【０１６９】
なお、図７から理解されるように、赤補正部３００ｒ、緑補正部３００ｇおよび青補正部３００ｂが階調レベルの補正を行うと、２つの画素に属するサブ画素が異なる輝度を呈することになる。このようにサブ画素の輝度が異なる場合、解像度の低下が認識されることがある。特に輝度の差が大きいほど、すなわち、色相係数Ｈｒ、Ｈｇ、Ｈｂが比較的大きいほど、解像度の低下が認識されやすい。
【０１７０】
この場合、色相係数Ｈｒ、Ｈｇは色相係数Ｈｂよりも小さいことが好ましい。色相係数Ｈｂが比較的大きい場合、青サブ画素の輝度レベルの差が比較的大きいことになる。しかし、人間の眼に対する青の解像度は他の色と比べて低いことが知られているので、特に、同じ画素に属する赤サブ画素や緑サブ画素が点灯する場合、青サブ画素の輝度差が比較的大きくても、青の実質的な解像度の低下は認識されにくい。このようなことからも、青サブ画素の階調レベルの補正は他のサブ画素の階調レベルの補正よりも効果的である。また、青以外の色に着目すると、赤の解像度も比較的低いことが知られている。そのため、中間階調の無彩色で名目上解像度の低下をすることになるサブ画素が赤サブ画素であっても、青同様、実質的な解像度の低下は認識されにくい。そのため、赤でも同様の効果を得ることができる。
【０１７１】
また、上述した説明では、補正部３００Ａは、赤補正部３００ｒ、緑補正部３００ｇおよび青補正部３００ｂを有していたが、本発明はこれに限定されない。
【０１７２】
図１９（ａ）に示すように、補正部３００Ａは緑補正部および青補正部を有することなく赤補正部３００ｒを有してもよい。または、図１９（ｂ）に示すように、補正部３００Ａは赤補正部および青補正部を有することなく緑補正部３００ｇを有してもよい。あるいは、図１９（ｃ）に示すように、補正部３００Ａは赤補正部および緑補正部を有することなく青補正部３００ｂを有してもよい。あるいは、補正部３００Ａは、赤補正部３００ｒ、緑補正部３００ｇおよび青補正部３００ｂのうちの任意の２つを有してもよい。
【０１７３】
また、上述したように、液晶表示パネル２００ＡはＶＡモードで動作する。ここで、液晶表示パネル２００Ａの具体的な構成例を説明する。例えば、液晶表示パネル２００ＡはＭＶＡモードで動作してもよい。まず、図２０（ａ）〜図２０（ｃ）を参照してＭＶＡモードの液晶表示パネル２００Ａの構成を説明する。
【０１７４】
液晶表示パネル２００Ａは、画素電極２２４と、画素電極２２４と対向する対向電極２４４と、画素電極２２４と対向電極２４４との間に設けられた垂直配向型の液晶層２６０とを含む。なお、ここでは、配向膜を図示していない。
【０１７５】
液晶層２６０の画素電極２２４側にはスリット２２７やリブ２２８が設けられており、液晶層２６０の対向電極２４４側にはスリット２４７やリブ２４８が設けられている。液晶層２６０の画素電極２２４側に設けられたスリット２２７やリブ２２８は第１配向規制手段とも呼ばれ、液晶層２６０の対向電極２４４側に設けられたスリット２４７やリブ２４８は第２配向規制手段とも呼ばれる。
【０１７６】
第１配向規制手段と第２配向規制手段との間に規定される液晶領域においては、液晶分子２６２は、第１配向規制手段および第２配向規制手段からの配向規制力を受け、画素電極２２４と対向電極２４４との間に電圧が印加されると、図中に矢印で示した方向に倒れる（傾斜する）。すなわち、それぞれの液晶領域において液晶分子２６２は一様な方向に倒れるので、それぞれの液晶領域はドメインとみなすことができる。
【０１７７】
第１配向規制手段および第２配向規制手段（これらを総称して「配向規制手段」と呼ぶことがある。）は各サブ画素内で、それぞれ帯状に設けられており、図２０（ａ）〜図２０（ｃ）は帯状の配向規制手段の延設方向に直交する方向における断面図である。各配向規制手段のそれぞれの両側に液晶分子２６２が倒れる方向が互いに１８０°異なる液晶領域（ドメイン）が形成される。配向規制手段としては、特開平１１−２４２２２５号公報に開示されているような種々の配向規制手段（ドメイン規制手段）を用いることができる。
【０１７８】
図２０（ａ）では、第１配向規制手段としてスリット（導電膜が存在しない部分）２２７が設けられ、第２配向規制手段としてリブ（突起）２４８が設けられている。スリット２２７およびリブ２４８はそれぞれ帯状（短冊状）に延設されている。スリット２２７は、画素電極２２４と対向電極２４４との間に電位差が形成されたときに、スリット２２７の端辺近傍の液晶層２６０に斜め電界を生成し、スリット２２７の延設方向に直交する方向に液晶分子２６２を配向させるように作用する。リブ２４８はその側面２４８ａに略垂直に液晶分子２６２を配向させることにより、液晶分子２６２をリブ２４８の延設方向に直交する方向に配向させるように作用する。スリット２２７とリブ２４８とは、一定の間隔をあけて互いに平行に配置されており、互いに隣接するスリット２２７とリブ２４８との間に液晶領域（ドメイン）が形成される。
【０１７９】
図２０（ｂ）では、第１配向規制手段および第２配向規制手段としてそれぞれリブ２２８とリブ２４８が設けられている点において、図２０（ａ）に示した構成とは異なる。リブ２２８とリブ２４８とは、一定の間隔をあけて互いに平行に配置されており、リブ２２８の側面２２８ａおよびリブ２４８の側面２４８ａに液晶分子２６２を略垂直に配向させるように作用することによって、これらの間に液晶領域（ドメイン）が形成される。
【０１８０】
図２０（ｃ）では、第１配向規制手段および第２配向規制手段としてそれぞれスリット２２７とスリット２４７とが設けられている点において、図２０（ａ）に示した構成とは異なる。スリット２２７とスリット２４７とは、画素電極２２４と対向電極２４４との間に電位差が形成されたときに、スリット２２７および２４７の端辺近傍の液晶層２６０に斜め電界を生成し、スリット２２７および２４７の延設方向に直交する方向に液晶分子２６２を配向させるように作用する。スリット２２７とスリット２４７とは、一定の間隔をあけて互いに平行に配置されており、これらの間に液晶領域（ドメイン）が形成される。
【０１８１】
上述したように、第１配向規制手段および第２配向規制手段として、リブまたはスリットを任意の組み合わせで用いることができる。図２０（ａ）に示した液晶表示パネル２００Ａの構成を採用すると、製造工程の増加を抑制できるという利点が得られる。画素電極にスリットを設けても付加的な工程は必要なく、一方、対向電極については、リブを設ける方がスリットを設けるよりも工程数の増加が少ない。もちろん、配向規制手段としてリブだけを用いる構成、あるいはスリットだけを用いる構成を採用してもよい。
【０１８２】
図２１は、液晶表示パネル２００Ａの断面構造を模式的に示す部分断面図であり、図２２は、液晶表示パネル２００Ａの１つのサブ画素に対応する領域を模式的に示す平面図である。スリット２２７は帯状に延設されており、隣接するリブ２４８とは互いに平行に配設されている。
【０１８３】
絶縁基板２２２の液晶層２６０側の表面には、図示しないゲート配線（走査線）およびソース配線（信号線）とＴＦＴが設けられており、さらにこれらを覆う層間絶縁膜２２５が設けられている。この層間絶縁膜２２５上に画素電極２２４が形成されている。画素電極２２４と対向電極２４４とは、液晶層２６０を介して互いに対向している。
【０１８４】
画素電極２２４には帯状のスリット２２７が形成されており、スリット２２７を含む画素電極２２４上のほぼ全面に垂直配向膜（不図示）が形成されている。スリット２２７は、図２２に示すように、帯状に延設されている。隣接する２つのスリット２２７は互いに平行に配設されており、且つ、隣接するリブ２４８の間隔を略二等分するように配置されている。
【０１８５】
互いに平行に延設された帯状のスリット２２７とリブ２４８との間の領域では、その両側のスリット２２７およびリブ２４８によって液晶分子２６２の配向方向が規制されており、スリット２２７およびリブ２４８のそれぞれの両側に液晶分子２６２の配向方向が互いに１８０°異なるドメインが形成されている。液晶表示パネル２００Ａでは、図２２に示すように、スリット２２７およびリブ２４８は互いに９０°異なる２つの方向に沿って延設されており、各サブ画素内で、液晶分子２６２の配向方向が９０°異なる４種類のドメインが形成される。
【０１８６】
また、絶縁基板２２２および絶縁基板２４２の外側に配置される一対の偏光板（不図示）は、透過軸が互いに略直交（クロスニコル状態）するように配置される。９０°ずつ配向方向が異なる４種類のドメインの全てに対して、それぞれの配向方向と偏光板の透過軸とが４５°を成すように配置すれば、ドメインの形成によるリタデーションの変化を最も効率的に利用することができる。そのため、偏光板の透過軸がスリット２２７およびリブ２４８の延設方向と略４５°を成すように配置することが好ましい。また、テレビのように、観察方向を表示面に対して水平に移動することが多い表示装置においては、一対の偏光板の一方の透過軸を表示面に対して水平方向に配置することが、表示品位の視野角依存性を抑制するために好ましい。上述の構成を有する液晶表示パネル２００Ａでは、各サブ画素において、液晶層２６０に所定の電圧が印加されたとき、液晶分子２６２が傾斜する方位が互いに異なる複数の領域（ドメイン）が形成されるので、広視野角の表示が実現される。
【０１８７】
なお、上述した説明では、液晶表示パネル２００ＡはＭＶＡモードであったが、本発明はこれに限定されない。液晶表示パネル２００ＡはＣＰＡモードで動作してもよい。
【０１８８】
以下、図２３および図２４を参照してＣＰＡモードの液晶表示パネル２００Ａを説明する。図２３（ａ）に示す液晶表示パネル２００Ａのサブ画素電極２２４ｒ、２２４ｇ、２２４ｂは、所定の位置に形成された複数の切欠き部２２４βを有し、これらの切欠き部２２４βによって複数の単位電極２２４αに分割されている。複数の単位電極２２４αのそれぞれは、略矩形状である。ここでは、サブ画素電極２２４ｒ、２２４ｇ、２２４ｂが３つの単位電極２２４αに分割される場合を例示しているが、分割数はこれに限定されるものではない。
【０１８９】
上述した構成を有するサブ画素電極２２４ｒ、２２４ｇ、２２４ｂと対向電極（不図示）との間に電圧を印加すると、サブ画素電極２２４ｒ、２２４ｇ、２２４ｂの外縁近傍と切欠き部２２４β内に生成される斜め電界によって、図２３（ｂ）に示すように、それぞれが軸対称配向（放射状傾斜配向）を呈する複数の液晶ドメインが形成される。液晶ドメインは、各単位電極２２４α上に１つずつ形成される。各液晶ドメイン内において、液晶分子２６２は、ほぼ全方位に傾斜する。つまり、液晶表示パネル２００Ａでは、液晶分子２６２が傾斜する方位が互いに異なる領域が無数に形成される。そのため、広視野角の表示が実現される。
【０１９０】
なお、図２３には、切欠き部２２４βが形成されたサブ画素電極２２４ｒ、２２４ｇ、２２４ｂを例示したが、図２４に示すように、切欠き部２２４βに代えて開口部２２４γを形成してもよい。図２４に示すサブ画素電極２２４ｒ、２２４ｇ、２２４ｂは、複数の開口部２２４γを有し、これらの開口部２２４γによって複数の単位電極２２４αに分割されている。このようなサブ画素電極２２４ｒ、２２４ｇ、２２４ｂと対向電極（不図示）との間に電圧を印加すると、サブ画素電極２２４ｒ、２２４ｇ、２２４ｂの外縁近傍と開口部２２４γ内に生成される斜め電界によって、それぞれが軸対称配向（放射状傾斜配向）を呈する複数の液晶ドメインが形成される。
【０１９１】
また、図２３および図２４には、１つのサブ画素電極２２４ｒ、２２４ｇ、２２４ｂに複数の切欠き部２２４βまたは開口部２２４γが設けられた構成を例示したが、サブ画素電極２２４ｒ、２２４ｇ、２２４ｂを二分割する場合には、切欠き部２２４βまたは開口部２２４γを１つだけ設けてもよい。つまり、サブ画素電極２２４ｒ、２２４ｇ、２２４ｂに少なくとも１つの切欠き部２２４βまたは開口部２２４γを設けることによって、軸対称配向の液晶ドメインを複数形成することができる。サブ画素電極２２４ｒ、２２４ｇ、２２４ｂの形状としては、例えば特開２００３−４３５２５号公報に開示されているような種々の形状を用いることができる。
【０１９２】
図２５に、ＸＹＺ表色系ｘｙ色度図を示す。図２５にはスペクトル軌跡および主波長を示している。液晶表示パネル２００Ａにおける赤サブ画素の主波長は６０５ｎｍ以上６３５ｎｍ以下であり、緑サブ画素の主波長は５２０ｎｍ以上５５０ｎｍ以下であり、青サブ画素の主波長は４７０ｎｍ以下である。
【０１９３】
なお、上述した説明では、青サブ画素の輝度の調整を行う単位は行方向に隣接する２つの画素に属する青サブ画素であったが、本発明はこれに限定されない。青サブ画素の輝度の調整を行う単位は列方向に隣接する２つの画素に属する青サブ画素であってもよい。ただし、列方向に隣接する２つの画素に属する青サブ画素を１単位とする場合、ラインメモリ等が必要となり、規模の大きな回路が必要となる。
【０１９４】
図２６に、列方向に隣接する画素に属する２つの青サブ画素を１単位として輝度の調整を行うのに適した青補正部３００ｂ’’の模式図を示す。図２６（ａ）に示すように、青補正部３００ｂ’’は、前段ラインメモリ３００ｓと、階調調整部３００ｔと、後段ラインメモリ３００ｕとを有している。入力信号に示された階調レベルｒ１、ｇ１、ｂ１はある画素に属する赤、緑および青サブ画素に相当するものであり、入力信号に示された階調レベルｒ２、ｇ２、ｂ２は列方向に隣接する次の行の画素に属する赤、緑および青サブ画素に相当するものである。前段ラインメモリ３００ｓにより、階調レベルｒ１、ｇ１およびｂ１は１ライン分遅延して階調調整部３００ｔに入力される。
【０１９５】
図２６（ｂ）に、階調調整部３００ｔの模式図を示す。階調調整部３００ｔでは、加算部３１０ｂを用いて階調レベルｂ１と階調レベルｂ２の平均階調レベルｂaveが求められる。次に、階調差レベル部３２０は、１つの平均階調レベルｂaveに対して２つの階調差レベルΔｂα、Δｂβを与える。その後、階調輝度変換部３３０は、階調差レベルΔｂαを輝度差レベルΔＹbαに変換し、階調差レベルΔｂβを輝度差レベルΔＹbβに変換する。
【０１９６】
一方、加算部３１０ｒを用いて階調レベルｒ１と階調レベルｒ２との平均階調レベルｒaveが求められる。また、加算部３１０ｇを用いて階調レベルｇ１と階調レベルｇ２との平均階調レベルｇaveが求められる。色相判定部３４０は平均階調レベルｒave、ｇave、ｂaveを利用して色相係数Ｈｂを求める。
【０１９７】
次に、シフト量ΔＳα、ΔＳβを求める。シフト量ΔＳαはΔＹbαと色相係数Ｈｂとの積によって表され、シフト量ΔＳβはΔＹbβと色相係数Ｈｂとの積によって表される。乗算部３５０は輝度差レベルΔＹbα、ΔＹbβと色相係数Ｈｂとの乗算を行い、これにより、シフト量ΔＳα、ΔＳβが得られる。
【０１９８】
また、階調輝度変換部３６０ａが階調レベルｂ１に対して階調輝度変換を行い、輝度レベルＹb1を得る。同様に、階調輝度変換部３６０ｂは階調レベルｂ２に対して階調輝度変換を行い、輝度レベルＹb2を得る。次に、加減算部３７０ａにおいて輝度レベルＹb1とシフト量ΔＳαとを加算し、さらに、輝度階調変換部３８０ａにおいて輝度階調変換を行うことにより、階調レベルｂ１’が得られる。また、加減算部３７０ｂにおいて輝度レベルＹb2からシフト量ΔＳβを減算し、さらに、輝度階調変換部３８０ｂにおいて輝度階調変換を行うことにより、階調レベルｂ２’が得られる。その後、図２６（ａ）に示したように、後段ラインメモリ３００ｕにより、階調レベルｒ２、ｇ２、ｂ２’は１ライン分遅延される。青補正部３００ｂ’’は以上のようにして列方向に隣接する画素に属する青サブ画素を１単位として輝度の調整を行う。
【０１９９】
また、上述した説明では、入力信号は、一般にカラーテレビ信号に用いられているＹＣｒＣｂ信号を想定したが、入力信号は、ＹＣｒＣｂ信号に限定されず、ＲＧＢ３原色の各サブ画素の階調レベルを示すものであってもよいし、ＹｅＭＣ（Ｙｅ：黄、Ｍ：マゼンタ、Ｃ：シアン）などの他の３原色の各サブ画素の階調レベルを示すものであってもよい。
【０２００】
また、上述した説明では、階調レベルが入力信号に示されており、補正部３００Ａは青サブ画素の階調レベルの補正を行ったが、本発明はこれに限定されない。輝度レベルが入力信号に示されているか、または、階調レベルを輝度レベルに変換した後に、補正部３００Ａが青サブ画素の輝度レベルの補正を行ってもよい。ただし、輝度レベルは階調レベルの２．２乗であり、輝度レベルの精度として階調の２．２乗の精度が要求されるため、階調レベルの補正を行う回路は輝度レベルの補正を行う回路に比べて低コストで実現できる。
【０２０１】
なお、上述した説明では、無彩色を表示する場合、液晶表示パネル２００Ａに入力する前の赤、緑および青サブ画素の階調レベルは互いに等しかったが、本発明はこれに限定されない。液晶表示装置は独立ガンマ補正処理を行う独立ガンマ補正処理部をさらに備えており、無彩色を表示する場合でも液晶表示パネル２００Ａに入力する前の赤、緑および青サブ画素の階調レベルは若干異なってもよい。
【０２０２】
以下、図２７を参照して、独立ガンマ補正処理部２８０をさらに備える液晶表示装置１００Ａ’を説明する。液晶表示装置１００Ａ’は、独立ガンマ補正処理部２８０をさらに備える点を除いて図１に示した液晶表示装置１００Ａと同様の構成を有している。
【０２０３】
図２７（ａ）に示す液晶表示装置１００Ａ’において、補正部３００Ａにおいて補正の行われた階調レベルｒ’、ｇ’、ｂ’は独立ガンマ補正処理部２８０に入力される。次に、独立ガンマ補正処理部２８０は独立ガンマ補正処理を行う。独立ガンマ補正処理が行われない場合、入力信号に示される色が黒から白にわたって無彩色のまま変化すると、液晶表示パネル２００Ａに固有に、液晶表示パネル２００Ａの正面からみた無彩色の色度が変化することがあるが、独立ガンマ補正処理を行うことにより、色度変化が抑制される。
【０２０４】
独立ガンマ補正処理部２８０は、階調レベルｒ’、ｇ’、ｂ’のそれぞれに対して独立ガンマ補正処理を行う赤処理部２８２ｒ、緑処理部２８２ｇ、青処理部２８２ｂを有している。処理部２８２ｒ、２８２ｇ、２８２ｂの独立ガンマ補正処理により、階調レベルｒ’、ｇ’、ｂ’は階調レベルｒg’、ｇg’、ｂg’に変換される。同様に、階調レベルｒ、ｇ、ｂは階調レベルｒg、ｇg、ｂgに変換される。その後、独立ガンマ補正処理部２８０において独立ガンマ補正処理の行われた階調レベルｒg’、ｇg’、ｂg’〜ｒg、ｇg、ｂgは、液晶表示パネル２００Ａに入力される。
【０２０５】
なお、図２７（ａ）に示した液晶表示装置１００Ａ’では、独立ガンマ補正処理部２８０は補正部３００Ａよりも後段に設けられていたが、本発明はこれに限定されない。図２７（ｂ）に示すように、独立ガンマ補正処理部２８０は補正部３００Ａよりも前段に設けられてもよい。この場合、独立ガンマ補正処理部２８０は入力信号に示された階調レベルｒｇｂに対して独立ガンマ補正処理を行うことによって階調レベルｒg、ｇg、ｂgを得て、その後、補正部３００Ａは先に独立ガンマ補正処理の行われた信号に対して補正を行う。補正部３００Ａ内における輝度階調変換の乗数として、固定値（例えば、２．２乗）ではなく、液晶表示パネル２００Ａの特性に応じた値が用いられる。このように、独立ガンマ補正処理部２８０を設けることにより、明度の変化に応じた無彩色の色度変化を抑制してもよい。
【０２０６】
（実施形態２）
上述した説明では、各サブ画素が１つの輝度を呈したが、本発明はこれに限定されない。マルチ画素構造が採用され、各サブ画素が、輝度の異なり得る複数の領域を有してもよい。
【０２０７】
以下、図２８を参照して、本発明による液晶表示装置の第２実施形態を説明する。本実施形態の液晶表示装置１００Ｂは、液晶表示パネル２００Ｂと、補正部３００Ｂとを備えている。ここでも、補正部３００Ｂは、赤補正部３００ｒ、緑補正部３００ｇおよび青補正部３００ｂを有している。液晶表示装置１００Ｂは、液晶表示パネル２００Ｂにおける各サブ画素が輝度の異なり得る領域を有している点、および、輝度の異なり得る領域を規定する分離電極の実効電位が補助容量配線の電位の変化に応じて変化する点を除いて上述した実施形態１の液晶表示装置と同様の構成を有しており、冗長を避けるために重複する記載を省略する。
【０２０８】
図２９（ａ）に、液晶表示パネル２００Ｂに設けられた画素および画素に含まれるサブ画素の配列を示す。図２９（ａ）には、例として、３行３列の画素を示している。各画素には、３つのサブ画素、すなわち、赤サブ画素Ｒ、緑サブ画素Ｇ、青サブ画素Ｂが設けられている。各サブ画素の輝度は独立に制御可能である。
【０２０９】
液晶表示装置１００Ｂにおいて、３つのサブ画素Ｒ、ＧおよびＢのそれぞれは分割された２つの領域を有している。具体的には、赤サブ画素Ｒは、第１領域Ｒａおよび第２領域Ｒｂを有しており、同様に、緑サブ画素Ｇは、第１領域Ｇａおよび第２領域Ｇｂを有しており、青サブ画素Ｂは、第１領域Ｂａおよび第２領域Ｂｂを有している。
【０２１０】
各サブ画素Ｒ、Ｇ、Ｂの異なる領域の輝度の値は異なるように制御可能であり、これにより、表示画面を正面方向から観察したときのガンマ特性と斜め方向から観察したときのガンマ特性とが異なるというガンマ特性の視角依存性を低減することができる。ガンマ特性の視角依存性の低減については、特開２００４−６２１４６号公報や特開２００４−７８１５７号公報に開示されている。各サブ画素Ｒ、Ｇ、Ｂの異なる領域の輝度が異なるように制御することにより、上記特開２００４−６２１４６号公報や特開２００４−７８１５７号公報の開示と同様に、ガンマ特性の視角依存性を低減するという効果が得られる。なお、このような赤、緑および青サブ画素Ｒ、ＧおよびＢの構造は分割構造とも呼ばれる。本明細書の以下の説明において、第１、第２領域のうち輝度の高い領域を明領域と呼び、輝度の低い領域を暗領域と呼ぶことがある。
【０２１１】
図２９（ｂ）に、液晶表示装置１００Ｂにおける青サブ画素Ｂの構成を示す。なお、図２９（ｂ）に図示していないが、赤サブ画素Ｒおよび緑サブ画素Ｇも同様の構成を有している。
【０２１２】
青サブ画素Ｂは、２つの領域ＢａおよびＢｂを有しており、領域Ｂａ、Ｂｂに対応する分離電極２２４ｘ、２２４ｙには、それぞれＴＦＴ２３０ｘ、ＴＦＴ２３０ｙ、および補助容量２３２ｘ、２３２ｙが接続されている。ＴＦＴ２３０ｘおよびＴＦＴ２３０ｙのゲ−ト電極はゲート配線Ｇａｔｅに接続され、ソース電極は共通の（同一の）ソース配線Ｓに接続されている。補助容量２３２ｘ、２３２ｙは、それぞれ補助容量配線ＣＳ１および補助容量配線ＣＳ２に接続されている。補助容量２３２ｘおよび２３２ｙは、それぞれ分離電極２２４ｘおよび２２４ｙに電気的に接続された補助容量電極と、補助容量配線ＣＳ１およびＣＳ２に電気的に接続された補助容量対向電極と、これらの間に設けられた絶縁層（不図示）によって形成されている。補助容量２３２ｘおよび２３２ｙの補助容量対向電極は互いに独立しており、それぞれ補助容量配線ＣＳ１およびＣＳ２から互いに異なる補助容量対向電圧が供給され得る。このため、ＴＦＴ２３０ｘ、２３０ｙがオンのときにソース配線Ｓを介して分離電極２２４ｘ、２２４ｙに電圧が供給された後、ＴＦＴ２３０ｘ、２３０ｙがオフになり、さらに、補助容量配線ＣＳ１およびＣＳ２の電位が異なるように変化する場合、分離電極２２４ｘの実効電圧は分離電極２２４ｙの実効電圧と異なることになり、結果として、第１領域Ｂａの輝度は第２領域Ｂｂの輝度と異なる。
【０２１３】
図３０（ａ）および図３０（ｂ）に、液晶表示装置１００Ｂにおける液晶表示パネル２００Ｂを示す。図３０（ａ）では、入力信号において全ての画素が同じ無彩色を示し、図３０（ｂ）では、入力信号において全ての画素が同じ有彩色を示す。なお、図３０（ａ）および図３０（ｂ）において、行方向に隣接する２つの画素に着目し、その一方の画素をＰ１と示し、画素Ｐ１に属する赤、緑および青サブ画素をそれぞれＲ１、Ｇ１およびＢ１と示す。また、他方の画素をＰ２と示し、画素Ｐ２に属する赤、緑および青サブ画素をそれぞれＲ２、Ｇ２およびＢ２と示す。
【０２１４】
まず、図３０（ａ）を参照して、入力信号に示された色が無彩色である場合の液晶表示パネル２００Ｂを説明する。なお、入力信号に示された色が無彩色である場合、赤、緑および青サブ画素の階調レベルが互いに等しい。
【０２１５】
この場合、図２８に示した赤補正部３００ｒ、緑補正部３００ｇ、青補正部３００ｂのそれぞれが補正を行うことにより、隣接する２つの画素のうち一方の画素Ｐ１に属する赤、緑および青サブ画素Ｒ１、Ｇ１、Ｂ１の輝度は、他方の画素Ｐ２に属する赤、緑および青サブ画素Ｒ２、Ｇ２、Ｂ２の輝度とそれぞれ異なる。
【０２１６】
赤補正部３００ｒ、緑補正部３００ｇおよび青補正部３００ｂは、隣接する２つの画素に属するサブ画素を１単位としてサブ画素の輝度の調整を行うため、入力信号において隣接する２つの画素に属するサブ画素の階調レベルが等しい場合であっても、液晶表示パネル２００Ｂにおいて当該２つのサブ画素の輝度が異なるように階調レベルの補正が行われる。ここでは、赤補正部３００ｒ、緑補正部３００ｇおよび青補正部３００ｂは、行方向に隣接する２つの画素に属するサブ画素の階調レベルに対して補正を行っている。赤補正部３００ｒ、緑補正部３００ｇおよび青補正部３００ｂの補正により、隣接する２つの画素に属するサブ画素のうちの一方のサブ画素の輝度をシフト量ΔＳαだけ増加し、他方のサブ画素の輝度をシフト量ΔＳβだけ減少する。このため、隣接する画素に属するサブ画素の輝度は互いに異なり、明サブ画素の輝度は基準階調レベルに対応する輝度よりも高く、暗サブ画素の輝度は基準階調レベルに対応する輝度よりも低い。また、例えば、正面方向から見た場合、明サブ画素の輝度と基準階調レベルに対応する輝度との差は、基準階調レベルに対応する輝度と暗サブ画素の輝度との差と略等しい。このため、液晶表示パネル２００Ｂにおける隣接する２つの画素に属するサブ画素の輝度の平均は、入力信号に示された隣接する２つのサブ画素の階調レベルに対応する輝度の平均に等しい。このように赤補正部３００ｒ、緑補正部３００ｇおよび青補正部３００ｂが補正を行うことにより、斜め方向からの視野角特性が改善される。なお、図３０（ａ）では、行方向に沿って隣接する画素に属するサブ画素（例えば、赤サブ画素）の明暗は反転しており、また、列方向に沿って隣接する画素に属するサブ画素（例えば、赤サブ画素）の明暗は反転している。
【０２１７】
例えば、入力信号に示される赤、緑および青サブ画素の階調レベルが（１００，１００，１００）である場合、液晶表示装置１００Ｂでは、赤、緑および青サブ画素の階調レベルの補正が行われ、赤、緑および青サブ画素の階調レベルは階調レベル１３７（＝（２×（１００／２５５）2.2）1/2.2×２５５）または０となる。このため、液晶表示パネル２００Ｂにおける画素Ｐ１に属する赤、緑および青サブ画素Ｒ１、Ｇ１、Ｂ１は、階調レベル（１３７，０，１３７）に相当する輝度を呈し、画素Ｐ２に属する赤、緑および青サブ画素Ｒ２、Ｇ２、Ｂ２は、階調レベル（０，１３７，０）に相当する輝度を呈する。
【０２１８】
液晶表示パネル２００Ｂでは、画素Ｐ１の赤サブ画素Ｒ１、青サブ画素Ｂ１および画素Ｐ２の緑サブ画素Ｇ２全体の輝度が階調レベル１３７に対応しており、赤サブ画素Ｒ１の領域Ｒａ、緑サブ画素Ｇ２の領域Ｇａおよび青サブ画素Ｂ１の領域Ｂａは階調レベル１８８（＝（２×（１３７／２５５）2.2）1/2.2×２５５）に対応する輝度を呈し、赤サブ画素Ｒ１の領域Ｒｂ、緑サブ画素Ｇ２の領域Ｇｂおよび青サブ画素Ｂ１の領域Ｂｂは階調レベル０に対応する輝度を呈する。なお、赤サブ画素Ｒ２、緑サブ画素Ｇ１および青サブ画素Ｂ２全体の輝度が階調レベル０に対応しており、赤サブ画素Ｒ２の領域Ｒａ、Ｒｂ、緑サブ画素Ｇ１の領域Ｇａ、Ｇｂおよび青サブ画素Ｂ２の領域Ｂａ、Ｂｂは階調レベル０に対応する輝度を呈する。
【０２１９】
なお、マルチ画素駆動が行われる場合、ここではその詳細を省略するが、青サブ画素Ｂ１およびＢ２の領域Ｂａ、Ｂｂへの輝度レベルＹb1、Ｙb2の分配は、液晶表示パネル２００Ｂの構造とその設計値で決定される。具体的な設計値としては、正面方向から見た場合、青サブ画素Ｂ１の領域ＢａとＢｂの輝度の平均は、青サブ画素の階調レベルｂ１’またはｂ２’に対応する輝度と一致するようになっている。
【０２２０】
次に、図３０（ｂ）を参照して、入力信号がある有彩色を示す場合の液晶表示パネル２００Ｂを説明する。ここでは、入力信号において青サブ画素の階調レベルは赤および緑サブ画素の階調レベルよりも高い。
【０２２１】
例えば、入力信号に示される赤、緑および青サブ画素の階調レベルが（５０，５０，１００）である場合、液晶表示装置１００Ｂでは、赤および緑サブ画素の階調レベルの補正が行われ、赤および緑サブ画素の階調レベルは階調レベル６９（＝（２×（５０／２５５）2.2）1/2.2×２５５）または０となる。一方、液晶表示装置１００Ｂでは、青サブ画素の階調レベルの補正は赤および緑サブ画素とは異なるように行われる。具体的には、入力信号に示された青サブ画素の階調レベル１００は、階調レベル１２１または７４に補正される。なお、２×（１００／２５５）2.2＝（１２１／２５５）2.2＋（７４／２５５）2.2である。このため、液晶表示パネル２００Ｂにおける画素Ｐ１に属する赤、緑および青サブ画素Ｒ１、Ｇ１、Ｂ１は、階調レベル（６９，０，１２１）に相当する輝度を呈し、画素Ｐ２に属する赤、緑および青サブ画素Ｒ２、Ｇ２、Ｂ２は、階調レベル（０，６９，７４）に相当する輝度を呈する。
【０２２２】
なお、液晶表示パネル２００Ｂでは、画素Ｐ１の赤サブ画素Ｒ１全体の輝度が階調レベル６９に対応しており、赤サブ画素Ｒ１の領域Ｒａは階調レベル９５（＝（２×（６９／２５５）2.2）1/2.2×２５５）に対応する輝度を呈し、赤サブ画素Ｒ１の領域Ｒｂは階調レベル０に対応する輝度を呈する。同様に、緑サブ画素Ｇ２の領域Ｇａは９５（＝（２×（６９／２５５）2.2）1/2.2×２５５）に対応する輝度を呈し、緑サブ画素Ｇ２の領域Ｇｂは階調レベル０に対応する輝度を呈する。
【０２２３】
また、画素Ｐ１の青サブ画素Ｂ１全体の輝度が階調レベル１２１に対応しており、青サブ画素Ｂ１の領域Ｂａは階調レベル１６７（＝（２×（１２１／２５５）2.2）1/2.2×２５５）に対応する輝度を呈し、青サブ画素Ｂ１の領域Ｂｂは階調レベル０に対応する輝度を呈する。同様に、青サブ画素Ｂ２の全体の輝度が階調レベル７４に対応しており、青サブ画素Ｂ２の領域Ｂａは階調レベル０に対応する輝度を呈し、青サブ画素Ｂ２の領域Ｂｂは１０２（＝（２×（７４／２５５）2.2）1/2.2×２５５）に対応する輝度を呈する。
【０２２４】
（実施形態３）
上述した説明では、隣接する２つの画素に属する２つのサブ画素を１単位として輝度の調整を行ったが、本発明はこれに限定されない。１つのサブ画素に属する異なる領域を１単位として輝度の調整を行ってもよい。
【０２２５】
以下、図３１を参照して、本発明による液晶表示装置の第３実施形態を説明する。本実施形態の液晶表示装置１００Ｃは、液晶表示パネル２００Ｃと、補正部３００Ｃとを備えている。ここでも、補正部３００Ｃは赤補正部３００ｒ、緑補正部３００ｇおよび青補正部３００ｂを有している。液晶表示装置１００Ｃは、液晶表示パネル２００Ｃにおける各サブ画素が輝度の異なり得る領域を有している点、および、１列のサブ画素に対して２本のソース配線が設けられている点を除いて上述した実施形態１の液晶表示装置と同様の構成を有しており、冗長を避けるために重複する記載を省略する。
【０２２６】
図３２（ａ）に、液晶表示パネル２００Ｃに設けられた画素および画素に含まれるサブ画素の配列を示す。図３２（ａ）には、例として、３行３列の画素を示している。各画素には、３つのサブ画素、すなわち、赤サブ画素Ｒ、緑サブ画素Ｇ、青サブ画素Ｂが設けられている。
【０２２７】
液晶表示装置１００Ｃにおいて、３つのサブ画素Ｒ、ＧおよびＢのそれぞれは分割された２つの領域を有している。具体的には、赤サブ画素Ｒは、第１領域Ｒａおよび第２領域Ｒｂを有しており、同様に、緑サブ画素Ｇは、第１領域Ｇａおよび第２領域Ｇｂを有しており、青サブ画素Ｂは、第１領域Ｂａおよび第２領域Ｂｂを有している。各サブ画素の異なる領域の輝度は独立に制御可能である。
【０２２８】
図３２（ｂ）に、液晶表示装置１００Ｃにおける青サブ画素Ｂの構成を示す。なお、図３２（ｂ）に図示していないが、赤サブ画素Ｒおよび緑サブ画素Ｇも同様の構成を有している。
【０２２９】
青サブ画素Ｂは、２つの領域ＢａおよびＢｂを有しており、領域Ｂａ、Ｂｂに対応する分離電極２２４ｘ、２２４ｙには、それぞれＴＦＴ２３０ｘ、ＴＦＴ２３０ｙが接続されている。ＴＦＴ２３０ｘおよびＴＦＴ２３０ｙのゲ−ト電極はゲート配線Ｇａｔｅに接続され、ＴＦＴ２３０ｘおよびＴＦＴ２３０ｙのソース電極は異なるソース配線Ｓ１、Ｓ２に接続されている。このため、ＴＦＴ２３０ｘ、２３０ｙがオンのときにソース配線Ｓ１、Ｓ２を介して分離電極２２４ｘ、２２４ｙに電圧が供給され、第１領域Ｂａの輝度は第２領域Ｂｂの輝度と異なり得る。
【０２３０】
液晶表示パネル２００Ｃでは、上述した液晶表示パネル２００Ｂとは異なり、分離電極２２４ｘ、２２４ｙの電圧を設定する自由度が高い。このため、液晶表示パネル２００Ｃでは、１つのサブ画素の異なる領域を１単位として輝度の調整を行うことができる。ただし、液晶表示パネル２００Ｃでは、１列のサブ画素に対して２本のソース配線を設けるとともに、ソース駆動回路（図示せず）は１列のサブ画素に対して２つの異なる信号処理を行う必要がある。
【０２３１】
なお、液晶表示パネル２００Ｃでは、１つのサブ画素の異なる領域を１単位として輝度の調整が行われるため、解像度が低下することはないが、中間輝度を表示する際に、画素サイズおよび表示する色によって低輝度の領域が認識されてしまい、表示品位が低下することがある。液晶表示装置１００Ｃでは補正部３００Ｃにより、表示品位の低下を抑制している。
【０２３２】
図３３（ａ）および図３３（ｂ）に、液晶表示装置１００Ｃにおける液晶表示パネル２００Ｃを示す。図３３（ａ）では、入力信号において全ての画素が同じ無彩色を示し、図３３（ｂ）では、入力信号において全ての画素が同じ有彩色を示す。なお、図３３（ａ）および図３３（ｂ）では１つのサブ画素内の２つの領域に着目する。
【０２３３】
まず、図３３（ａ）を参照して、入力信号に示された色が無彩色である場合の液晶表示パネル２００Ｃを説明する。なお、入力信号に示された色が無彩色である場合、赤、緑および青サブ画素の階調レベルが互いに等しい。
【０２３４】
この場合、図３１に示した赤補正部３００ｒ、緑補正部３００ｇ、青補正部３００ｂが補正を行うことにより、液晶表示パネル２００Ｃにおいて赤サブ画素Ｒ１の領域Ｒａの輝度は領域Ｒｂの輝度とは異なる。また、緑サブ画素Ｇ１の領域Ｇａの輝度は領域Ｇｂの輝度とは異なり、青サブ画素Ｂ１の領域Ｂａの輝度は領域Ｂｂの輝度とは異なる。
【０２３５】
赤補正部３００ｒおよび緑補正部３００ｇは青補正部３００ｂと同様に機能するため、ここでは、青補正部３００ｂを説明する。青補正部３００ｂは、青サブ画素Ｂ１の異なる領域を１単位として青サブ画素の輝度の調整を行い、液晶表示パネル２００Ｃにおいて青サブ画素Ｂ１の領域Ｂａ、Ｂｂの輝度が異なるように階調レベルの補正が行われる。
【０２３６】
また、青補正部３００ｂの補正により、青サブ画素Ｂ１のうちの領域Ｂａの青サブ画素の輝度をシフト量ΔＳαだけ増加し、領域Ｂｂの輝度をシフト量ΔＳβだけ減少する。このため、青サブ画素Ｂ１のうちの領域Ｂａの輝度と領域Ｂｂの輝度とは互いに異なり、明領域の輝度は基準階調レベルに対応する輝度よりも高く、暗領域の輝度は基準階調レベルに対応する輝度よりも低い。また、例えば、正面方向から見た場合、第１領域Ｂａの面積は第２領域Ｂｂの面積とほぼ等しく、明領域の輝度と基準階調レベルに対応する輝度との差は、基準階調レベルに対応する輝度と暗領域の輝度との差と略等しい。液晶表示パネル２００Ｃにおける２つの領域Ｂａ、Ｂｂの輝度の平均は、入力信号に示された青サブ画素の階調レベルに対応する輝度と略等しい。このように青補正部３００ｂが補正を行うことにより、斜め方向からの視野角特性が改善される。
【０２３７】
次に、図３３（ｂ）を参照して、入力信号がある有彩色を示す場合の液晶表示パネル２００Ｃを説明する。ここでは、入力信号において青サブ画素の階調レベルは赤および緑サブ画素の階調レベルよりも高い。
【０２３８】
例えば、入力信号に示される赤、緑および青サブ画素の階調レベルが（５０，５０，１００）である場合、液晶表示装置１００Ｃでは、赤および緑サブ画素の階調レベルの補正が行われ、赤および緑サブ画素の各領域の階調レベルは階調レベル６９（＝（２×（５０／２５５）2.2）1/2.2×２５５）または０となる。一方、液晶表示装置１００Ｃでは、青サブ画素の階調レベルの補正は赤および緑サブ画素とは異なるように行われる。具体的には、入力信号に示された青サブ画素の階調レベル１００は、階調レベル１２１または７４に補正される。なお、２×（１００／２５５）2.2＝（１２１／２５５）2.2＋（７４／２５５）2.2である。このため、液晶表示パネル２００Ｃにおける赤、緑および青サブ画素Ｒ１、Ｇ１、Ｂ１の領域Ｒａ、Ｇａ、Ｂａは、階調レベル（６９，０，１２１）に相当する輝度を呈し、赤、緑および青サブ画素Ｒ１、Ｇ１、Ｂ１の領域Ｒｂ、Ｇｂ、Ｂｂは、階調レベル（０，６９，７４）に相当する輝度を呈する。
【０２３９】
図３４に、青補正部３００ｂの具体的な構成を示す。青補正部３００ｂでは、階調輝度変換部３６０において得られた輝度レベルＹbは輝度レベルＹb1および輝度レベルＹb2となる。このため、加減算部３７０ａ、３７０ｂにおいて演算される前までの輝度レベルＹb1およびＹb2は互いに等しい。補正部３００Ｃにおいて得られた階調レベルｂ１’は青サブ画素Ｂ１の領域Ｂａに対応しており、階調レベルｂ２’は青サブ画素Ｂ１の領域Ｂｂに対応している。
【０２４０】
なお、上述した説明では、液晶表示パネル２００Ｃにおいてサブ画素の列数の２倍のソース配線を設けたが、本発明はこれに限定されない。サブ画素の列数と同数のソース配線を設けるとともに、サブ画素の行数の２倍のゲート配線を設けてもよい。
【０２４１】
図３５に、液晶表示パネル２００Ｃ’の模式図を示す。液晶表示パネル２００Ｃ’において青サブ画素Ｂは、２つの領域ＢａおよびＢｂを有しており、領域Ｂａ、Ｂｂに対応する分離電極２２４ｘ、２２４ｙには、それぞれＴＦＴ２３０ｘ、ＴＦＴ２３０ｙが接続されている。ＴＦＴ２３０ｘおよびＴＦＴ２３０ｙのゲ−ト電極は異なるゲート配線Ｇａｔｅ１、Ｇａｔｅ２に接続され、ＴＦＴ２３０ｘおよびＴＦＴ２３０ｙのソース電極は共通のソース配線Ｓに接続されている。このため、ＴＦＴ２３０ｘがオンのときにソース配線Ｓを介して分離電極２２４ｘに電圧が供給され、また、ＴＦＴ２３０ｙがオンのときにソース配線Ｓを介して分離電極２２４ｙに電圧が供給され、第１領域Ｂａの輝度は第２領域Ｂｂの輝度と異なり得る。このように、液晶表示パネル２００Ｃ’でも、１つのサブ画素の異なる領域を１単位として輝度の調整を行うことができる。ただし、液晶表示パネル２００Ｃ’では、１行の画素に対して２本のゲート配線を設けるとともにゲート駆動回路（図示せず）が高速に駆動する必要がある。
【０２４２】
なお、上述した実施形態２および３では、各サブ画素Ｒ、ＧおよびＢは２つの領域に分割されていたが、本発明はこれに限定されない。各サブ画素Ｒ、ＧおよびＢは３以上の領域に分割されていてもよい。
【０２４３】
（実施形態４）
以下、本発明による液晶表示装置の第４実施形態を説明する。図３６（ａ）に示すように、本実施形態の液晶表示装置１００Ｄは、液晶表示パネル２００Ｄと、補正部３００Ｄとを備えている。補正部３００Ｄは、行方向に隣接する２つの赤、緑および青サブ画素をそれぞれ１単位として輝度の調整を行う赤補正部３００ｒ、緑補正部３００ｇおよび青補正部３００ｂを有している。
【０２４４】
図３６（ｂ）に、液晶表示パネル２００Ｄのある領域の等価回路図を示す。この液晶表示パネル２００Ｄにおいてサブ画素は複数の行および複数の列を有するマトリクス状に配列されており、各サブ画素は輝度の異なり得る２つの領域を有している。なお、各サブ画素の構成は、図２９（ｂ）を参照して上述した構成と同様であり、冗長を避けるために、重複する説明を省略する。
【０２４５】
ここでは、第ｎ行のゲート配線ＧＢＬ＿ｎおよび第ｍ行のソース配線ＳＢＬ＿ｍで規定されるサブ画素に着目する。サブ画素の領域Ａは、液晶容量ＣＬＣＡ＿ｎ，ｍと、補助容量ＣＣＳＡ＿ｎ，ｍとを有しており、各サブ画素の領域Ｂは、液晶容量ＣＬＣＢ＿ｎ，ｍと、補助容量ＣＣＳＢ＿ｎ，ｍとを有している。液晶容量は、分離電極２２４ｘ、２２４ｙと対向電極ＣｏｍＬＣとこれらの間に設けられた液晶層とから構成されており、補助容量は、補助容量電極と、絶縁膜と、補助容量対向電極（ＣｏｍＣＳＡ＿ｎ、ＣｏｍＣＳＢ＿ｎ）とから構成されている。分離電極２２４ｘ、２２４ｙは、それぞれ対応するＴＦＴＡ＿ｎ，ｍおよびＴＦＴＢ＿ｎ，ｍを介して共通のソース配線ＳＢＬ＿ｍに接続されている。ＴＦＴＡ＿ｎ，ｍおよびＴＦＴＢ＿ｎ，ｍは、共通のゲート配線ＧＢＬ＿ｎに供給される走査信号電圧によってオン／オフ制御され、２つのＴＦＴがオン状態にあるときに、２つの領域Ａ、Ｂのそれぞれが有する分離電極２２４ｘ、２２４ｙおよび補助容量電極に、共通のソース配線から表示信号電圧が供給される。２つの領域Ａ、Ｂの内の一方の補助容量対向電極は補助容量配線（ＣＳＡＬ）を介して補助容量幹線（ＣＳ幹線）ＣＳＶｔｙｐｅ１に接続されており、他方の補助容量対向電極は補助容量配線（ＣＳＢＬ）を介して補助容量幹線（ＣＳ幹線）ＣＳＶｔｙｐｅ２に接続されている。
【０２４６】
図３６（ｂ）に示すように、補助容量配線は、列方向に隣接する異なる行のサブ画素の領域に対応するように配置されている。具体的には、例えば、補助容量配線ＣＳＢＬは、ｎ行のサブ画素の領域Ｂ、および、これに列方向に隣接するｎ＋１行のサブ画素の領域Ａに対応している。
【０２４７】
液晶表示装置１００Ｄでは各サブ画素の液晶層に印加される電界の向きは一定時間間隔で反転する。ＣＳ幹線ＣＳＶｔｙｐｅ１およびＣＳＶｔｙｐｅ２にそれぞれ供給される補助容量対向電圧ＶＣＳＶｔｙｐｅ１およびＶＣＳＶｔｙｐｅ２において、対応する任意のゲート配線の電圧がＶｇＨからＶｇＬに変化した後の最初の電圧変化に着目すると、例えば、電圧ＶＣＳＶｔｙｐｅ１の変化は増加であり、電圧ＶＣＳＶｔｙｐｅ２の変化は減少である。
【０２４８】
図３７に、液晶表示パネル２００Ｄの模式図を示す。図３７において、「明」および「暗」は各サブ画素の領域が明領域および暗領域のいずれであるかを示している。また、「Ｃ１」および「Ｃ２」は各サブ画素の領域がＣＳ幹線ＣＳＶｔｙｐｅ１およびＣＳＶｔｙｐｅ２のいずれに対応するかを示している。また、「＋」および「−」は液晶層に印加される電界の向き（極性）が異なることを示している。例えば、「＋」は対向電極の電位がサブ画素電極よりも高いことを示し、「−」はサブ画素電極の電位が対向電極よりも高いことを示す。
【０２４９】
図３７から理解されるように、あるサブ画素に着目すると、一方の領域はＣＳ幹線ＣＳＶｔｙｐｅ１およびＣＳＶｔｙｐｅ２の一方に対応しており、他方の領域はＣＳ幹線ＣＳＶｔｙｐｅ１およびＣＳＶｔｙｐｅ２の他方に対応している。また、サブ画素配列に着目すると、行方向および列方向に隣接するサブ画素の極性は反転しており、極性の異なるサブ画素がサブ画素単位で市松状に配列されている。また、ある行のサブ画素のうちＣＳ幹線ＣＳＶｔｙｐｅ１に対応する領域に着目すると、領域の明暗および極性が領域ごとに反転している。このように、明領域および暗領域は領域単位で市松状に配列されている。なお、図３７では、あるフレームにおける液晶表示パネル２００Ｄの状態を示したが、次のフレームでは各領域の極性は反転されており、フリッカーが抑制される。
【０２５０】
ここで、比較例３の液晶表示装置を説明する。比較例３の液晶表示装置は、補正部３００Ｄを備えていない点を除いて本実施形態の液晶表示装置１００Ｄと同様の構成を有している。
【０２５１】
図３８（ａ）に、入力信号において全ての画素がある有彩色を示す場合の比較例３の液晶表示装置の模式図を示す。ここでは、各サブ画素は点灯している。比較例３の液晶表示装置では、行方向および列方向に隣接する領域の階調レベルは異なるが、斜め方向に隣接する領域の階調レベルは等しい。また、極性は行方向および列方向にサブ画素単位で反転している。図３８（ｂ）には、簡略化のために、比較例３の液晶表示装置の青サブ画素のみを示している。比較例３の液晶表示装置における青サブ画素のみに着目すると、行方向および列方向に隣接する領域の輝度レベル（階調レベル）は異なり、明領域および暗領域は市松状に配列される。
【０２５２】
次に、図３７および図３９〜図４１を参照して本実施形態の液晶表示装置１００Ｄを説明する。ここでは入力信号において少なくとも青サブ画素の階調レベルは等しい。
【０２５３】
上述したように、色相係数Ｈｂがゼロの場合、青補正部３００ｂは補正を行わない。この場合、図３９（ａ）に示すように、液晶表示パネル２００Ｄにおける青サブ画素のみに着目すると、青サブ画素の明領域および暗領域は領域単位で市松状に配列される。また、極性は行方向および列方向にサブ画素単位で反転している。なお、図３９（ａ）に示した液晶表示パネル２００Ｄは図３８（ｂ）に示した比較例３の液晶表示装置の模式図と同様である。
【０２５４】
一方、色相係数Ｈｂがゼロ以外（例えば、１）である場合、青補正部３００ｂは、行方向に隣接する２つの画素に属する２つの青サブ画素を１単位として明青サブ画素が斜め方向に隣接するように輝度の調整を行い、青サブ画素の明暗に着目すると、明青サブ画素および暗青サブ画素は青サブ画素単位で市松状に配列される。以上から、青補正部３００ｂは、各青サブ画素に対して図３９（ｂ）に示すように明暗を付与しているといえる。このため、液晶表示パネル２００Ｄにおいて明青サブ画素の明領域および暗領域ならびに暗青サブ画素の明領域および暗領域は図３９（ｃ）に示すように配列される。この場合、斜め方向に隣接する明青サブ画素において明領域は互いに近接して配列されており、このように明青サブ画素の明領域が偏って配列されると、表示品位の低下が生じることがある。
【０２５５】
なお、上述した説明では、青補正部３００ｂは、色相係数Ｈｂが１の場合に明青サブ画素および暗青サブ画素が行方向および列方向のいずれにおいても青サブ画素ごとに交互に配列するように補正を行ったが、本発明はこれに限定されない。青補正部３００ｂは、明青サブ画素および暗青サブ画素が２青サブ画素ごとに交互に配列するように補正を行ってもよい。
【０２５６】
以下、図４０を参照して、青補正部３００ｂが別の補正を行う形態を説明する。色相係数Ｈｂがゼロの場合、青補正部３００ｂは上述したように補正を行わない。この場合、図４０（ａ）に示すように、液晶表示パネル２００Ｄにおける青サブ画素のみに着目すると、青サブ画素の明領域および暗領域は市松状に配列される。
【０２５７】
一方、色相係数Ｈｂが１である場合、青補正部３００ｂは、行方向に隣接する２つの画素に属する２つの青サブ画素を１単位として行方向に明青サブ画素および暗青サブ画素が２青サブ画素ごとに交互に配列するように補正を行う。青補正部３００ｂは、各青サブ画素に対して図４０（ｂ）に示すように明暗を付与しているといえる。この場合、「＋」極性および「−」極性のそれぞれの青サブ画素には明青サブ画素だけでなく暗青サブ画素もあるため、極性と明暗との偏りが抑制され、フリッカを抑制できる。また、青補正部３００ｂの補正により、液晶表示パネル２００Ｄにおいて明青サブ画素の明領域および暗領域ならびに暗青サブ画素の明領域および暗領域は図４０（ｃ）に示すように配列される。この場合、明青サブ画素の明領域は斜めの直線状に配列され、このように明青サブ画素の明領域が偏って配列されると、表示品位の低下が生じることがある。
【０２５８】
なお、上述した説明では、青補正部３００ｂは、色相係数Ｈｂが１である場合に青サブ画素が明青サブ画素および暗青サブ画素のいずれかになるように補正を行ったが、本発明はこれに限定されない。青補正部３００ｂは、色相係数Ｈｂが１である場合でも青サブ画素の一部が明青サブ画素よりも暗く暗青サブ画素よりも明るくなるように補正を行ってもよい。なお、以下の説明において明青サブ画素よりも暗く暗青サブ画素よりも明るい青サブ画素を中青サブ画素と呼ぶ。
【０２５９】
以下、図４１を参照して、青補正部３００ｂがさらに別の補正を行う形態を説明する。色相係数Ｈｂがゼロの場合、青補正部３００ｂは上述したように補正を行わない。この場合、図４１（ａ）に示すように、液晶表示パネル２００Ｄにおける青サブ画素のみに着目すると、青サブ画素の明領域および暗領域は市松状に配列される。
【０２６０】
一方、色相係数Ｈｂが１である場合、青補正部３００ｂは、ある青サブ画素を挟む２つの青サブ画素を１単位として輝度の調整を行う。図４１（ｂ）に行方向に並んだ４つの青サブ画素をＢ１、Ｂ２、Ｂ３およびＢ４と示す。青補正部３００ｂは２つの青サブ画素Ｂ１、Ｂ３を１単位として輝度の調整を行い、青サブ画素Ｂ２およびＢ４については補正を行わない。この場合、行方向の青サブ画素の明暗のみに着目すると、明青サブ画素および暗青サブ画素は中青サブ画素を間に挟んで交互に配列される。以上から、青補正部３００ｂは、各青サブ画素に対して図４１（ｂ）に示すように明暗を付与しているといえる。このため、液晶表示パネル２００Ｄにおいて明、中および暗青サブ画素の明領域および暗領域は図４１（ｃ）に示すように配列されている。図４１（ｃ）において、ある行のサブ画素の明暗に着目すると、明青サブ画素、中青サブ画素、暗青サブ画素および中青サブ画素が順番に配列されている。青補正部３００ｂがこのように補正を行うと、明青サブ画素の明領域の偏った配列が防止され、表示品位の低下が抑制される。
【０２６１】
以下、図４１を参照して上述したように補正を行う液晶表示装置１００Ｄを説明する。図４２（ａ）に、液晶表示装置１００Ｄにおける液晶表示パネル２００Ｄの模式図を示す。なお、上述したように、液晶表示パネル２００Ｄにおいて各サブ画素は輝度の異なり得る複数の領域を有しているが、図４２（ａ）では領域を省略して示している。また、図４２には、画素Ｐ１に属する赤、緑および青サブ画素Ｒ１、Ｇ１、Ｂ１、画素Ｐ２に属する赤、緑および青サブ画素Ｒ２、Ｇ２、Ｂ２、画素Ｐ３に属する赤、緑および青サブ画素Ｒ３、Ｇ３、Ｂ３、画素Ｐ４に属する赤、緑および青サブ画素Ｒ４、Ｇ４、Ｂ４を示している。
【０２６２】
図４２（ｂ）に、青補正部３００ｂの模式図を示す。図４２（ｂ）において、入力信号に示された階調レベルｒ１、ｇ１、ｂ１は図４２（ａ）に示した画素Ｐ１に属する各サブ画素Ｒ１、Ｇ１、Ｂ１に相当するものであり、入力信号に示された階調レベルｒ２、ｇ２、ｂ２は画素Ｐ２に属する各サブ画素Ｒ２、Ｇ２、Ｂ２に相当するものである。また、入力信号に示された階調レベルｒ３、ｇ３、ｂ３は図４２（ａ）に示した画素Ｐ３に属する各サブ画素Ｒ３、Ｇ３、Ｂ３に相当するものであり、入力信号に示された階調レベルｒ４、ｇ４、ｂ４は画素Ｐ４に属する各サブ画素Ｒ４、Ｇ４、Ｂ４に相当するものである。
【０２６３】
青補正部３００ｂでは、加算部３１０ｂを用いて階調レベルｂ１と階調レベルｂ３の平均階調レベルｂaveが求められる。次に、階調差レベル部３２０は、１つの平均階調レベルｂaveに対して２つの階調差レベルΔｂα、Δｂβを与える。次に、階調輝度変換部３３０は、階調差レベルΔｂαを輝度差レベルΔＹbαに変換し、階調差レベルΔｂβを輝度差レベルΔＹbβに変換する。
【０２６４】
一方、加算部３１０ｒを用いて階調レベルｒ１と階調レベルｒ３との平均階調レベルｒaveが求められる。また、加算部３１０ｇを用いて階調レベルｇ１と階調レベルｇ３との平均階調レベルｇaveが求められる。色相判定部３４０は平均階調レベルｒave、ｇave、ｂaveを利用して色相係数Ｈｂを求める。
【０２６５】
次に、シフト量ΔＳα、ΔＳβが求められる。シフト量ΔＳαはΔＹbαと色相係数Ｈｂとの積によって表され、シフト量ΔＳβはΔＹbβと色相係数Ｈｂとの積によって表される。乗算部３５０は輝度差レベルΔＹbα、ΔＹbβと色相係数Ｈｂとの乗算を行い、これにより、シフト量ΔＳα、ΔＳβが得られる。
【０２６６】
また、階調輝度変換部３６０ａが階調レベルｂ１に対して階調輝度変換を行い、輝度レベルＹb1を得る。同様に、階調輝度変換部３６０ｂは階調レベルｂ３に対して階調輝度変換を行い、輝度レベルＹb3を得る。次に、加減算部３７０ａにおいて輝度レベルＹb1とシフト量ΔＳαとを加算し、さらに、輝度階調変換部３８０ａにおいて輝度階調変換を行うことにより、階調レベルｂ１’が得られる。また、加減算部３７０ｂにおいて輝度レベルＹb3からシフト量ΔＳβを減算し、さらに、輝度階調変換部３８０ｂにおいて輝度階調変換を行うことにより、階調レベルｂ３’が得られる。なお、階調レベルｒ１〜ｒ４、ｇ１〜ｇ４、ｂ２およびｂ４は補正されない。このような青補正部３００ｂにより、明青サブ画素の明領域の偏った配列を防止でき、表示品位の低下を抑制することができる。
【０２６７】
なお、さらにエッジ処理が行われることが好ましい。図４３に、補正部３００ｂ’の模式図を示す。補正部３００ｂ’は、図１８を参照して上述したエッジ判定部３９０および係数算出部３９５をさらに有している点を除いて青補正部３００ｂと同様の構成を有しており、ここでは、冗長を避けるために重複する説明を省略する。
【０２６８】
エッジ判定部３９０は、入力信号に示された階調レベルｂ１〜ｂ４に基づいてエッジ係数ＨＥを得る。ここでは、エッジ係数は、階調レベルｂ１〜ｂ４の差が大きいほど大きくなる関数であり、エッジ係数ＨＥは、例えば、ＨＥ＝（ＭＡＸ（ｂ１，ｂ２，ｂ３，ｂ４）−ＭＩＮ（ｂ１，ｂ２，ｂ３，ｂ４））／ＭＡＸ（ｂ１，ｂ２，ｂ３，ｂ４）で表される。なお、エッジ係数ＨＥは他の方法で求められてもよく、また、エッジ係数ＨＥは階調レベルｂ１およびｂ３に基づいて求められてもよい。
【０２６９】
次に、係数算出部３９５は、色相判定部３４０において得られた色相係数Ｈｂ、および、エッジ判定部３９０において得られたエッジ係数ＨＥに基づいて補正係数ＨＣを得る。補正係数ＨＣは、例えば、ＨＣ＝Ｈｂ−ＨＥと表される。階調レベルｂ１およびｂ３の補正はこの補正係数ＨＣを用いて上述したのと同様に行われる。このようにエッジ処理を行ってもよい。
【０２７０】
（実施形態５）
上述した説明では、行方向に位置する２つの画素に属する２つの青サブ画素を１単位として輝度の調整を行ったが、本発明はこれに限定されない。列方向に位置する２つの画素に属する２つの青サブ画素を１単位として輝度の調整を行ってもよい。
【０２７１】
図４４を参照して本発明による液晶表示装置の第５実施形態を説明する。図４４（ａ）に、本実施形態の液晶表示装置１００Ｅの模式図を示す。液晶表示装置１００Ｅは、液晶表示パネル２００Ｅおよび補正部３００Ｅを備えており、補正部３００Ｅは赤補正部３００ｒ’’、緑補正部３００ｇ’’および青補正部３００ｂ’’を有している。
【０２７２】
図４４（ｂ）に、液晶表示パネル２００Ｅの模式図を示す。液晶表示パネル２００Ｅにおいて各サブ画素は輝度の異なり得る複数の領域を有している。赤、緑、青サブ画素Ｒ３、Ｇ３、Ｂ３を含む画素Ｐ３は赤、緑および青サブ画素Ｒ１、Ｇ１、Ｂ１を含む画素Ｐ１と列方向に隣接して配列されている。また、赤、緑、青サブ画素Ｒ４、Ｇ４、Ｂ４を含む画素Ｐ４は赤、緑および青サブ画素Ｒ２、Ｇ２、Ｂ２を含む画素Ｐ２と列方向に隣接して配列されている。
【０２７３】
青補正部３００ｂ’’が列方向に隣接する２つの画素に属する２つの青サブ画素を１単位として輝度の調整を行う場合でも、青補正部３００ｂ’’が図３９（ｂ）に示したように青サブ画素に明暗を付与すると、図３９（ｃ）に示したように、明青サブ画素の明領域が偏って配列されてしまう。このため、青補正部３００ｂ’’は図４１（ｂ）に示すように青サブ画素の明暗を付与することが好ましい。
【０２７４】
以下、図４５を参照して本実施形態の液晶表示装置１００Ｅにおける青補正部３００ｂ’’を説明する。図４５（ａ）に示すように、青補正部３００ｂ’’は、前段ラインメモリ３００ｓと、階調調整部３００ｔと、後段ラインメモリ３００ｕとを有している。入力信号に示された階調レベルｒ１、ｇ１、ｂ１は図４４（ｂ）に示した画素Ｐ１に属する各サブ画素Ｒ１、Ｇ１、Ｂ１に相当するものであり、入力信号に示された階調レベルｒ２、ｇ２、ｂ２は画素Ｐ２に属する各サブ画素Ｒ２、Ｇ２、Ｂ２に相当するものである。また、入力信号に示された階調レベルｒ３、ｇ３、ｂ３は図４４（ｂ）に示した画素Ｐ３に属する各サブ画素Ｒ３、Ｇ３、Ｂ３に相当するものであり、入力信号に示された階調レベルｒ４、ｇ４、ｂ４は画素Ｐ４に属する各サブ画素Ｒ４、Ｇ４、Ｂ４に相当するものである。前段ラインメモリ３００ｓにより、階調レベルｒ１、ｇ１、ｂ１、ｒ２、ｇ２およびｂ２は１ライン分遅延して階調調整部３００ｔに入力される。
【０２７５】
図４５（ｂ）に、階調調整部３００ｔの模式図を示す。階調調整部３００ｔでは、加算部３１０ｂを用いて階調レベルｂ１と階調レベルｂ３の平均階調レベルｂaveが求められる。次に、階調差レベル部３２０は、１つの平均階調レベルｂaveに対して２つの階調差レベルΔｂα、Δｂβを与える。その後、階調輝度変換部３３０は、階調差レベルΔｂαを輝度差レベルΔＹbαに変換し、階調差レベルΔｂβを輝度差レベルΔＹbβに変換する。
【０２７６】
一方、加算部３１０ｒを用いて階調レベルｒ１と階調レベルｒ３との平均階調レベルｒaveが求められる。また、加算部３１０ｇを用いて階調レベルｇ１と階調レベルｇ３との平均階調レベルｇaveが求められる。色相判定部３４０は平均階調レベルｒave、ｇave、ｂaveを利用して色相係数Ｈｂを求める。
【０２７７】
次に、乗算部３５０は輝度差レベルΔＹbα、ΔＹbβと色相係数Ｈｂとの乗算を行い、これにより、シフト量ΔＳα、ΔＳβが得られる。また、階調輝度変換部３６０ａが階調レベルｂ１に対して階調輝度変換を行い、輝度レベルＹb1を得る。同様に、階調輝度変換部３６０ｂは階調レベルｂ３に対して階調輝度変換を行い、輝度レベルＹb3を得る。次に、加減算部３７０ａにおいて輝度レベルＹb1とシフト量ΔＳαとを加算し、さらに、輝度階調変換部３８０ａにおいて輝度階調変換を行うことにより、階調レベルｂ１’が得られる。また、加減算部３７０ｂにおいて輝度レベルＹb3からシフト量ΔＳβを減算し、さらに、輝度階調変換部３８０ｂにおいて輝度階調変換を行うことにより、階調レベルｂ３’が得られる。このような青補正部３００ｂ’’により、明青サブ画素の明領域の偏った配列を防止でき、表示品位の低下を抑制することができる。
【０２７８】
なお、さらにエッジ処理が行われることが好ましい。図４６に、青補正部３００ｂ’の模式図を示す。青補正部３００ｂ’は、図１８を参照して上述したエッジ判定部３９０および係数算出部３９５をさらに有している点を除いて図４５に示した青補正部３００ｂ’’と同様の構成を有しており、ここでは、冗長を避けるために重複する説明を省略する。
【０２７９】
エッジ判定部３９０は、入力信号に示された階調レベルｂ１およびｂ３に基づいてエッジ係数ＨＥを得る。例えば、エッジ係数ＨＥは、ＨＥ＝（ＭＡＸ（ｂ１，ｂ３）−ＭＩＮ（ｂ１，ｂ３））／ＭＡＸ（ｂ１，ｂ３）で表される。なお、エッジ係数ＨＥは他の方法で求められてもよい。
【０２８０】
次に、係数算出部３９５は、色相判定部３４０において得られた色相係数Ｈｂ、および、エッジ判定部３９０において得られたエッジ係数ＨＥに基づいて補正係数ＨＣを得る。補正係数ＨＣは、例えば、ＨＣ＝Ｈｂ−ＨＥと表される。階調レベルｂ１およびｂ３の補正はこの補正係数ＨＣを用いて上述したのと同様に行われる。このようにエッジ処理を行ってもよい。
【０２８１】
（実施形態６）
なお、上述した実施形態１〜５では、画素は３つの原色を用いて表示を行ったが、本発明はこれに限定されない。画素は４つ以上の原色を用いて表示を行ってもよい。画素は、例えば、赤、緑、青、黄、シアンおよびマゼンタサブ画素を有していてもよい。
【０２８２】
図４７に、本発明による液晶表示装置の第６実施形態の模式図を示す。本実施形態の液晶表示装置１００Ｆは、多原色表示パネル２００Ｆと、補正部３００Ｆとを備える。多原色表示パネル２００Ｆにおいて、各画素は赤（Ｒ）、緑（Ｇ）、青（Ｂ）および黄（Ｙｅ）サブ画素を有している。補正部３００Ｆは、２つの赤、緑、青および黄サブ画素をそれぞれ１単位として輝度の調整を行う赤補正部３００ｒ、緑補正部３００ｇ、青補正部３００ｂおよび黄補正部３００ｙｅを有している。
【０２８３】
図４８（ａ）に、液晶表示装置１００Ｆにおける多原色表示パネル２００Ｆの模式図を示す。多原色表示パネル２００Ｆにおいて、各画素は、赤（Ｒ）、緑（Ｇ）、青（Ｂ）および黄（Ｙｅ）サブ画素を有している。赤、緑、青および黄サブ画素は行方向にこの順番に配列されている。また、列方向には、同じ色を呈するサブ画素が配列されている。
【０２８４】
以下、図４９を参照して、青補正部３００ｂを説明する。なお、多原色変換の行われた階調レベルＲ１、Ｒ２の補正を行う赤補正部３００ｒ、階調レベルＧ１、Ｇ２の補正を行う緑補正部３００ｇ、および、階調レベルＹｅ１、Ｙｅ２の補正を行う黄補正部３００ｙｅは階調レベルｂ１およびｂ２の補正を行う青補正部３００ｂと同様の構成を有しており、ここではその詳細を省略する。
【０２８５】
また、青補正部３００ｂは多原色変換部４００をさらに有している点を除いて、図８を参照して上述した青補正部と同様の構成を有しており、冗長を避けるために重複する説明を省略する。多原色変換部４００は、入力信号の階調レベルｒ１、ｇ１、ｂ１に基づいて、液晶表示パネル２００Ｆにおける画素に属する各サブ画素に対応する階調レベルＲ１、Ｇ１、Ｂ１、Ｙｅ１を得る。また、多原色変換部４００は、入力信号の階調レベルｒ２、ｇ２、ｂ２に基づいて、液晶表示パネル２００Ｆにおける画素に属する各サブ画素に対応する階調レベルＲ２、Ｇ２、Ｂ２、Ｙｅ２を得る。階調レベルＲ１、Ｇ１、Ｂ１、Ｙｅ１は図４８（ａ）に示した画素Ｐ１に属する各サブ画素の階調レベルに相当するものであり、階調レベルＲ２、Ｇ２、Ｂ２、Ｙｅ２は画素Ｐ２に属する各サブ画素の階調レベルに相当するものである。
【０２８６】
加算部３１０Ｂを用いて階調レベルＢ１と階調レベルＢ２の平均が求められる。以下の説明において、階調レベルＢ１およびＢ２の平均を平均階調レベルＢaveと示す。次に、階調差レベル部３２０は、１つの平均階調レベルＢaveに対して２つの階調差レベルΔＢα、ΔＢβを与える。階調差レベルΔＢαは明青サブ画素に対応しており、階調差レベルΔＢβは暗青サブ画素に対応している。次に、階調輝度変換部３３０は、階調差レベルΔＢαを輝度差レベルΔＹBαに変換し、階調差レベルΔＢβを輝度差レベルΔＹBβに変換する。
【０２８７】
また、加算部３１０ｒを用いて階調レベルｒ１と階調レベルｒ２との平均が求められる。同様に、加算部３１０ｇを用いて階調レベルｇ１と階調レベルｇ２との平均が求められ、加算部３１０ｂを用いて階調レベルｂ１と階調レベルｂ２との平均が求められる。以下の説明において、階調レベルｒ１およびｒ２の平均を平均階調レベルｒaveと示し、階調レベルｇ１およびｇ２の平均を平均階調レベルｇaveと示し、また、階調レベルｂ１およびｂ２の平均を平均階調レベルｂaveと示す。
【０２８８】
色相判定部３４０は入力信号に示された画素の色相を判定する。色相判定部３４０は平均階調レベルｒave、ｇave、ｂaveを利用して色相係数Ｈｂを求める。色相係数Ｈｂは色相に応じて変化する関数である。
【０２８９】
なお、色相判定部３４０は、平均階調レベルＲave、Ｇave、ＢaveおよびＹｅaveを利用して色相係数Ｈｂを得てもよい。この場合、Ｒave、Ｇave、ＢaveおよびＹｅaveは入力信号に示された階調レベルに基づく平均階調レベルに対応しているため、青サブ画素の補正は、入力信号に示された画素の色相に間接的に応じて行われることになる。ただし、色相の判定は、平均階調レベルｒave、ｇave、ｂaveを用いて十分行うことができ、これにより、処理の煩雑化を抑制できる。
【０２９０】
次に、シフト量ΔＳα、ΔＳβを求める。シフト量ΔＳαはΔＹBαと色相係数Ｈｂとの積によって表され、シフト量ΔＳβはΔＹBβと色相係数Ｈｂとの積によって表される。乗算部３５０は輝度差レベルΔＹBα、ΔＹBβと色相係数Ｈｂとの乗算を行い、これにより、シフト量ΔＳα、ΔＳβが得られる。
【０２９１】
また、階調輝度変換部３６０ａが階調レベルＢ１に対して階調輝度変換を行い、輝度レベルＹB1を得る。輝度レベルＹB1は例えば以下の式にしたがって得られる。
ＹB1＝Ｂ１2.2（ここで、０≦Ｂ１≦１）
【０２９２】
同様に、階調輝度変換部３６０ｂは階調レベルＢ２に対して階調輝度変換を行い、輝度レベルＹB2を得る。
【０２９３】
次に、加減算部３７０ａにおいて輝度レベルＹB1とシフト量ΔＳαとを加算し、さらに、輝度階調変換部３８０ａにおいて輝度階調変換を行うことにより、階調レベルＢ１’が得られる。また、加減算部３７０ｂにおいて輝度レベルＹB2からシフト量ΔＳβを減算し、さらに、輝度階調変換部３８０ｂにおいて輝度階調変換を行うことにより、階調レベルＢ２’が得られる。
【０２９４】
このように、液晶表示装置１００Ｆでは、列方向に隣接する２つの画素に属する青サブ画素を１単位として輝度の調整が行われる。図４８（ｂ）には、輝度の調整を行う２つの青サブ画素を矢印で示している。なお、厳密には、赤、緑および黄サブ画素の輝度の調整を行ってもよいが、ここでは、冗長を避けるために、輝度の調整を行う２つの青サブ画素のみについて説明した。なお、図４８（ｂ）において、青サブ画素のうちハッチングを付していないものは明青サブ画素を示しており、ハッチングを付しているものは暗青サブ画素を示している。
【０２９５】
なお、図４８に示した多原色表示パネル２００Ｆでは、列方向に同じ色を呈するサブ画素が配列されていたが、本発明はこれに限定されない。列方向に異なる色を呈するサブ画素が配列されてもよい。また、この場合、列方向に隣接する２つの画素に属する青サブ画素を１単位とし、明青サブ画素が行方向に位置するように輝度の調整が行われてもよい。これにより、明青サブ画素の偏った配列が防止されることになり、青の解像度の実質的な低下が抑制される。
【０２９６】
また、図４８に示した多原色表示パネル２００Ｆでは、１つの画素に属するサブ画素は１行に配列されたが、これに限定されない。１つの画素に属するサブ画素は複数の行にわたって配列されていてもよい。
【０２９７】
図５０（ａ）に、液晶表示装置１００Ｆ１における多原色表示パネル２００Ｆ１の模式図を示す。多原色表示パネル２００Ｆ１において、１つの画素に含まれるサブ画素は２行２列に配列されており、１つの画素に属する赤および緑サブ画素がある行の行方向にこの順番に配列されており、同じ画素に属する青および黄サブ画素が隣接する行の行方向にこの順番に配列されている。列方向のサブ配列に着目すると、赤サブ画素は青サブ画素と交互に配列されており、緑サブ画素は黄サブ画素と交互に配列されている。図５０（ｂ）に示すように、液晶表示装置１００Ｆ１では行方向に隣接する２つの画素に属する２つの青サブ画素を１単位として明青サブ画素が斜め方向に隣接するように輝度の調整を行う。
【０２９８】
また、図４８および図５０に示した多原色表示パネル２００Ｆ、２００Ｆ１では画素は赤、緑、青および黄サブ画素を有していたが、これに限定されない。画素は黄サブ画素に代えて白サブ画素を有していてもよい。なお、４つのサブ画素の配列はこれに限定されない。ただし、少なくとも階調レベルの補正を行うサブ画素（ここでは、青サブ画素）は複数の画素にわたって規則的な周期で配列されていることが好ましい。
【０２９９】
なお、上述した多原色表示パネル２００Ｆ、２００Ｆ１では、１つの画素に属するサブ画素の数は４個であったが、本発明はこれに限定されない。多原色表示パネルにおいて１つの画素に属するサブ画素の数は６個であってもよい。
【０３００】
図５１（ａ）に、多原色表示パネル２００Ｆ２の模式図を示す。多原色表示パネル２００Ｆ２において、各画素は、赤（Ｒ）、緑（Ｇ）、青（Ｂ）、黄（Ｙｅ）、シアン（Ｃ）およびマゼンタ（Ｍ）サブ画素を有している。なお、ここでは図示しないが、補正部３００Ｆは赤、緑、青および黄補正部３００ｒ、３００ｇ、３００ｂおよび３００ｙｅに加えてシアン補正部３００ｃおよびマゼンタ補正部３００ｍをさらに有することが好ましい。多原色表示パネル２００Ｆ２では、１つの画素に属する赤、緑、青、黄、マゼンタおよびシアンサブ画素が行方向にこの順番に配列されており、また、列方向には、同じ色を呈するサブ画素が配列されている。
【０３０１】
なお、図５１（ａ）では、列方向には、同じ色を呈するサブ画素が配列されていたが、本発明はこれに限定されない。列方向には異なる色を呈するサブ画素が配列されてもよく、この場合、列方向に隣接する２つの画素に属する青サブ画素を１単位とし、明青サブ画素が行方向に位置するように輝度の調整が行われてもよい。これにより、明青サブ画素の偏った配列が防止されることになり、青の解像度の実質的な低下が抑制される。例えば、ある行では、１つの画素に属する赤、緑、マゼンタ、シアン、青および黄サブ画素が行方向にこの順番に配列されており、隣接する次の行では、別の画素に属するシアン、青、黄、赤、緑およびマゼンタサブ画素が行方向にこの順番に配列されていてもよい。
【０３０２】
なお、図５１に示した多原色表示パネル２００Ｆ２では、１つの画素に属するサブ画素は１行に配列されていたが、本発明はこれに限定されない。１つの画素に属するサブ画素は複数の行にわたって配列されていてもよい。
【０３０３】
図５２（ａ）に、液晶表示装置１００Ｆ３における多原色表示パネル２００Ｆ３の模式図を示す。多原色表示パネル２００Ｆ３において、１つの画素に含まれるサブ画素は２行３列に配列されており、１つの画素に属する赤、緑および青サブ画素はある行の行方向にこの順番に配列されており、同じ画素に属する黄、マゼンタおよびシアンサブ画素は隣接する次の行の行方向にこの順番に配列されている。なお、ここでは、列方向のサブ画素配列に着目すると、赤サブ画素は黄サブ画素と交互に配列されており、緑サブ画素はマゼンタサブ画素と交互に配列されており、青サブ画素はシアンサブ画素と交互に配列されているが、赤サブ画素はシアンサブ画素と交互に配列されており、緑サブ画素はマゼンタサブ画素と交互に配列されており、青サブ画素は黄サブ画素と交互に配列されていてもよい。
【０３０４】
図５２（ｂ）に示すように、液晶表示装置１００Ｆ３では、行方向に隣接する２つの画素に属する青サブ画素を１単位として明青サブ画素および暗青サブ画素が行方向に交互に配列するように輝度の調整を行う。
【０３０５】
なお、６つのサブ画素の配列はこれに限定されない。ただし、少なくとも階調レベルの補正を行うサブ画素（ここでは、青サブ画素）は複数の画素にわたって規則的な周期で配列されていることが好ましい。また、多原色表示パネル２００Ｆ２、Ｆ３では、画素は、赤、緑、青、黄、シアンおよびマゼンタサブ画素を有していたが、これに限定されない。画素は、例えば、第１赤、緑、青、黄、シアンおよび第２赤サブ画素を有していてもよい。
【０３０６】
なお、上述した説明では、補正部３００Ｂ、３００Ｃ、３００Ｄ、３００Ｅ、３００Ｆは、赤、緑、青、黄、シアンおよび／またはマゼンタ補正部３００ｒ、３００ｇ、３００ｂ、３００ｙｅ、３００ｃ、３００ｍを有していたが、本発明はこれに限定されない。これらの補正部は、図１９を参照して上述したように、赤、緑、青、黄、シアンおよび／またはマゼンタ補正部３００ｒ、３００ｇ、３００ｂ、３００ｙｅ、３００ｃ、３００ｍの少なくともいずれか１つを有してもよい。
【０３０７】
また、上述した説明では、液晶層は垂直配向型であったが、本発明はこれに限定されない。液晶層は別のモードであってもよい。
【０３０８】
なお、参考のために、本願の基礎出願である特願２００８−３３５２４６号および特願２００９−１３２５００号の開示内容を本明細書に援用する。
【産業上の利用可能性】
【０３０９】
本発明によれば、視野角特性の改善を図るとともに表示品位の低下が抑制された液晶表示装置を提供することができる。
【符号の説明】
【０３１０】
１００  液晶表示装置
２００  液晶表示パネル
３００  補正部
【図１】
2010073693.tif 000010
【図２】
2010073693.tif 000011
【図３】
2010073693.tif 000012
【図４】
2010073693.tif 000013
【図５】
2010073693.tif 000014
【図６】
2010073693.tif 000015
【図７】
2010073693.tif 000016
【図８】
2010073693.tif 000017
【図９】
2010073693.tif 000018
【図１０】
2010073693.tif 000019
【図１１】
2010073693.tif 000020
【図１２】
2010073693.tif 000021
【図１３】
2010073693.tif 000022
【図１４】
2010073693.tif 000023
【図１５】
2010073693.tif 000024
【図１６】
2010073693.tif 000025
【図１７】
2010073693.tif 000026
【図１８】
2010073693.tif 000027
【図１９】
2010073693.tif 000028
【図２０】
2010073693.tif 000029
【図２１】
2010073693.tif 000030
【図２２】
2010073693.tif 000031
【図２３】
2010073693.tif 000032
【図２４】
2010073693.tif 000033
【図２５】
2010073693.tif 000034
【図２６】
2010073693.tif 000035
【図２７】
2010073693.tif 000036
【図２８】
2010073693.tif 000037
【図２９】
2010073693.tif 000038
【図３０】
2010073693.tif 000039
【図３１】
2010073693.tif 000040
【図３２】
2010073693.tif 000041
【図３３】
2010073693.tif 000042
【図３４】
2010073693.tif 000043
【図３５】
2010073693.tif 000044
【図３６】
2010073693.tif 000045
【図３７】
2010073693.tif 000046
【図３８】
2010073693.tif 000047
【図３９】
2010073693.tif 000048
【図４０】
2010073693.tif 000049
【図４１】
2010073693.tif 000050
【図４２】
2010073693.tif 000051
【図４３】
2010073693.tif 000052
【図４４】
2010073693.tif 000053
【図４５】
2010073693.tif 000054
【図４６】
2010073693.tif 000055
【図４７】
2010073693.tif 000056
【図４８】
2010073693.tif 000057
【図４９】
2010073693.tif 000058
【図５０】
2010073693.tif 000059
【図５１】
2010073693.tif 000060
【図５２】
2010073693.tif 000061
【国際調査報告】
2010073693.tif 000062
2010073693.tif 000063
2010073693.tif 000064
2010073693.tif 000065